(57)【要約】【課題】  多様な表記形式のメタデータに柔軟に対応することが可能なビデオ信号処理装置等を提供すること【解決手段】  ビデオ信号を処理するビデオ信号処理装置が提供される。このビデオ信号処理装置は，所定の言語で記述されたメタデータの表記形式を識別するメタデータ表記形式識別部４３２と；予め用意されている１又は２以上の変換テーブルの中から，識別されたメタデータの表記形式に対応する変換テーブルを選択する変換テーブル選択部４３４と；選択された変換テーブルに基づいてメタデータの表記形式をビデオ信号処理装置が対応可能な表記形式に変換するメタデータ表記形式変換部４３６と；表記形式が変換されたメタデータに基づいてビデオ信号に関する処理を制御する処理制御部４８０と；を備えることを特徴とする。かかる構成により，ビデオ信号処理装置は，任意の表記形式のメタデータに柔軟に対処することができる。【選択図】  図８
2006094508.tif 000002
【特許請求の範囲】
【請求項１】
ビデオ信号を処理するビデオ信号処理装置において：
所定の言語で記述されたメタデータの表記形式を識別する，メタデータ表記形式識別部と；
予め用意されている１又は２以上の変換テーブルの中から，前記識別されたメタデータの表記形式に対応する変換テーブルを選択する，変換テーブル選択部と；
前記選択された変換テーブルに基づいて，前記メタデータの表記形式を，前記ビデオ信号処理装置が対応可能な表記形式に変換する，メタデータ表記形式変換部と；
前記表記形式が変換されたメタデータに基づいて，前記ビデオ信号に関する処理を制御する，処理制御部と；
を備えることを特徴とする，ビデオ信号処理装置。
【請求項２】
前記所定の言語は，マークアップ言語であることを特徴とする，請求項１に記載のビデオ信号処理装置。
【請求項３】
前記マークアップ言語は，ＸＭＬであることを特徴とする，請求項２に記載のビデオ信号処理装置。
【請求項４】
前記メタデータ表記形式変換部は，ＸＳＬＴエンジンであることを特徴とする，請求項３に記載のビデオ信号処理装置。
【請求項５】
前記メタデータ表記形式識別部は，前記マークアップ言語で記述されたメタデータからタグを検出することにより，前記メタデータの表記形式を識別することを特徴とする，請求項２に記載のビデオ信号処理装置。
【請求項６】
前記ビデオ信号処理装置は，前記ビデオ信号を記録媒体に記録するビデオ信号記録装置であることを特徴とする，請求項１に記載のビデオ信号処理装置。
【請求項７】
前記ビデオ信号処理装置は，前記ビデオ信号を再生するビデオ信号再生装置であることを特徴とする，請求項１に記載のビデオ信号処理装置。
【請求項８】
コンピュータをして，
ビデオ信号を処理するビデオ信号処理装置であって：
所定の言語で記述されたメタデータの表記形式を識別する，メタデータ表記形式識別部と；
予め用意されている１又は２以上の変換テーブルの中から，前記識別されたメタデータの表記形式に対応する変換テーブルを選択する，変換テーブル選択部と；
前記選択された変換テーブルに基づいて，前記メタデータの表記形式を，前記ビデオ信号処理装置が対応可能な表記形式に変換する，メタデータ表記形式変換部と；
前記表記形式が変換されたメタデータに基づいて，前記ビデオ信号に関する処理を制御する，処理制御部と；
を備えるビデオ信号処理装置として機能せしめることを特徴とする，プログラム。
【請求項９】
コンピュータ読み取り可能な記録媒体であって：
コンピュータをして，
ビデオ信号を処理するビデオ信号処理装置であって：
所定の言語で記述されたメタデータの表記形式を識別する，メタデータ表記形式識別部と；
予め用意されている１又は２以上の変換テーブルの中から，前記識別されたメタデータの表記形式に対応する変換テーブルを選択する，変換テーブル選択部と；
前記選択された変換テーブルに基づいて，前記メタデータの表記形式を，前記ビデオ信号処理装置が対応可能な表記形式に変換する，メタデータ表記形式変換部と；
前記表記形式が変換されたメタデータに基づいて，前記ビデオ信号に関する処理を制御する，処理制御部と；
を備えるビデオ信号処理装置として機能せしめることを特徴とするプログラムが記録されたコンピュータ読み取り可能な記録媒体。
【請求項１０】
ビデオ信号を処理するビデオ信号処理装置の処理方法であって：
所定の言語で記述されたメタデータの表記形式を識別する，メタデータ表記形式識別工程と；
予め用意されている１又は２以上の変換テーブルの中から，前記識別されたメタデータの表記形式に対応する変換テーブルを選択する，変換テーブル選択工程と；
前記選択された変換テーブルに基づいて，前記メタデータの表記形式を，前記ビデオ信号処理装置が対応可能な表記形式に変換する，メタデータ表記形式変換工程と；
前記表記形式が変換されたメタデータに基づいて，前記ビデオ信号に関する処理を制御する，処理制御工程と；
を含むことを特徴とする，ビデオ信号処理装置の処理方法。
【請求項１１】
ビデオ信号を記録媒体に記録するビデオ信号記録装置において：
前記ビデオ信号に関連するメタデータを所定の言語で記述して生成するメタデータ生成部と；
予め用意されている１又は２以上の変換テーブルに基づいて，少なくとも前記生成されたメタデータの表記形式を，前記記録媒体に記録されたビデオ信号を再生するビデオ信号再生装置が対応可能な表記形式に変換する，メタデータ表記形式変換部と；
前記ビデオ信号再生装置が前記ビデオ信号に関する処理を前記メタデータに基づいて制御できるように，前記表記形式が変換されたメタデータ，および前記ビデオ信号を関連付けて前記記録媒体に記録する，ビデオ信号記録部と；
を備えることを特徴とする，ビデオ信号記録装置。
【請求項１２】
前記所定の言語は，マークアップ言語であることを特徴とする，請求項１１に記載のビデオ信号記録装置。
【請求項１３】
前記マークアップ言語は，ＸＭＬであることを特徴とする，請求項１２に記載のビデオ信号記録装置。
【請求項１４】
前記メタデータ表記形式変換部は，ＸＳＬＴエンジンであることを特徴とする，請求項１３に記載のビデオ信号記録装置。
【請求項１５】
前記記録媒体は，光ディスクであることを特徴とする，請求項１１に記載のビデオ信号記録装置。
【請求項１６】
前記ビデオ信号記録装置は，さらに，
前記１又は２以上の変換テーブルの中から，少なくとも，前記ビデオ信号再生装置が対応可能な前記メタデータの表記形式に対応する変換テーブルを選択する，変換テーブル選択部；を備え，
前記メタデータ表記形式変換部は，
前記変換テーブル選択部によって選択された変換テーブルに基づいて，少なくとも前記生成されたメタデータの表記形式を，前記ビデオ信号再生装置が対応可能な表記形式に変換することを特徴とする，請求項１１に記載のビデオ信号記録装置。
【請求項１７】
コンピュータをして，
ビデオ信号を記録媒体に記録するビデオ信号記録装置であって：
前記ビデオ信号に関連するメタデータを所定の言語で記述して生成するメタデータ生成部と；
予め用意されている１又は２以上の変換テーブルに基づいて，少なくとも前記生成されたメタデータの表記形式を，前記記録媒体に記録されたビデオ信号を再生するビデオ信号再生装置が対応可能な表記形式に変換する，メタデータ表記形式変換部と；
前記ビデオ信号再生装置が前記ビデオ信号に関する処理を前記メタデータに基づいて制御できるように，前記表記形式が変換されたメタデータ，および前記ビデオ信号を関連付けて前記記録媒体に記録する，ビデオ信号記録部と；
を備えるビデオ信号記録装置として機能せしめることを特徴とする，プログラム。
【請求項１８】
コンピュータ読み取り可能な記録媒体であって：
コンピュータをして，
ビデオ信号を記録媒体に記録するビデオ信号記録装置であって：
前記ビデオ信号に関連するメタデータを所定の言語で記述して生成するメタデータ生成部と；
予め用意されている１又は２以上の変換テーブルに基づいて，少なくとも前記生成されたメタデータの表記形式を，前記記録媒体に記録されたビデオ信号を再生するビデオ信号再生装置が対応可能な表記形式に変換する，メタデータ表記形式変換部と；
前記ビデオ信号再生装置が前記ビデオ信号に関する処理を前記メタデータに基づいて制御できるように，前記表記形式が変換されたメタデータ，および前記ビデオ信号を関連付けて前記記録媒体に記録する，ビデオ信号記録部と；
を備えるビデオ信号記録装置として機能せしめることを特徴とするプログラムが記録されたコンピュータ読み取り可能な記録媒体。
【請求項１９】
ビデオ信号を記録媒体に記録するビデオ信号記録装置の処理方法であって：
前記ビデオ信号に関連するメタデータを所定の言語で記述して生成するメタデータ生成工程と；
予め用意されている１又は２以上の変換テーブルに基づいて，少なくとも前記生成されたメタデータの表記形式を，前記記録媒体に記録されたビデオ信号を再生するビデオ信号再生装置が対応可能な表記形式に変換する，メタデータ表記形式変換工程と；
前記ビデオ信号再生装置が前記ビデオ信号に関する処理を前記メタデータに基づいて制御できるように，前記表記形式が変換されたメタデータ，および前記ビデオ信号を関連付けて前記記録媒体に記録する，ビデオ信号記録工程と；
を含むことを特徴とする，ビデオ信号記録装置の処理方法。
【請求項２０】
ビデオ信号を記録媒体に記録するビデオ信号記録装置において：
前記ビデオ信号に関連するメタデータを所定の言語で記述して生成するメタデータ生成部と；
予め用意されている１又は２以上の変換テーブルの中から，少なくとも１の変換テーブルを選択する，変換テーブル選択部と；
前記記録媒体に記録されたビデオ信号を再生するビデオ信号再生装置が前記ビデオ信号に関する処理を前記メタデータに基づいて制御できるように，少なくとも前記生成されたメタデータ，前記選択された変換テーブル，および前記ビデオ信号を関連付けて前記記録媒体に記録する，ビデオ信号記録部と；
を備えることを特徴とする，ビデオ信号記録装置。
【請求項２１】
前記所定の言語は，マークアップ言語であることを特徴とする，請求項２０に記載のビデオ信号記録装置。
【請求項２２】
前記マークアップ言語は，ＸＭＬであることを特徴とする，請求項２１に記載のビデオ信号記録装置。
【請求項２３】
前記記録媒体は，光ディスクであることを特徴とする，請求項２０に記載のビデオ信号記録装置。
【請求項２４】
前記変換テーブル選択部は，少なくとも，前記ビデオ信号再生装置が対応可能な前記メタデータの表記形式に対応する変換テーブルを選択することを特徴とする，請求項２０に記載のビデオ信号記録装置。
【請求項２５】
コンピュータをして，
ビデオ信号を記録媒体に記録するビデオ信号記録装置であって：
前記ビデオ信号に関連するメタデータを所定の言語で記述して生成するメタデータ生成部と；
予め用意されている１又は２以上の変換テーブルの中から，少なくとも１の変換テーブルを選択する，変換テーブル選択部と；
前記記録媒体に記録されたビデオ信号を再生するビデオ信号再生装置が前記ビデオ信号に関する処理を前記メタデータに基づいて制御できるように，少なくとも前記生成されたメタデータ，前記選択された変換テーブル，および前記ビデオ信号を関連付けて前記記録媒体に記録する，ビデオ信号記録部と；
を備えるビデオ信号記録装置として機能せしめることを特徴とする，プログラム。
【請求項２６】
コンピュータ読み取り可能な記録媒体であって：
コンピュータをして，
ビデオ信号を記録媒体に記録するビデオ信号記録装置であって：
前記ビデオ信号に関連するメタデータを所定の言語で記述して生成するメタデータ生成部と；
予め用意されている１又は２以上の変換テーブルの中から，少なくとも１の変換テーブルを選択する，変換テーブル選択部と；
前記記録媒体に記録されたビデオ信号を再生するビデオ信号再生装置が前記ビデオ信号に関する処理を前記メタデータに基づいて制御できるように，少なくとも前記生成されたメタデータ，前記選択された変換テーブル，および前記ビデオ信号を関連付けて前記記録媒体に記録する，ビデオ信号記録部と；
を備えるビデオ信号記録装置として機能せしめることを特徴とする，プログラムが記録されたコンピュータ読み取り可能な記録媒体。
【請求項２７】
ビデオ信号を記録媒体に記録するビデオ信号記録装置の処理方法であって：
前記ビデオ信号に関連するメタデータを所定の言語で記述して生成するメタデータ生成工程と；
予め用意されている１又は２以上の変換テーブルの中から，少なくとも１の変換テーブルを選択する，変換テーブル選択工程と；
前記記録媒体に記録されたビデオ信号を再生するビデオ信号再生装置が前記ビデオ信号に関する処理を前記メタデータに基づいて制御できるように，少なくとも前記生成されたメタデータ，前記選択された変換テーブル，および前記ビデオ信号を関連付けて前記記録媒体に記録する，ビデオ信号記録工程と；
を含むことを特徴とする，ビデオ信号記録装置の処理方法。
【請求項２８】
記録媒体に記録されたビデオ信号を再生するビデオ信号再生装置において：
前記ビデオ信号が記録された記録媒体から，所定の言語で記述されたメタデータと，前記メタデータの表記形式に対応した少なくとも１の変換テーブルと，を読み出す，メタデータ読出部と；
前記読み出された少なくとも１の変換テーブルに基づいて，前記読み出されたメタデータの表記形式を，前記ビデオ信号再生装置が対応可能な表記形式に変換する，メタデータ表記形式変換部と；
前記表記形式が変換されたメタデータに基づいて，前記ビデオ信号に関連する処理を制御する，処理制御部と；
を備えることを特徴とする，ビデオ信号再生装置。
【請求項２９】
前記所定の言語は，マークアップ言語であることを特徴とする，請求項２８に記載のビデオ信号再生装置。
【請求項３０】
前記マークアップ言語は，ＸＭＬであることを特徴とする，請求項２９に記載のビデオ信号再生装置。
【請求項３１】
前記メタデータ表記形式変換部は，ＸＳＬＴエンジンであることを特徴とする，請求項３０に記載のビデオ信号記録装置。
【請求項３２】
前記記録媒体は，光ディスクであることを特徴とする，請求項２８に記載のビデオ信号再生装置。
【請求項３３】
前記ビデオ信号再生装置は，さらに，
前記読み出された少なくとも１の変換テーブルの中から，前記ビデオ信号再生装置が対応可能なメタデータの表記形式に対応する変換テーブルを選択する変換テーブル選択部；
を備え，
前記メタデータ表記形式変換部は，前記変換テーブル選択部によって選択された変換テーブルに基づいて，前記読み出されたメタデータの表記形式を，前記ビデオ信号再生装置が対応可能な表記形式に変換することを特徴とする，請求項２８に記載のビデオ信号再生装置。
【請求項３４】
コンピュータをして，
記録媒体に記録されたビデオ信号を再生するビデオ信号再生装置であって：
前記ビデオ信号が記録された記録媒体から，所定の言語で記述されたメタデータと，前記メタデータの表記形式に対応した少なくとも１の変換テーブルと，を読み出す，メタデータ読出部と；
前記読み出された少なくとも１の変換テーブルに基づいて，前記読み出されたメタデータの表記形式を，前記ビデオ信号再生装置が対応可能な表記形式に変換する，メタデータ表記形式変換部と；
前記表記形式が変換されたメタデータに基づいて，前記ビデオ信号に関連する処理を制御する，処理制御部と；
を備えるビデオ信号再生装置として機能せしめることを特徴とする，プログラム。
【請求項３５】
コンピュータ読み取り可能な記録媒体であって：
コンピュータをして，
記録媒体に記録されたビデオ信号を再生するビデオ信号再生装置であって：
前記ビデオ信号が記録された記録媒体から，所定の言語で記述されたメタデータと，前記メタデータの表記形式に対応した少なくとも１の変換テーブルと，を読み出す，メタデータ読出部と；
前記読み出された少なくとも１の変換テーブルに基づいて，前記読み出されたメタデータの表記形式を，前記ビデオ信号再生装置が対応可能な表記形式に変換する，メタデータ表記形式変換部と；
前記表記形式が変換されたメタデータに基づいて，前記ビデオ信号に関連する処理を制御する，処理制御部と；
を備えるビデオ信号再生装置として機能せしめることを特徴とする，プログラムが記録されたコンピュータ読み取り可能な記録媒体。
【請求項３６】
記録媒体に記録されたビデオ信号を再生するビデオ信号再生装置の処理方法であって：
前記ビデオ信号が記録された記録媒体から，所定の言語で記述されたメタデータと，前記メタデータの表記形式に対応した少なくとも１の変換テーブルと，を読み出す，メタデータ読出工程と；
前記読み出された少なくとも１の変換テーブルに基づいて，前記読み出されたメタデータの表記形式を，前記ビデオ信号再生装置が対応可能な表記形式に変換する，メタデータ表記形式変換工程と；
前記表記形式が変換されたメタデータに基づいて，前記ビデオ信号に関連する処理を制御する，処理制御工程と；
を含むことを特徴とする，ビデオ信号再生装置の処理方法。
【発明の詳細な説明】
【技術分野】
【０００１】
本発明は，ビデオ信号処理装置，ビデオ信号記録装置，ビデオ信号再生装置，およびこれらの装置の処理方法，プログラム，記録媒体に関する。
【背景技術】
【０００２】
近年，ＴＶ番組やビデオコンテンツなどの映像作品の制作分野では，撮影した映像素材（ビデオデータ等）に関するメタデータの利用が進んできている。かかるメタデータを有効活用するためには，映像作品の制作に利用される複数の機器間でメタデータの互換性が必要となる。例えば，ビデオカメラ等のビデオ信号記録装置が生成したメタデータを，編集機器等のビデオ信号再生装置が利用するといったケースなどでは，共用されるメタデータの互換性が求められる。
【０００３】
しかしながら，従来では，上記メタデータの表記形式や意味に一貫性がなく，同じ用途であっても互換性が全く取れなかった。このような状況の下，メタデータの表記形式の標準化が進められてきた。例えば，汎用性が高いＸＭＬ（ｅＸｔｅｎｓｉｂｌｅ  Ｍａｒｋｕｐ  Ｌａｎｇｕａｇｅ）等でメタデータを記述することにより，メタデータの表記形式の標準化を図ろうとする動きもある。しかし，それぞれの標準化団体の考え方や目標とするところが異なる結果，標準化方式とはいえども様々な形式のメタデータが存在しているのが現状である。
【０００４】
他方，究極的には，各ユーザが自身の個別要求を満たすことを目的としてメタデータを利用するので，メタデータ形式の多様化はある程度は避けられない。換言すれば，ある単一のメタデータ形式が全ての映像作品の制作分野で広く採用されることは，将来的にもあまり期待できない。たとえ，仮にそうなったとしても，各ユーザの個別ニーズに基づく，メタデータ形式の追加・拡張要求は残らざるを得ない。
【発明の開示】
【発明が解決しようとする課題】
【０００５】
上記のような多様極まるメタデータ形式に対処するためには，それぞれのメタデータの表記形式に応じた変換ツールおよび変換テーブルを個別に開発しなければならなかった。たとえ，この変換ツールが変換テーブルから独立した汎用的なものであっても，変換テーブルはあくまでメタデータの表記形式に応じた固有なものとならざるを得ないので，その都度，かかる変換テーブルを用意しなければならない点は同様であった。
【０００６】
このため，映像作品の制作に用いられる各機器が，多様な表記形式のメタデータに柔軟に対応することができないという問題があった。この結果，これら複数の機器間でメタデータを迅速かつ円滑にやり取りすることが困難であった。
【０００７】
本発明は，上記問題点に鑑みてなされたものであり，本発明の目的は，多様な表記形式のメタデータに柔軟に対応することが可能な，新規かつ改良されたビデオ信号処理装置およびその処理方法等を提供することにある。
【課題を解決するための手段】
【０００８】
上記課題を解決するため，本発明の第１の観点によれば，ビデオ信号を処理するビデオ信号処理装置が提供される。このビデオ信号処理装置は，所定の言語で記述されたメタデータの表記形式を識別する，メタデータ表記形式識別部と；予め用意されている１又は２以上の変換テーブルの中から，識別されたメタデータの表記形式に対応する変換テーブルを選択する，変換テーブル選択部と；選択された変換テーブルに基づいて，メタデータの表記形式を，ビデオ信号処理装置が対応可能な表記形式に変換する，メタデータ表記形式変換部と；表記形式が変換されたメタデータに基づいて，ビデオ信号に関する処理を制御する，処理制御部と；を備えることを特徴とする。
【０００９】
かかる構成により，ビデオ信号処理装置は，所定の言語で記述された任意の表記形式のメタデータに，柔軟に対処することができる。即ち，メタデータ表記形式識別部は，外部から取得したメタデータが，いかなる表記形式で記述されているかを識別することができる。また，変換テーブル選択部は，メタデータ表記形式識別部によって識別された表記形式と，ビデオ信号処理装置内部で認識可能な表記形式との間の変換ルールを規定した変換テーブルを選択することができる。さらに，メタデータ表記形式変換部は，変換テーブル選択部によって選択された変換テーブルの変換ルールに従って，取得したメタデータの表記形式を，ビデオ信号処理装置内部で認識可能な表記形式に変換することができる。また，処理制御部は，メタデータ表記形式変換部によって変換されたメタデータを認識，処理して，かかるメタデータを利用したビデオ信号処理装置における多様な処理を実行することができる。
【００１０】
なお，メタデータの表記形式（スキーマ）とは，例えば，メタデータの書式，データ形式，構造，文書型定義，属性表現形式，その他のメタデータの種類を含むものである。
【００１１】
また，上記メタデータ表記形式識別部は，マークアップ言語で記述されたメタデータからタグを検出することにより，メタデータの表記形式を識別するように構成してもよい。かかる構成により，メタデータ表記形式識別部は，タグ言語であるマークアップ言語で記述されたメタデータから，開始タグなどを検出するだけで，メタデータの表記形式を容易かつ迅速に特定することができる。
【００１２】
また，上記ビデオ信号処理装置は，ビデオ信号を記録媒体に記録するビデオ信号記録装置，或いは，ビデオ信号を再生するビデオ信号再生装置であるように構成してもよい。
【００１３】
また，上記課題を解決するため，本発明の別の観点によれば，コンピュータをして，上記ビデオ信号処理装置として機能せしめることを特徴とする，プログラムが提供される。
【００１４】
また，上記課題を解決するため，本発明の別の観点によれば，コンピュータ読み取り可能な記録媒体であって，：コンピュータをして，上記ビデオ信号処理装置として機能せしめることを特徴とするプログラムが記録されたコンピュータ読み取り可能な記録媒体が提供される。
【００１５】
また，上記課題を解決するため，本発明の別の観点によれば，ビデオ信号を処理するビデオ信号処理装置の処理方法が提供される。このビデオ信号処理装置の処理方法は，所定の言語で記述されたメタデータの表記形式を識別する，メタデータ表記形式識別工程と；予め用意されている１又は２以上の変換テーブルの中から，識別されたメタデータの表記形式に対応する変換テーブルを選択する，変換テーブル選択工程と；選択された変換テーブルに基づいて，メタデータの表記形式を，ビデオ信号処理装置が対応可能な表記形式に変換する，メタデータ表記形式変換工程と；表記形式が変換されたメタデータに基づいて，ビデオ信号に関する処理を制御する，処理制御工程と；を含むことを特徴とする。かかる構成により，ビデオ信号処理装置は，所定の言語で記述された任意の表記形式のメタデータに，柔軟に対処することができる。
【００１６】
また，上記課題を解決するため，本発明の別の観点によれば，ビデオ信号を記録媒体に記録するビデオ信号記録装置が提供される。このビデオ信号記録装置は，ビデオ信号に関連するメタデータを所定の言語で記述して生成するメタデータ生成部と；予め用意されている１又は２以上の変換テーブルに基づいて，少なくとも生成されたメタデータの表記形式を，記録媒体に記録されたビデオ信号を再生するビデオ信号再生装置が対応可能な表記形式に変換する，メタデータ表記形式変換部と；ビデオ信号再生装置がビデオ信号に関する処理をメタデータに基づいて制御できるように，表記形式が変換されたメタデータ，およびビデオ信号を関連付けて記録媒体に記録する，ビデオ信号記録部と；を備えることを特徴とする。
【００１７】
かかる構成により，ビデオ信号記録装置は，記録媒体を介して，自身が生成したメタデータをビデオデータとともにビデオ信号再生装置に提供することができる。このとき，ビデオ信号記録装置は，自身が生成したメタデータの表記形式を，ビデオ信号再生装置が対応可能な表記形式に予め変換する前処理を行った上で，当該メタデータをビデオ信号再生装置に提供できる。このため，ビデオ信号再生装置は，特殊な装置を具備しなくとも，ビデオ信号記録装置から取得した記録媒体に記録されているメタデータを，認識，処理することが可能となる。このように，ビデオ信号記録装置は，ビデオ信号再生装置に対して，自身のメタデータ表記形式を無理強いしないようにできる。
【００１８】
また，上記ビデオ信号記録装置は，さらに，１又は２以上の変換テーブルの中から，少なくとも，ビデオ信号再生装置が対応可能なメタデータの表記形式に対応する変換テーブルを選択する，変換テーブル選択部；を備え，メタデータ表記形式変換部は，変換テーブル選択部によって選択された変換テーブルに基づいて，少なくとも生成されたメタデータの表記形式を，ビデオ信号再生装置が対応可能な表記形式に変換するように構成してもよい。かかる構成により，変換テーブル選択部は，ビデオ信号記録装置が生成したメタデータの表記形式と，ビデオ信号再生装置が対応可能なメタデータの表記形式の双方に対応する変換テーブルを選択することができる。このように変換テーブル選択部が適切な変換テーブルを選択した上で，メタデータ表記形式変換部がメタデータの表記形式を変換できるので，効率的に変換処理を実行できる。
【００１９】
また，上記課題を解決するため，本発明の別の観点によれば，コンピュータをして，上記ビデオ信号記録装置として機能せしめることを特徴とする，プログラムが提供される。
【００２０】
また，上記課題を解決するため，本発明の別の観点によれば，コンピュータ読み取り可能な記録媒体であって，：コンピュータをして，上記ビデオ信号記録装置として機能せしめることを特徴とするプログラムが記録されたコンピュータ読み取り可能な記録媒体が提供される。
【００２１】
また，上記課題を解決するため，本発明の別の観点によれば，ビデオ信号を記録媒体に記録するビデオ信号記録装置の処理方法が提供される。このビデオ信号記録装置の処理方法は，ビデオ信号に関連するメタデータを所定の言語で記述して生成するメタデータ生成工程と；予め用意されている１又は２以上の変換テーブルに基づいて，少なくとも生成されたメタデータの表記形式を，記録媒体に記録されたビデオ信号を再生するビデオ信号再生装置が対応可能な表記形式に変換する，メタデータ表記形式変換工程と；ビデオ信号再生装置がビデオ信号に関する処理をメタデータに基づいて制御できるように，表記形式が変換されたメタデータ，およびビデオ信号を関連付けて記録媒体に記録する，ビデオ信号記録工程と；を含むことを特徴とする。かかる構成により，ビデオ信号記録装置は，自身が生成したメタデータの表記形式を，ビデオ信号再生装置が対応可能な表記形式に予め変換した上で，ビデオ信号再生装置に提供できる。
【００２２】
また，上記課題を解決するため，本発明の別の観点によれば，ビデオ信号を記録媒体に記録するビデオ信号記録装置が提供される。このビデオ信号記録装置は，ビデオ信号に関連するメタデータを所定の言語で記述して生成するメタデータ生成部と；予め用意されている１又は２以上の変換テーブルの中から，少なくとも１の変換テーブルを選択する，変換テーブル選択部と；記録媒体に記録されたビデオ信号を再生するビデオ信号再生装置がビデオ信号に関する処理をメタデータに基づいて制御できるように，少なくとも生成されたメタデータ，選択された変換テーブル，およびビデオ信号を関連付けて記録媒体に記録する，ビデオ信号記録部と；を備えることを特徴とする。
【００２３】
かかる構成により，ビデオ信号記録装置は，記録媒体を介して，自身が生成したメタデータおよびこのメタデータに対応する変換テーブルを，ビデオデータとともにビデオ信号再生装置に提供することができる。即ち，ビデオ信号およびメタデータの提供側であるビデオ信号記録装置は，ビデオ信号およびメタデータの利用側であるビデオ信号再生装置に配慮して，自身が生成したメタデータをビデオ信号再生装置側で容易に変換して利用できるように，当該メタデータに対応する変換テーブルを，未変換のメタデータとともに提供することができる。このため，ビデオ信号再生装置は，提供された変換テーブルを利用して，ビデオ信号記録装置から取得した記録媒体に記録されているメタデータを容易に変換した上で，認識，処理することが可能となる。このように，ビデオ信号記録装置は，ビデオ信号再生装置に対して，自身のメタデータ表記形式を無理強いしないようにできる。
【００２４】
また，上記変換テーブル選択部は，少なくとも，ビデオ信号再生装置が対応可能なメタデータの表記形式に対応する変換テーブルを選択するように構成してもよい。かかる構成により，変換テーブル選択部は，ビデオ信号記録装置が生成したメタデータの表記形式と，ビデオ信号再生装置が対応可能なメタデータの表記形式の双方に対応する変換テーブルを選択することができる。このため，ビデオ信号記録装置は，ビデオ信号再生装置に対して，当該メタデータを変換するために適切な変換テーブルを提供することができる。
【００２５】
また，上記課題を解決するため，本発明の別の観点によれば，コンピュータをして，上記ビデオ信号処理装置として機能せしめることを特徴とする，プログラムが提供される。
【００２６】
また，上記課題を解決するため，本発明の別の観点によれば，コンピュータ読み取り可能な記録媒体であって，：コンピュータをして，上記ビデオ信号処理装置として機能せしめることを特徴とするプログラムが記録されたコンピュータ読み取り可能な記録媒体が提供される。
【００２７】
また，上記課題を解決するため，本発明の別の観点によれば，ビデオ信号を記録媒体に記録するビデオ信号記録装置の処理方法が提供される。このビデオ信号記録装置の処理方法は，ビデオ信号に関連するメタデータを所定の言語で記述して生成するメタデータ生成工程と；予め用意されている１又は２以上の変換テーブルの中から，少なくとも１の変換テーブルを選択する，変換テーブル選択工程と；記録媒体に記録されたビデオ信号を再生するビデオ信号再生装置がビデオ信号に関する処理をメタデータに基づいて制御できるように，少なくとも生成されたメタデータ，選択された変換テーブル，およびビデオ信号を関連付けて記録媒体に記録する，ビデオ信号記録工程と；を含むことを特徴とする。かかる構成により，ビデオ信号記録装置は，記録媒体を介して，自身が生成したメタデータおよびこのメタデータを変換する際に必要な変換テーブルを，ビデオデータとともにビデオ信号再生装置に提供することができる。
【００２８】
また，上記課題を解決するため，本発明の別の観点によれば，記録媒体に記録されたビデオ信号を再生するビデオ信号再生装置が提供される。このビデオ信号再生装置は，ビデオ信号が記録された記録媒体から，所定の言語で記述されたメタデータと，メタデータの表記形式に対応した少なくとも１の変換テーブルと，を読み出す，メタデータ読出部と；読み出された少なくとも１の変換テーブルに基づいて，読み出されたメタデータの表記形式を，ビデオ信号再生装置が対応可能な表記形式に変換する，メタデータ表記形式変換部と；表記形式が変換されたメタデータに基づいて，ビデオ信号に関連する処理を制御する，処理制御部と；
を備えることを特徴とする。
【００２９】
かかる構成により，ビデオ信号再生装置は，記録媒体から読み出した変換テーブルを利用して，ビデオ信号記録装置から取得したメタデータを，自己の対応可能な表記形式に容易に変換することができる。このため，ビデオ信号再生装置の処理制御部は，メタデータ表記形式変換部によって変換されたメタデータを認識，処理して，かかるメタデータを利用したビデオ信号再生装置における多様な処理を実行することができる。
【００３０】
また，上記ビデオ信号再生装置は，さらに，読み出された少なくとも１の変換テーブルの中から，ビデオ信号再生装置が対応可能なメタデータの表記形式に対応する変換テーブルを選択する変換テーブル選択部；を備え，メタデータ表記形式変換部は，変換テーブル選択部によって選択された変換テーブルに基づいて，読み出されたメタデータの表記形式を，ビデオ信号再生装置が対応可能な表記形式に変換するように構成してもよい。かかる構成により，変換テーブル選択部は，ビデオ信号記録装置が生成したメタデータの表記形式と，ビデオ信号再生装置が対応可能なメタデータの表記形式の双方に対応する変換テーブルを選択することができる。このように変換テーブル選択部が適切な変換テーブルを選択した上で，メタデータ表記形式変換部がメタデータの表記形式を変換できるので，効率的に変換処理を実行できる。
【００３１】
また，上記課題を解決するため，本発明の別の観点によれば，コンピュータをして，上記ビデオ信号再生装置として機能せしめることを特徴とする，プログラムが提供される。
【００３２】
また，上記課題を解決するため，本発明の別の観点によれば，コンピュータ読み取り可能な記録媒体であって，：コンピュータをして，上記ビデオ信号再生装置として機能せしめることを特徴とするプログラムが記録されたコンピュータ読み取り可能な記録媒体が提供される。
【００３３】
また，上記課題を解決するため，本発明の別の観点によれば，記録媒体に記録されたビデオ信号を再生するビデオ信号再生装置の処理方法が提供される。このビデオ信号再生装置の処理方法は，ビデオ信号が記録された記録媒体から，所定の言語で記述されたメタデータと，メタデータの表記形式に対応した少なくとも１の変換テーブルと，を読み出す，メタデータ読出工程と；読み出された少なくとも１の変換テーブルに基づいて，読み出されたメタデータの表記形式を，ビデオ信号再生装置が対応可能な表記形式に変換する，メタデータ表記形式変換工程と；表記形式が変換されたメタデータに基づいて，ビデオ信号に関連する処理を制御する，処理制御工程と；を含むことを特徴とする。かかる構成により，ビデオ信号再生装置は，記録媒体から読み出した変換テーブルを利用して，ビデオ信号記録装置から取得したメタデータを，自己の対応可能な表記形式に容易に変換することができる。
【００３４】
さらに，以上のようなビデオ信号処理装置，ビデオ信号記録装置，ビデオ信号再生装置，これら装置の処理方法，プログラムおよび記録媒体においては，以下のように構成されてもよい。
【００３５】
即ち，上記所定の言語は，マークアップ言語であるように構成してもよい。さらに，このマークアップ言語は，ＸＭＬ（ｅＸｔｅｎｓｉｂｌｅ  Ｍａｒｋｕｐ  Ｌａｎｇｕａｇｅ）であるように構成してもよい。かかる構成により，汎用性が高く，分かり易い言語で，メタデータを記述できる。
【００３６】
さらに，上記メタデータ表記形式変換部は，ＸＳＬＴエンジンであるように構成してもよい。かかる構成により，ＸＭＬで記述されたメタデータを変換するための変換エンジンを容易に構成できる。
【００３７】
また，上記記録媒体は，光ディスクであるように構成してもよい。
【発明の効果】
【００３８】
以上説明したように，本発明によれば，ビデオ信号処理装置は，多様な表記形式のメタデータの入出力に対して柔軟に対応することができる。このため，複数のビデオ信号処理装置間でメタデータを共用して有効利用できるので，映像作品の制作の効率化や品質向上を図ることができる。
【発明を実施するための最良の形態】
【００３９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００４０】
（第１の実施の形態）
以下に，本発明の第１の実施の形態について説明する。第１の実施形態にかかるビデオ信号処理装置は，対応不能な形式のメタデータを取得した場合に，このメタデータを自己が対応可能な表示形式に変換し，かかる変換したメタデータに基づいて各種のビデオ信号に関する処理を実行できることを特徴とする。以下に，かかる特徴を実現するためのビデオ信号処理装置について詳細に説明する。
【００４１】
＜１．映像プログラム制作支援システム＞
まず，本実施形態にかかるビデオ信号処理装置が採用される映像プログラム制作支援システムの全体構成について説明する。
【００４２】
映像プログラム制作支援システムは，例えば，テレビ放送局や，ビデオコンテンツ，映画等の制作会社などに設けられ，ＴＶ番組，ビデオコンテンツ，映画などの映像作品である映像プログラムを制作するためのシステムである。本実施形態にかかる映像プログラム制作支援システムの特徴は，映像プログラムの制作を分担する各部署で用いられる複数の端末装置間で，電子ファイル形式のメタデータ（詳細については後述する。）を，共用できる点にある。
【００４３】
ここで，図１に基づいて，本実施形態にかかる映像プログラム制作支援システムの構成について説明する。なお，図１は，本実施形態にかかる映像プログラム制作支援システムの概略的な構成を示すブロック図である。
【００４４】
図１に示すように，本実施形態にかかる映像プログラム制作支援システム１は，例えば，ネットワーク５と，企画用端末装置１０と，撮像装置４０およびフィールドＰＣ／ＰＤＡ（以下，フィールドＰＣという。）５０などからなる取材用端末装置２０と，編集用端末装置３０と，から主に構成される。
【００４５】
ネットワーク５は，例えば，企画用端末装置１０，撮像装置４０，フィールドＰＣ５０および編集用端末装置３０などを相互に双方向通信可能に接続する電気通信回線網である。このネットワーク５は，本実施形態では，例えば，ＲＳ−４２２又はＲＳ−２３２Ｃなどの有線通信回線と，ＩＥＥＥ８０２．１１ａ規格などを始めとした無線通信回線などから構成される。しかし，ネットワーク５は，かかる例に限定されず，この他にも，例えば，ＦＤＤＩ（Ｆｉｂｅｒ  Ｄｉｓｔｒｉｂｕｔｅｄ  Ｄａｔａ  Ｉｎｔｅｒｆａｃｅ）などの光ファイバ網，衛星通信網，イーサネット（登録商標），ＬＡＮ，インターネットなどの各種の専用または公衆回線網を利用して構成されてもよい。
【００４６】
かかるネットワーク５は，例えば，企画用端末装置１０が生成したメタデータを，撮像装置４０およびフィールドＰＣ５０（即ち，取材用端末装置２０）などに伝送することができる。また，ネットワーク５は，例えば，撮像装置４０が記録したビデオデータや，撮像装置４０およびフィールドＰＣ５０が生成・編集したメタデータなどを，編集用端末装置３０などに伝送することができる。
【００４７】
なお，映像プログラム制作支援システム１は，例えば，このようなネットワーク５を必ずしも具備していなくともよい。この場合には，各端末装置間で，例えば，光ディスク３，メモリーカード，メモリースティック，磁気ディスク等の各種の記録媒体を介して，メタデータなどをやり取りしてもよい。
【００４８】
また，企画用端末装置１０，取材用端末装置２０，編集用端末装置３０は，例えば，映像プログラムの制作を分担する複数の部署のうち，それぞれ，企画構成部署，取材部署，編集部署などによって利用される端末装置である。
【００４９】
企画用端末装置１０は，例えば，パーソナルコンピュータなどの情報処理装置及びその周辺装置などで構成されており，企画構成部署に設けられる。この企画構成部署とは，映像プログラムの制作全体を統括する部署であって，制作する映像プログラムの企画・構想を行ってシナリオ（筋書）を作成するとともに，取材部署および編集部署等の他部署に制作作業内容を指示する部署である。  
【００５０】
上記企画用端末装置１０は，電子ファイル形式のメタデータを生成するメタデータ生成部（図示せず。）を備えている。このメタデータ生成部は，例えば，メタデータを生成するためのアプリケーションソフトウエアを，企画用端末装置１０にインストールすることにより構成される。かかるメタデータ生成部は，例えば，企画構成部署担当者の入力に基づいてメタデータのコンテンツを取得し，かかるコンテンツを例えばＸＭＬ（ｅＸｔｅｎｓｉｂｌｅ  Ｍａｒｋｕｐ  Ｌａｎｇｕａｇｅ）などの所定の言語の所定の表記形式（スキーマ）で記述してメタデータファイルを作成することができる。なお，このメタデータの表記形式は，例えば，企画用端末装置１０が対応（認識）可能な任意の表記形式であってよい。  
【００５１】
かかる企画用端末装置１０は，メタデータとして，例えば，プログラムメタデータ（詳細は後述する。）を映像プログラム毎に生成することができる。詳細には，企画用端末装置１０は，例えば，上記プログラムメタデータの枠組みを作成する。さらに，企画用端末装置１０は，企画構成部署担当者の入力に基づいて制作指示情報を生成し，上記作成したプログラムメタデータ内の該当欄に，この制作指示情報を書き込む。この制作指示情報とは，例えば，企画構成部署が他部署に対して映像プログラムの制作内容を指示するための情報であり，企画構成部署によって作成されたシナリオに該当するものである。  
【００５２】
また，企画用端末装置１０は，例えば，上記のように生成したメタデータを，取材用端末装置２０等に提供することができる。かかるメタデータの提供は，ネットワーク５を介した送信によってなされてもよく，或いは，メモリーカードなどの記録媒体を介して実現されてもよい。このようにして，企画用端末装置１０が例えば上記制作指示情報を含むプログラムメタデータを取材用端末装置２０などに提供することにより，企画構成部署は，取材部署などに対して取材・撮影すべき場面や内容等を指示することができる。
【００５３】
また，取材用端末装置２０は，取材部署によって利用される端末装置群であり，例えば，撮像装置４０とフィールドＰＣ５０などから構成される。この取材部署とは，例えば，上記企画構成部署による制作指示，シナリオなどに従って，制作現場で実際に取材を行う部署であって，映像プログラムを構成する各場面の映像を撮影するとともに，撮影状況を取材する部署である。
【００５４】
撮像装置４０は，例えば，カムコーダなどのビデオカメラであり，放送用のニュース番組の取材や，スポーツなどの試合の模様，映画などの映像コンテンツの撮影に使用される装置である。本実施形態では，この撮像装置４０は，ビデオ信号を処理するビデオ信号処理装置であって，撮影したビデオ信号を記録する処理を行うビデオ信号記録装置として構成されている。
【００５５】
即ち，撮像装置４０は，例えば，映像プログラムを構成する各場面の映像（音声を含む。）を撮影することができる。この撮影処理は，例えば，テイクを複数回繰り返すことによって，進行していく。例えば，撮像装置４０は，ある場面について１または２回以上のテイクを行い，次いで，異なる場面についてさらに１または２回以上のテイクを行う。なお，このテイクとは，撮像装置４０による１回の記録開始から終了に至るまでの連続した撮影処理をいう。換言すると，このテイクは，映像プログラムの撮影段階における撮影処理の最小単位である。なお，映像作品の制作分野では，このテイクは，「クリップ」，「ショット」または「カット」等と呼ばれる場合もある。
【００５６】
また，撮像装置４０は，例えば，上記撮影したビデオ信号（映像信号及び／又は音声信号をいう。）を，光ディスク３等の記録媒体に記録することができる。換言すると，撮像装置４０は，例えば，撮影処理によって生成したビデオデータを当該記録媒体に記録することができる。なお，このビデオデータとは，撮像装置４０によって撮影された内容を表す映像データ及び／又は音声データである，かかるビデオデータは，例えば，ＴＶ番組，映画などの動画像データ，写真や絵画などの静止画像データ，ラジオ番組などの音声データ，字幕データ，或いはこれらの組合せなどから構成される。さらに，撮像装置４０は，かかるビデオデータを上記テイクごとに記録することができる。即ち，撮像装置４０が，例えば，テイクを２回実行すれば，２つのビデオデータファイルが記録されることになる。
【００５７】
また，このビデオデータが記録される光ディスク３は，本実施形態では，例えば，大容量（例えば数百ギガバイト）のビデオデータを記録可能な大容量・次世代光ディスクなどで構成される。しかし，光ディスク３は，かかる例に限定されず，例えば，ＤＶＤ−Ｒ，ＤＶＤ−ＲＯＭ，ＤＶＤ−ＲＡＭ，ＣＤ−Ｒ，ＣＤ−ＲＯＭ等の各種の光ディスクであってもよい。また，撮像装置４０がビデオデータを記録する記録媒体としては，上記光ディスク３の例に限定されず，例えば，ＭＯ等の光磁気ディスク，フレキシブルディスク等の磁気ディスク，デジタルＶＴＲフォーマットのビデオテープ等の磁気テープ，各種のＲＡＭ，ＲＯＭなどであってもよい。
【００５８】
また，撮像装置４０は，ビデオデータとして，例えば，オリジナル映像だけでなく，ローレゾリューション（ｌｏｗ  ｒｅｓｏｌｕｔｉｏｎ：低解像度）映像を光ディスク３に記録することも可能である。ここでいうオリジナル映像とは，撮像装置４０が撮像した生のビデオデータである。このオリジナル映像は，大容量であるが高画質であるので，映像プログラムの完成品に用いられる。一方，ローレゾリューション映像（以下ローレゾ映像という。）は，上記オリジナル映像を圧縮したビデオデータである。このローレゾ映像は，比較的低画質だが小容量であるので，送信が迅速かつ容易であるという利点を有し，主に粗編集段階で用いられる。
【００５９】
さらに，このような撮像装置４０の本実施形態にかかる特徴は，以下の通りである。即ち，撮像装置４０は，例えば，上記企画用端末装置１０など外部の機器から，ネットワーク５または記録媒体を介して，各種のメタデータを取得することができる。また，撮像装置４０は，このように外部から取得したメタデータの表記形式を，自己が対応可能な表記形式に変換することができる。さらに，撮像装置４０は，上記変換により認識可能となったメタデータに基づいて，ビデオ信号に関する各種処理を制御できる。
【００６０】
さらに，この撮像装置４０は，上記取得したメタデータを編集することができる。また，撮像装置４０は，テイクメタデータ（詳細は後述する。）等のメタデータを自ら生成することも可能である。このようなメタデータの編集処理や生成処理は，例えば，ＸＭＬ等でメタデータを記述することにより実行されるが，この際のメタデータの表記形式は，例えば，撮像装置４０自身が対応可能な表記形式であってよい。以上のような撮像装置４０の特徴の詳細については後述する。
【００６１】
一方，フィールドＰＣ５０は，例えば，ノート型のパーソナルコンピュータまたはＰＤＡ（ｐｅｒｓｏｎａｌ  ｄｉｇｉｔａｌ  ａｓｓｉｓｔａｎｔ）などの携帯可能なコンピュータ及びその周辺装置などで構成される。このフィールドＰＣは，上記撮像装置４０と各種の有線または無線回線などで接続されており，例えば，メタデータや記録したビデオデータを共用することもできる。
【００６２】
このフィールドＰＣ５０は，例えば，上記企画用端末装置１０または撮像装置４０などの他の機器から，ネットワーク５または記録媒体を介してメタデータを取得することができる。さらに，かかるフィールドＰＣ５０は，例えば，後述する撮像装置４０のメタデータ変換機能と略同一の機能を有するように構成されてもよい。これにより，フィールドＰＣ５０は，例えば，上記取得したメタデータの表記形式を，自己が対応可能な表記形式に変換し，かかる変換により認識可能となったメタデータに基づいて，自己の各種処理を制御することができる。
【００６３】
かかる処理の例を挙げると，フィールドＰＣ５０は，例えば，取得したメタデータを所定の表示部に表示して，取材部署担当者にメタデータの内容を認識させることができる。また，フィールドＰＣ５０は，例えば，取材部署担当者の入力に基づいて，取材時における撮影状況に関するメタデータである撮影状況情報を上記プログラムメタデータに追加することができる。
【００６４】
このように，フィールドＰＣ５０は，例えば取得したメタデータを編集することができる。かかるフィールドＰＣ５０によるメタデータの編集機能は，例えば，メタデータを編集するためのアプリケーションソフトウエアを，フィールドＰＣ５０にインストールすることによって実現可能である。なお，このようなメタデータの編集処理は，例えば，ＸＭＬ等でメタデータを記述することにより実行されるが，この際のメタデータの表記形式は，フィールドＰＣ５０自身が対応可能な表記形式であってよい。  
【００６５】
また，例えば，フィールドＰＣ５０が対応可能な表記形式を，上記撮像装置４０が対応可能な表記形式と同一にした場合には，フィールドＰＣ５０が上記メタデータ変換機能を具備せずともよくなる。即ち，フィールドＰＣ５０は，撮像装置４０から変換後のメタデータを取得することで，当該メタデータに基づいて上記メタデータ編集処理などの各種処理を実行できるようになる。
【００６６】
編集用端末装置３０は，例えば，パーソナルコンピュータなどの情報処理装置及びその周辺装置などで構成されており，編集部署に設けられる。この編集部署とは，例えば，上記企画構成部署からの制作指示，シナリオや，取材段階で得た取材状況，撮像条件などに基づいて，上記撮像装置４０が記録したビデオデータを編集して，映像プログラムを完成させる部署である。本実施形態では，この編集用端末装置３０は，上記ビデオ信号処理装置であって，上記ビデオ信号記録装置（即ち，撮像装置４０）によって記録媒体に記録されたビデオ信号を再生するビデオ信号再生装置として構成されている。
【００６７】
即ち，編集用端末装置３０は，例えば，記録媒体に記録されたビデオデータを再生するとともに，このビデオデータを編集することができる。より詳細には，例えば，上記撮像装置４０から，光ディスク３等を介してビデオデータを取得することができる。また，この編集用端末装置３０は，例えば光ディスク３に記録されているビデオデータを，例えば，テイク毎に単独再生，或いは好適な順序で連続再生して表示することができる。さらに，この編集用端末装置３０は，例えば，かかるビデオデータの編集処理を支援することができる。この編集処理は，例えば，粗編集処理と本編集処理とからなる。
【００６８】
粗編集処理とは，次のような処理である。まず，上記テイクごとに記録された複数のビデオデータの中から，本編集で使用すべきビデオデータを収集する。さらに，収集されたビデオデータの中から，必要な映像部分を選択（Ｌｏｇｇｉｎｇ）する。次いで，選択された映像部分に対応した編集開始位置（Ｉｎ点）または編集終了位置（Ｏｕｔ点）を例えばタイムコード等によって設定して，ビデオデータの中から必要部分を抽出（Ｉｎｇｅｓｔｉｎｇ）する。
【００６９】
また，本編集処理とは，例えば，上記粗編集を経た複数のビデオデータを切り出して繋ぎ合わせ，最終的な画質調整等を施し，番組などで放映するための完全パッケージデータを作成する処理である。
【００７０】
さらに，このような編集用端末装置３０の本実施形態にかかる特徴は，以下の通りである。即ち，編集用端末装置３０は，例えば，上記撮像装置４０など外部の機器から，ネットワーク５または光ディスク３などを介して，各種のメタデータを取得することができる。また，編集用端末装置３０は，このように外部から取得したメタデータの表記形式を，自己が対応可能な表記形式に変換することができる。さらに，編集用端末装置３０は，上記変換により認識可能となったメタデータに基づいて，ビデオ信号に関する各種処理を制御できる。
【００７１】
さらに，この編集用端末装置３０は，上記取得したメタデータを編集することができる。このようなメタデータの編集処理は，例えば，ＸＭＬ等でメタデータを記述することにより実行されるが，この際のメタデータの表記形式は，例えば，編集用端末装置３０自身が対応可能な表記形式であってよい。以上のような編集用端末装置３０の特徴の詳細については後述する。
【００７２】
以上，本実施形態にかかる映像プログラム制作支援システム１およびその構成要素の概略について説明した。かかる映像プログラム制作支援システム１は，システムを構成する上記複数の端末装置（ビデオ信号処理装置）間で，映像プログラムの制作に関する各種のメタデータを，その表記形式にかかわらず相互にやり取りして，映像プログラムの制作に利用できるという利点を有する。この利点は，例えば，メタデータの受け側である撮像装置４０，フィールドＰＣ５０および編集用端末装置３０などが，受け取ったメタデータを自己が認識可能な表記形式に柔軟に変換できるという機能を有することによって実現されるものである。
【００７３】
＜２．メタデータ＞
次に，本実施形態にかかるメタデータについて，具体例を挙げながら詳細に説明する。
【００７４】
＜２．１  メタデータの概容＞
「メタデータ」とは，あるデータに関する上位データであり，各種データの内容や属性を表すためのインデックス（しおり）として機能するデータをいう。かかるメタデータの具体例としては，例えば，映像プログラムの制作内容を指示する制作指示情報データ（シナリオデータ），取材時に取得した撮影状況等に関する撮影状況情報データ，ビデオデータについてのテイク毎の撮影条件や機器のセットアップ等に関する撮影条件情報データ，テイク毎に撮影したビデオデータとシナリオとを結びつけるテイク関連付け情報データ，ビデオデータ内の代表的な静止画像に関するサムネイルデータ，およびビデオデータのコンテンツの特徴点に関する電子マークデータ，などがある。
【００７５】
このようなメタデータは，映像プログラムを制作する上で非常に有用な情報である。例えば，各部署の担当者は，かかるメタデータを閲覧することにより，撮影したビデオデータのインデックス情報を得たり，制作指示内容や取材結果内容，シナリオとビデオデータの対応関係を確認したりすることができる。また，各部署に設けられる上記各端末装置は，かかるメタデータを自動認識することにより，例えば，セットアップ情報やビデオデータ内の特徴点に関する情報を取得したり，シナリオとビデオデータの対応関係を把握したりすることができる。
【００７６】
また，かかるメタデータは，各部署（各端末装置）内だけで独立して利用される場合であっても有用であるが，さらに，かかるメタデータを複数の部署（端末装置）間で共通して利用可能に構成することにより，映像プログラムの制作効率や品質をより高めることができる。
【００７７】
このように複数の部署および装置間でメタデータを共用するためには，例えば，当該メタデータの表記形式がある程度は統一されていることが好ましい。このため，本実施形態では，例えば，メタデータを記述するための言語を１つの言語で統一している。これにより，メタデータの表記形式をある程度は標準化して，互換性を高めることができる。さらに，本実施形態では，かかるメタデータを記述するための言語として，例えばＸＭＬを採用している。このＸＭＬは，拡張可能なマークアップ言語であり，汎用性が高く，文法が比較的単純で修得しやすいという利点を有する。このため，かかるＸＭＬでメタデータを記述することにより，不特定のユーザがメタデータの記述内容を容易に理解，修正することができる。
【００７８】
＜２．２  プログラムメタデータ＞
次に，図２に基づいて，本実施形態で利用されるメタデータの具体例であるプログラムメタデータについて説明する。なお，図２は，本実施形態にかかるプログラムメタデータの構成を例示する説明図である。
【００７９】
プログラムメタデータは，例えば，映像プログラムの制作に必要な各種のメタデータが表形式で構造化された表データ（即ち，構成表メタデータ）であり，例えば，映像プログラム毎に１つのメタデータファイルで管理されるものである。
【００８０】
このプログラムメタデータは，図２に示すように，例えば，映像プログラムの構成単位である取材，シーン，カットなどに応じて，プログラム識別階層，取材階層，シーン階層，カット階層などからなる階層構造を有している。なお，カットとは，企画段階（即ち，シナリオ作成時）における映像プログラムを構成する最小単位である。図２の例では，映像プログラムは例えば１３つのカットから構成されている。また，シーンとは，企画段階における映像プログラムを構成する中規模単位であり，１又は２以上の上記カットから構成される。図２の例では，映像プログラムは例えば５つのシーンから構成されている。また，取材とは，企画段階における映像プログラムを構成する最大単位であり，１又は２以上の上記シーンから構成される。図２の例では，映像プログラムは例えば２つの取材から構成されている。このように，プログラムメタデータは，プログラム識別階層を頂点とし，取材階層，シーン階層，カット階層に遷移するにつれて徐々に細分化されるようなツリー構造を有する。
【００８１】
また，プログラムメタデータの各階層において，例えば，上方の欄に記入されている取材，シーン，カットほど，シナリオ順が先であることを示す。例えば，図２に示す映像プログラムを構成する５つのシーンのうち，最上段の欄のシーンがシナリオの最初のシーンであり，一方，最下段の欄のシーンがシナリオの最終のシーンとなる。
【００８２】
次に，上記のような階層構造を有するプログラムメタデータの内容について説明する。プログラムメタデータには，例えば，上記制作指示情報，撮影状況情報およびテイク関連付け情報等のメタデータが含まれている。これらのうち，例えば，制作指示情報および撮影状況情報は，階層構造化されて各階層に含まれている。これにより，映像プログラムの制作指示（シナリオ）や取材中に得た情報等の制作者の意図や認識に関連するメタデータを，明確かつ簡潔に表現することができる。一方，テイク関連付け情報は，例えば，カット階層にのみ含まれている。以下に，この制作指示情報，撮影状況情報およびテイク関連付け情報についてそれぞれ説明する。
【００８３】
まず，制作指示情報は，企画構成部署が，取材部署や編集部署などに映像プログラムの制作内容を指示するために作成するメタデータであり，映像プログラムのシナリオに該当するメタデータである。この制作指示情報データは，例えば，企画構成部署担当者の入力に基づいて上記企画用端末装置１０などによって生成され，プログラムメタデータ内の該当欄に書き込まれる。映像プログラムの制作を分担する各部署は，かかる制作指示情報を閲覧することにより，制作指示内容，シナリオなどを把握できる。
【００８４】
かかる制作指示情報は，例えば，プログラムメタデータにおいて，プログラム識別階層全体，取材階層の「取材指示」，シーン階層の「シーン指示」，およびカット階層の「カット指示」の欄に含まれる。
【００８５】
具体的には，図２に示すように，プログラム識別階層の欄には，例えば，当該プログラムメタデータに対応する映像プログラムを識別するための識別データとして，映像プログラムＩＤ（［ＩＤ］の項目）と，映像プログラムのタイトル名（［Ｔｔｌ］の項目）などの情報が含まれている。
【００８６】
また，取材階層の「取材指示」の欄には，上記制作指示情報として，例えば，取材毎に付される固有のＩＤである取材ＩＤ（［ＩＤ］の項目），取材タイトル（［Ｔｔｌ］の項目），当該取材を担当するカメラマン名（［Ｃａｍ］の項目），当該取材を担当するレポータ名（［Ｒｅｐ］の項目），当該取材の場所（［Ｐｌｃ］の項目），当該取材の開始時刻および終了時刻の指示（［Ｔｉｍ］の項目），当該取材の目的，概要などの取材指示内容（［Ｄｓｃ］の項目）などの情報が含まれる。
【００８７】
また，シーン階層の「シーン指示」の欄には，上記制作指示情報として，例えば，取材を構成する各シーンに対して例えば通し番号で付されるシーン番号（［Ｎｏ］の項目），シーンタイトル（［Ｔｔｌ］の項目），当該シーンの概要，展開などシーン構成を指示するための取材指示内容（［Ｄｓｃ］の項目）などが含まれる。
【００８８】
また，カット階層の「カット指示」の欄には，上記制作指示情報として，例えば，シーンを構成する各カットに対して例えば通し番号で付されるカット番号（［Ｎｏ］の項目），撮影すべきカット内容を指示するためのカットタイトル（［Ｔｔｌ］の項目）などの情報が含まれる。
【００８９】
また，撮影状況情報は，例えば，カット階層以上の各階層（例えば，カット階層，シーン階層，取材階層等）に対応した撮影状況に関するメタデータである。かかる撮影状況情報は，例えば，取材部署担当者の入力に基づいてフィールドＰＣ５０などによって生成され，プログラムメタデータ内の該当欄に書き込まれる。映像プログラムの制作を分担する各部署は，かかる撮影状況情報を閲覧することにより，映像撮影時における撮影状況を把握できる。
【００９０】
かかる撮影状況情報は，例えば，プログラムメタデータにおいて，取材階層の「取材メモ」，シーン階層の「シーンメモ」，およびカット階層の「カットメモ」の欄に含まれる。
【００９１】
具体的には，取材階層の「取材メモ」の欄には，上記撮影状況情報として，例えば，取材担当者が取材全体を通して気づいた連絡事項，注意事項および提案事項，取材場所の特徴および印象，取材作業全体で発生した事項などの取材メモ内容（［Ｄｓｃ］の項目）などの情報が含まれる。
【００９２】
また，シーン階層の「シーンメモ」の欄には，上記撮影状況情報として，例えば，取材担当者がシーンレベルで気づいた連絡事項，注意事項および提案事項，撮影したシーンの特徴および印象，シーンの撮影作業で発生した事項などのシーンメモ内容（［Ｄｓｃ］の項目）などの情報が含まれる。
【００９３】
また，カット階層の「カットメモ」の欄には，上記撮影状況情報として，例えば，取材担当者がカットレベルで気づいた連絡事項，注意事項および提案事項，撮影したカットの特徴および印象，カットの撮影作業で発生した事項などのカットメモ内容（［Ｄｓｃ］の項目）などの情報が含まれる。
【００９４】
また，テイク関連付け情報は，上記テイクのビデオデータなどを，カットに関連付けるためのメタデータである。かかるテイク関連付け情報は，例えば，取材部署または編集部署担当者の入力に基づいて，取材用端末装置２０または編集用端末装置３０によって生成され，プログラムメタデータのカット階層内の「テイク関連付け情報」の欄に書き込まれる。映像プログラムの制作を分担する各部署は，かかるテイク関連付け情報を閲覧することにより，カットに対していかなるテイクが割り当てられているかを把握できる。さらに，編集用端末装置３０なども，例えば，かかるテイク関連付け情報に基づいて，カットとテイクの関連性を自動的に判断することができる。
【００９５】
より具体的には，このテイク関連付け情報は，図２に示すように，例えば，「テイクデータ」（「テイク番号」，「Ｉｎ点」および「Ｏｕｔ点」）情報，「ＯＫ／ＮＧ」情報，「ビデオファイル名」情報，「ローレゾファイル名」情報および「テイクメタデータファイル名」情報などからなる。
【００９６】
「テイクデータ」の欄には，例えば，テイク毎に付される固有の番号であるテイク番号（［Ｎｏ］の項目），編集作業において決定された編集開始位置（Ｉｎ点）のタイムコードであるＩｎ点情報（［Ｉｎ］の項目）と，編集終了位置（Ｏｕｔ点）のタイムコードであるＯｕｔ点情報（［Ｏｕｔ］の項目）などの情報が含まれる。
【００９７】
また，「ＯＫ／ＮＧ」の欄には，例えば，当該カットに関連付けられた１又は２以上のテイクの中から，いずれを採用（「ＯＫ」）し，いずれを不採用（「ＮＧ」）とするかを表す情報であるＯＫ／ＮＧ情報が含まれる。
【００９８】
また，「ビデオファイル名」の欄には，当該テイクのオリジナル映像が記録されているファイル名の情報が含まれ，「ローレゾファイル名」の欄には，当該テイクのローレゾ映像が記録されているファイル名の情報が含まれる。また，「テイクメタデータファイル名」の欄には，関連付けられたテイクに対応するテイクメタデータ（後述する）のファイル名の情報が含まれる。
【００９９】
上記のような情報を含むテイク関連付け情報によって，プログラムメタデータ内のカットに対して，テイクを従属させることができる。例えば，図２の例では，プログラムＩＤ：「Ｐ２００２−１０」，取材ＩＤ：「Ａ２００２−１００１」，シーン番号：「１」，カット番号：「１」で特定されるカット（最上段の欄のカット）には，テイク番号「１」および「２」で特定される２つのテイクがリンクされている。このように，テイク関連付け情報は，企画構成部署側で意図したカットと，取材部署側で得た実際の映像素材とを結びつける機能を有する。
【０１００】
以上，図２に基づいて，プログラムメタデータの構成及び内容について説明した。なお，プログラムメタデータの内容は，上記例に限定されず，上記以外にも，例えば，取材用機材の指示，制作スケジュール，作業の進捗状況，代表的な静止画像（サムネイルデータ），他部署の作業に関するメモなど，映像プログラムの制作に関わる各種のメタデータを含むようにしてもよい。
【０１０１】
ところで，上記図２では，説明の便宜のため，プログラムメタデータを表形式で表示された態様で表現した。しかし，かかるプログラムメタデータは，実際には，例えばＸＭＬで記述されたＸＭＬ文書データである。
【０１０２】
ここで，図３および図４に基づいて，本実施形態にかかるプログラムメタデータのＸＭＬによる記述例について説明する，なお，図３および図４は，上記図２で説明したプログラムメタデータのＸＭＬによる記述例を示す説明図である。
【０１０３】
図３および図４に示すように，プログラムメタデータは，例えば，本願発明者らがプログラムメタデータ用に独自に開発したＸＭＬ表記形式で記述されている。当該プログラムメタデータの表記形式が，かかる独自のＸＭＬ表記形式であることは，例えば，実質的な先頭の開始タグである＜ＰｒｏｇｒａｍＭｅｔａｄａｔａ  ｉｄ＝“Ｐ２００２−１０”  ｔｉｔｌｅ＝“東西麺つゆの境界線”＞のタグ（即ち，「Ｂ」のタグ）により，識別することができる。
【０１０４】
かかるプログラムメタデータの記述内容を詳細に説明すると，まず，「Ａ」の部分は，ＸＭＬ宣言を行う部分である。また，「Ｂ」および「Ｂ’」の部分は，上記プログラム識別階層に含まれる情報が記述されている部分であり，かかる部分により当該プログラムメタデータがいかなる映像プログラムに属するものであるかを識別することができる。また，「Ｃ」および「Ｃ’」のタグは，これらのタグで囲まれる部分には，プログラムメタデータのコンテンツが記述されていることを表す。
【０１０５】
「Ｄ」の部分は，取材ＩＤが「Ａ２００２−１００１」である取材について，上記取材階層の「取材指示」に含まれる情報が記述されている部分である。また，「Ｅ」の部分は，当該取材について「取材メモ」に含まれる情報が記述されている部分である。
【０１０６】
「Ｆ」の部分は，上記取材におけるシーン番号１のシーン（以下では，シーン１という。他の番号，他の階層についても同様とする。）について，上記シーン階層およびカット階層に含まれる情報が記述されている部分である。詳細には，シーン１は例えばカット１およびカット２から構成されており，さらに，カット１にはテイク１とテイク２が従属し，カット２にはテイク３が従属している。従って，「Ｇ」の部分には，カット１について，上記カット階層の「カット指示」および「カットメモ」に含まれる情報と，テイク１およびテイク２についての「テイク関連付け情報」に含まれる情報が記述されている。一方，「Ｈ」の部分には，カット２について，上記カット階層の「カット指示」および「カットメモ」に含まれる情報と，テイク３についての「テイク関連付け情報」に含まれる情報が記述されている。また，「Ｉ」の部分には，シーン１についての「シーンメモ」に含まれる情報が記述されている。
【０１０７】
「Ｊ」の部分は，上記取材におけるシーン２について，上記シーン１の場合と同様にして，シーン階層およびカット階層に含まれる情報が記述されている部分である。なお，この「Ｊ」の部分の後には，取材ＩＤが「Ａ２００２−１００２」である取材についてのメタデータが記述されているが，この記載は省略する。
【０１０８】
以上，プログラムメタデータのＸＭＬによる記述例について説明した。上記の記述例では，例えば，＜Ａｓｓｉｇｎｍｅｎｔ＞，＜Ｓｃｅｎｅ＞，＜Ｃｕｔ＞，＜Ｔａｋｅ＞タグなどを用いて，プログラムメタデータに含まれるメタデータを分割して，分かり易く記述しているので，任意のユーザがかかるプログラムメタデータを容易に理解，修正することができる。なお，上記記述例では，タグ名やＸＭＬ文書構造などのメタデータ表記形式を，本願発明者らによる独自の表記形式としたが，かかる例に限定されず，同様の内容のプログラムメタデータを，後述する別のメタデータ表記形式で記述することも可能である。
【０１０９】
＜２．３  テイクメタデータ＞
次に，図５に基づいて，本実施形態で利用されるメタデータの具体例であるテイクメタデータについて詳細に説明する。なお，図５は，本実施形態にかかるテイクメタデータの構成を例示する説明図である。
【０１１０】
図５に示すように，テイクメタデータは，例えば，個々のテイクに対応する撮影状況，撮影条件等に関するメタデータであり，例えば，テイクごとに１つのメタデータファイルで管理されるものである。このテイクメタデータは，例えば，撮像装置４０によってあるテイクのビデオデータが記録されると，このテイクのビデオデータと１対１対応して作成される。換言すると，例えば，テイクの撮影が行われる度に，新たなテイクメタデータファイルが作成される。また，かかるテイクメタデータは，例えば，上記プログラムメタデータ内のテイク関連付け情報によって，同一のテイクのビデオデータとともに上記カット階層のカットに関連付けられてもよい。
【０１１１】
次に，テイクメタデータの内容について詳細に説明する。テイクメタデータには，例えば，テイク撮影条件情報，テイク撮影状況情報などのメタデータが含まれている。このテイク撮影条件情報とは，例えば，テイクの撮影条件や，機器のセットアップ情報，撮影状態その他のテイクに関する客観的なメタデータである。かかるテイク撮影条件情報は，例えば，撮像装置４０などによって自動的に生成され，テイクメタデータ内に書き込まれる。また，テイク撮影状況情報とは，例えば，テイクの撮影処理レベルでの撮影状況に関する主観的なメタデータである。かかるテイク撮影状況情報は，例えば，取材部署担当者の入力に基づいてフィールドＰＣ５０などによって生成され，テイクメタデータ内に書き込まれる。
【０１１２】
具体例を挙げて説明すると，図５に示すように，テイクメタデータには，上記テイク撮影状況情報として，例えば，テイクの撮影時において，取材担当者が気づいた連絡事項，注意事項および提案事項，テイクの特徴および印象，テイクの撮影作業で発生した事項，当該テイクのビデオデータに関する事項などのテイクメモ内容（［Ｄｓｃ］の項目）などの情報が含まれる。
【０１１３】
また，テイクメタデータには，上記テイク撮影条件情報として，例えば，当該テイクの撮影を行った日付（［Ｄａｔｅ］の項目），テイクの撮影を行った時刻（［Ｔｉｍｅ］の項目），当該テイクの撮影を行った場所の緯度および経度情報（ＧＰＳ情報など）（［Ｐｏｓ］の項目），当該テイクの撮影を行った撮像装置４０の機種や機器番号（［Ｍａｃｈｉｎｅ］の項目），機器設定情報（［Ｓｅｔｕｐ］の項目）などの情報が含まれる。
【０１１４】
このうち，機器設定情報は，例えば，当該テイクの撮影を行った撮像装置４０のセットアップ情報などである。この機器設定情報は，例えば，テイク撮影時のカメラのフィルタの種類，ホワイトバランススイッチ，ゲインスイッチ，ＤＣＣ（ダイナミックコントラストコントロール）スイッチ，シャッタスイッチ，エクステンダースイッチ等の状態（スイッチのｏｎ／ｏｆｆやレベル等）などである。
【０１１５】
また，テイクメタデータは，上記以外にも，例えば，対応するビデオデータ内の代表的な静止画像に関するサムネイルデータ，当該ビデオデータのコンテンツの特徴点に関する電子マークデータなどを含んでもよい。
【０１１６】
また，例えば，上記プログラムメタデータに含まれていたテイク関連付け情報を，テイクメタデータに含めるようにしても良い。即ち，テイクメタデータＴＭが，例えば，対応するビデオデータのビデオデータファイル名情報，ローレゾファイル名情報や，当該ビデオデータのＩｎ点およびＯｕｔ点情報，テイク番号，ＯＫ／ＮＧ情報などを含むようにしてもよい。
【０１１７】
以上，図５に基づいて，テイクメタデータの構成及び内容について説明した。以上のようなテイクメタデータを参照することによって，映像プログラムの制作を分担する各部署は，例えば，テイクメタデータに対応するビデオデータの内容，撮影条件，機器のセットアップ状態などを把握できる。かかるテイクメタデータ内の情報は，特に，編集部署においてビデオデータの編集作業を行う際に有用である。
【０１１８】
ところで，上記図５では，説明の便宜のため，テイクメタデータを表形式で表示された態様で表現した。しかし，かかるテイクメタデータは，実際には，例えばＸＭＬで記述されたＸＭＬ文書データである。
【０１１９】
ここで，図６に基づいて，本実施形態にかかるテイクメタデータのＸＭＬによる記述例について説明する，なお，図６は，上記図５で説明したテイクメタデータのＸＭＬによる記述例を示す説明図である。
【０１２０】
図６に示すように，テイクメタデータは，例えば，本願発明者らがプログラムメタデータ用に独自に開発したＸＭＬ表記形式で記述されている。当該プログラムメタデータの表記形式が，かかる独自のＸＭＬ表記形式であることは，例えば，実質的な先頭の開始タグである＜ＴａｋｅＭｅｔａｄａｔａ  ｎｏ＝“１”＞のタグ（即ち，「Ｂ」のタグ）により，識別することができる。
【０１２１】
かかるテイクメタデータの記述内容を詳細に説明すると，まず，「Ａ」の部分は，ＸＭＬ宣言を行う部分である。また，「Ｂ」および「Ｂ’」の部分は，テイクメタデータを識別するための情報が記述されている部分であり，かかる部分により当該テイクメタデータがいかなるテイクに属するものであるかを識別することができる。
【０１２２】
「Ｃ」の部分は，当該テイクに関するテイク撮影状況情報（即ち，テイクメモ内容）が記述されている部分である。また，「Ｄ」の部分は，当該テイクの撮影を行った日付，時間，緯度経度の情報が記述されている部分である。また，「Ｅ」の部分は，当該テイクの撮影を行った撮像装置４０の機種や機器番号，および機器設定情報が記述されている部分である。
【０１２３】
以上，テイクメタデータのＸＭＬによる記述例について説明した。なお，上記記述例では，タグ名やＸＭＬ文書構造などのメタデータ表記形式を，本願発明者らによる独自の表記形式としたが，かかる例に限定されず，同様の内容のテイクメタデータを，後述する別のメタデータ表記形式で記述することも可能である。
【０１２４】
＜２．４  メタデータの別の表記形式＞
上記では，例えばメタデータプログラムメタデータおよびテイクメタデータが，例えば，本願発明者ら独自のＸＭＬベースの表記形式で記述されている場合について詳細に説明した。しかし，本実施形態にかかるメタデータは，例えば，上記表記形式以外にも，映像作品の制作分野において用いられる任意のＸＭＬベースの表記形式で記述されていてもよい。かかるＸＭＬベースの表記形式で記述されたメタデータは，各標準化団体の方針やユーザの個別要求などに応じて多様なものが存在するが，その具体例を挙げると，例えば，「Ｄｕｂｌｉｎ  Ｃｏｒｅメタデータ」，「ＭＰＥＧ−７メタデータ」，「Ｇｅｎｅｖａ  Ｓｃｈｅｍｅメタデータ」，「ＭＯＳメタデータ」，その他，「カスタマー独自のメタデータ」などがある。
【０１２５】
詳細には，「Ｄｕｂｌｉｎ  Ｃｏｒｅメタデータ」は，Ｄｕｂｌｉｎ  Ｃｏｒｅ  Ｍｅｔａｄａｔａ  Ｉｎｉｔｉａｔｉｖｅによって制定された標準仕様で記述されたメタデータであり，限定された少数の要素を標準化して記述することを特徴とする。また，「ＭＰＥＧ−７メタデータ」は，ＭＰＥＧ−７（Ｍｏｖｉｎｇ  Ｐｉｃｔｕｒｅ  Ｅｘｐｅｒｔ  Ｇｒｏｕｐ  Ｐｈａｓｅ７）規格のメタデータである。また，「Ｇｅｎｅｖａ  Ｓｃｈｅｍｅメタデータ」は，ＢＰＲＬで検討中のＭＸＦ  Ｇｅｎｅｖａ  ＳｃｈｅｍｅのＸＭＬ版のメタデータである。また，「ＭＯＳメタデータ」は，ＭＯＳ（Ｍｅｄｉａ  Ｏｂｊｅｃｔ  Ｓｅｒｖｅｒ）プロトコルに基づくメタデータである。また，「カスタマー独自のメタデータ」は，各ユーザが，上記標準化メタデータを基に，或いは全く独自に，自己の要望に応じて作成したメタデータなどである。
【０１２６】
＜３．メタデータ変換の概容＞
次に，本実施形態にかかるメタデータの変換の概要について説明する。
【０１２７】
上記映像プログラム制作支援システム１を構成する各端末装置は，例えば，ＸＭＬベースのメタデータを解釈して，かかるメタデータに基づいて所定の処理を実行するメタデータアプリケーション処理部を備えている。このメタデータアプリケーション処理部は，例えば，ある特定の表記形式のメタデータに対応して構成されており，それ以外の表記形式のメタデータが入力されても認識，処理することができない。
【０１２８】
一方，ＸＭＬではシンタックスが厳密に規定されていることから，ＸＭＬで記述されたメタデータの表記形式は，例えば，ＸＳＬＴ（Ｅｘｔｅｎｓｉｂｌｅ  Ｓｔｙｌｅｓｈｅｅｔ  Ｌａｎｇｕａｇｅ  Ｔｒａｎｓｆｏｒｍａｔｉｏｎｓ）などを用いて容易に変換することができる。従って，例えば，ＸＳＬＴエンジンなどの変換エンジンを，上記メタデータアプリケーション処理部の入出力処理部に導入することにより，メタデータアプリケーション処理部は，任意の表記形式のメタデータの入出力に対応することができる。
【０１２９】
ここで，図７に基づいて，このようなＸＳＬＴエンジンによるメタデータ変換の概略について説明する。なお，図７は，本実施形態にかかるＸＳＬＴエンジンによるメタデータの変換を概念的に示す説明図である。
【０１３０】
図７に示すように，例えば，撮像装置４０などの各端末装置のメタデータ入出力処理部には，ＸＳＬＴエンジン７０が設けられている。このＸＳＬＴエンジン７０は，例えば，外部から提供されたＸＭＬベースの任意の表記形式のメタデータ（以下では，外部メタデータという。）７２を，変換テーブル７４を用いて，メタデータアプリケーション処理部８０が対応可能な表記形式のメタデータ（以下では，内部メタデータという。）７６に変換することができる。この変換テーブル７４は，外部メタデータと内部メタデータとの変換ルールを定義した変換定義書であり，ＸＳＬ（ｅＸｔｅｎｓｉｂｌｅ  Ｓｔｙｌｅｓｈｅｅｔ  Ｌａｎｇｕａｇｅ）文書などである。
【０１３１】
このようなＸＳＬ文書などの変換テーブル７４やＸＳＬＴエンジン７０は，ＸＭＬ分野で汎用的に用いられている標準化技術であり，記述内容や構造が分かり易い上，これらに関する多様な有効な変換データ生成ツールが入手可能な状態にある。このため，任意のユーザが，変換テーブル７４やＸＳＬＴエンジン７０を，容易にカスタマイズすることが可能である。
【０１３２】
上記端末装置内に設けられたメタデータアプリケーション処理部８０は，例えば，ＤＯＭ  （Ｄｏｃｕｍｅｎｔ  Ｏｂｊｅｃｔ  Ｍｏｄｅｌ）等の標準ＡＰＩ（Ａｐｐｌｉｃａｔｉｏｎ  Ｐｒｏｇｒａｍｍｉｎｇ  Ｉｎｔｅｒｆａｃｅ）７８などを介して，上記内部メタデータにアクセスすることができる。この内部メタデータ７６は，上記ＸＳＬＴエンジン７０によってメタデータアプリケーション処理部８０が対応可能な表記形式に変換されている。このため，アプリケーション処理部８０は，この内部メタデータ７６を認識して，かかるメタデータに基づいて所定の処理を実行することができる。
【０１３３】
上記のように，例えば，メタデータ入出力処理部にＸＳＬＴエンジン７０などの変換エンジンを導入することにより，予め定めた変換テーブル７４を別途準備するだけで，撮像装置４０などの各端末装置が，外部から提供された任意の表記形式のメタデータを容易に認識，処理することが可能となる。
【０１３４】
一方，上記ＸＳＬＴエンジン７０は，例えば，内部メタデータ７６を，変換テーブル７４を用いて，任意の表記形式の外部メタデータ７２に逆変換することもできる。これにより，各端末装置は，内部で生成・編集したメタデータを，外部機器で用いられるメタデータの表記形式に変換して出力することも可能である。
＜４．撮像装置＞
次に，上記メタデータの変換機能を備えたビデオ信号処理装置として，本実施形態にかかるビデオ信号記録装置である撮像装置４０について詳細に説明する。
【０１３５】
＜４．１  撮像装置の構成＞
まず，図８に基づいて，本実施形態にかかる撮像装置４０の構成について説明する。なお，図８は，本実施形態にかかる撮像装置４０の概略的な構成を示すブロック図である。
【０１３６】
図８に示すように，撮像装置４０は，ＣＰＵ４０２と，メモリ部４０４と，操作部４０６と，表示部４０８と，音声出力部４１０と，通信部４１２と，外部インタフェース４１４と，カメラブロック４１６と，ディスク装置４１８と，変換テーブルデータベース４２０と，メタデータ生成部４２２と，メタデータ入出力処理部４３０と，メタデータアプリケーション処理部４８０とを備える。
【０１３７】
ＣＰＵ４０２は，演算処理装置および制御装置として機能し，撮像装置４０の各部の処理を制御することができる。また，メモリ部４０４は，例えば，ＲＡＭ，ＲＯＭ，フラッシュメモリなどで構成されており，ＣＰＵ４０２の処理に関するデータ等の各種データ，およびＣＰＵ４０２の動作プログラム等を記憶または一時記憶する機能を有する。
【０１３８】
操作部４０６は，例えば，各種のボタン，レバー，ダイヤル，タッチパネルなどの操作手段などから構成される。カメラマンは，かかる操作部４０６を手動で操作することにより，例えば，電源ｏｎ／ｏｆｆ操作，撮影操作，ビデオデータの記録・再生操作，ズーム操作，モード変更操作，メタデータの閲覧，作成，編集操作などを行うことができる。ＣＰＵ４０２は，この操作部４０６に対する操作内容に基づいて，例えば，レンズの絞りまたはズームの調整，記録開始または終了などの各種処理をカメラブロック４１６の各部に実行させるための指示信号を生成する。また，この操作部４０６には，例えば，上記フィルタ切替スイッチ，ホワイトバランススイッチ，ゲインスイッチ，ＤＣＣスイッチ，シャッタスイッチ，エクステンダースイッチ等も含まれる。
【０１３９】
表示部４０８は，ディスプレイ装置であり，例えば，ビューファインダー，液晶モニタなどで構成される。この表示部４０８は，撮影中のビデオデータ，または再生したビデオデータなどを表示することができる。これにより，カメラマンは，例えば，表示部４０８を見ながら，撮影する被写体の確認，撮像中のモニタリング，光ディスク３に記録されたビデオデータのチェック，或いはビデオデータの簡単な編集作業などを行うことができる。さらに，この表示部４０８は，例えば，セットアップ情報や上記プログラムメタデータなどの各種メタデータを，単独で或いは映像と重畳させて表示することもできる。
【０１４０】
音声出力部１１０は，スピーカなどの発音装置と音声データ処理装置等から構成されており，ビデオデータの音声などを出力することができる。また，この音声出力部１１０は，例えば，後述するメタデータアプリケーション処理部４８０によって読み上げられた制作指示情報等のメタデータを音声出力することなどもできる。
【０１４１】
通信部４１２は，例えば，企画用端末装置１０および編集用端末装置３０などの外部機器との間でネットワーク５を介して，各種メタデータや，ローレゾ映像のビデオデータなどの各種データを送受信することができる。例えば，この通信部４１２は，外部の機器から提供されたメタデータを受信して，このメタデータをメタデータ入出力処理部４３０に出力することができる。また，かかる通信部４１２は，例えばＳＤＩ（Ｓｅｒｉａｌ  Ｄｉｇｉｔａｌ  Ｉｎｔｅｒｆａｃｅ）により上記データをネットワーク５を介して送信する場合には，ＫＬＶ（Ｋｅｙ  Ｌｅｎｇｔｈ  Ｖａｌｕｅ）符号化などの符号化処理をすることもできる。  
【０１４２】
外部インタフェース４１４は，撮像装置４０に例えばＵＳＢ（Ｕｎｉｖａｒｓａｌ  Ｓｅｒｉａｌ  Ｂｕｓ），ＳＣＳＩ（Ｓｍａｌｌ  Ｃｏｍｐｕｔｅｒ  Ｓｙｓｔｅｍ  Ｉｎｔｅｒｆａｃｅ）などの規格で接続された周辺機器との間で，データの送受信を行う部位である。また，この外部インタフェース４１４は，例えば，メモリーカード，メモリースティック，フレキシブルディスクなどの記録媒体に対して，メタデータなどの各種データを読み書きするインタフェースとして機能することもできる。
【０１４３】
カメラブロック４１６は，撮影処理を行い，ビデオデータを生成する機能を有する。このカメラブロック４１６は，例えば，被写体を撮像して映像信号を出力する撮像部と，撮影環境の音声を収集し音声信号を生成するマイク部と，映像信号および音声信号などからなるビデオ信号を処理するビデオプロセッサと，ビデオ信号をＭＰＥＧ１，２などの方式で圧縮して上記ローレゾ映像などを生成するビデオ圧縮部と，タイムコードを生成してビデオデータに付加するタイムコード生成部（いずれも図示せず。）などを備える。
【０１４４】
このうち撮像部は，例えば，光学系ブロックと，駆動系ブロックと，ＣＣＤ（Ｃｈａｒｇｅ  Ｃｏｕｐｌｅｄ  Ｄｅｖｉｃｅ）等の撮像素子（撮像デバイス）などから構成されている。光学系ブロックは，レンズ，絞り，フィルタなどからなり，被写体からの光学像を撮像素子に入射させることができる。駆動系ブロックは，例えば，レンズの絞り，ズーム，露出，フォーカスなどを調整することができる。撮像素子は，受光面に２次元的に設けられた光電変換素子からなる複数の画素により，上記光学像を光電変換して電気的な映像信号を出力することができる。
【０１４５】
また，ビデオプロセッサは，例えば，撮像部により生成された映像信号に対して，Ａ／Ｄ変換処理，ゲイン調整（ＡＧＣ）処理，ホワイトバランス処理，γ（ガンマ）補正処理，シェーディング補正，輪郭補正するためのアパーチャー（ａｐｅｒｔｕｒｅ）処理，ノイズ減少させるためのＣＤＳ（ｃｏｒｒｅｌａｔｅｄ  ｄｏｕｂｌｅ  ｓａｍｐｌｉｎｇ  ｃｉｒｃｕｉｔ：相関２重サンプリング）処理などを実行する。また，このビデオプロセッサは，音声信号などを処理することもできる。
【０１４６】
ディスク装置４１８は，例えば，光ディスク３などの記録媒体に対して，上記カメラブロック４１６が生成したビデオデータ（ビデオ信号）を記録することができる。また，このディスク装置４１８は，例えば，上記記録媒体などに対して，例えばメタデータ生成部４２２などが生成・編集したメタデータを記録することもできる。かかる観点では，このディスク装置４１８は，例えば，記録媒体にビデオ信号とメタデータを関連付けて記録するビデオ信号記録部として機能することができる。また，ディスク装置４１８は，例えば，上記記録媒体に記録されたビデオデータを再生することもできる。また，かかるディスク装置４１８は，外部から提供された記録媒体に記録されているメタデータを読み出して，メタデータ入出力処理部４３０に出力することもできる。
【０１４７】
変換テーブルデータベース４２０は，本実施形態にかかる特徴部であり，例えば，上記メタデータの変換テーブルを貯蔵する記録装置である。この変換テーブルは，外部から提供されたメタデータ（即ち，上記外部メタデータ）と，撮像装置４０が対応可能な表記形式のメタデータ（即ち，上記内部メタデータ）と間の変換定義が記述されたＸＳＬ文書などである。変換テーブルデータベース４２０には，多様な種類の外部メタデータに対応した変換テーブルが，例えば複数記録されている。なお，かかる変換テーブルは，例えば，外部から上記ネットワーク５，またはメモリーカード等の記録媒体を介して提供されてもよいし，或いは取材部署担当などの入力に基づいて撮像装置４０内で生成されてもよい。
【０１４８】
メタデータ生成部４２２は，例えば，テイクメタデータ等のメタデータを新規に生成する機能を有する。
【０１４９】
具体的には，メタデータ生成部４２２は，例えば，上記テイク毎にテイクメタデータを新規に作成し，作成したテイクメタデータのコンテンツとして上記テイク撮影条件情報などを記入することができる。
【０１５０】
より詳細には，カメラブロック４１６によって１回のテイクの撮影処理がなされた場合に，メタデータ生成部４２２は，例えば，かかるテイクに関するテイクメタデータのファイルを自動的に新規作成する。次いで，メタデータ生成部４２２は，例えば当該テイクに関する撮影条件，セットアップ情報などを撮像装置４０内の各部から収集し，上記テイク撮影条件情報を自動的に生成する。例えば，メタデータ生成部４２２は，上記タイムコード生成部から，当該テイクの撮影処理を開始した日付および時間情報を取得したり，メモリ部４０４などからＡＧＣゲインのレベル，ホワイトバランススイッチの状態およびＤＣＣスイッチのｏｎ／ｏｆｆなどの撮像装置４０の設定情報を取得したりできる。さらに，メタデータ生成部４２２は，このように生成したテイク撮影条件情報を，例えば，上記新規作成したテイクメタデータのファイルに，ＸＭＬをベースとした内部メタデータの表記形式で記述する。なお，以上のようにして作成されたテイクメタデータなどは，例えば，メモリ部４０４や光ディスク３などに記録される。
【０１５１】
メタデータ入出力処理部４３０は，本実施形態にかかる特徴部であり，上記図７で説明したように，例えば，外部メタデータを内部メタデータに変換した上で，メタデータアプリケーション処理部４８０に対して出力する機能を有する。このメタデータ入出力処理部４３０は，例えば，メタデータ表記形式識別部４３２と，変換テーブル選択部４３４と，メタデータ表記形式変換部４３６とを備える。
【０１５２】
以下に，図９〜図１１を参照しながら，かかるメタデータ入出力処理部４３０の各部の機能について詳細に説明する。なお，図９は，外部メタデータの一例であるＭＯＳメタデータによる取材指示情報の記述例を示す説明図である。また，図１０は，ＭＯＳメタデータおよび内部メタデータに対応した変換テーブルの具体例を示す説明図である。また，図１１は，変換された内部メタデータによる取材指示情報の記述例を示す説明図である。
【０１５３】
メタデータ表記形式識別部４３２は，外部メタデータの表記形式を識別する機能を有する。詳細には，このメタデータ表記形式識別部４３２には，例えば，企画端末装置１０など外部から提供された外部メタデータが，通信部４１２，外部インタフェース４１４またはディスク装置４１８などを介して入力される。この外部メタデータは，例えば，ＸＭＬで記述されているが，その表記形式が内部メタデータとは異なるものとする。
【０１５４】
メタデータ表記形式識別部４３２は，例えば，このように入力された外部メタデータからタグを検出することにより，この外部メタデータの表記形式を識別することができる。即ち，ＸＭＬで記述されたメタデータは，開始タグがメタデータの種類ごとに規定されている。このため，メタデータ表記形式識別部４３２は，例えば，外部メタデータ内に記述されている先頭または最後の開始タグなどを検出することにより，当該外部メタデータの種類を特定することができる。
【０１５５】
例えば，ＭＰＥＧ−７メタデータは，必ず＜Ｍｐｅｇ７＞なるタグで開始し，＜／Ｍｐｅｇ７＞なるタグで終了する。よって，メタデータ表記形式識別部４３２は，＜Ｍｐｅｇ７＞及び＜／Ｍｐｅｇ７＞のタグを検出した場合には，当該メタデータは＜Ｍｐｅｇ７＞フォーマットで記述されたメタデータあると特定する。また，例えば，＜ＴａｋｅＭｅｔａｄａｔａ＞及び＜／ＴａｋｅＭｅｔａｄａｔａ＞というタグを検出した場合には，本願発明者ら独自の表記形式のテイクメタデータであると特定する。
【０１５６】
外部メタデータの実例をあげてより具体的に説明すると，例えば，図９に示すような外部メタデータが，メタデータ表記形式識別部４３２に入力されたとする。この場合には，メタデータ表記形式識別部４３２は，例えば，先頭および最後のタグである＜ｍｏｓ＞及び＜／ｍｏｓ＞のタグを検出することにより，当該外部メタデータがＭＯＳメタデータであると識別することができる。
【０１５７】
変換テーブル選択部４３４は，変換テーブルＤＢ４２０に記録されている例えば複数の変換テーブルの中から，上記メタデータ表記形式識別部４３２によって識別された外部メタデータの表記形式に対応する変換テーブルを選択する機能を有する。即ち，変換テーブル選択部４３４は，外部メタデータを内部メタデータに変換するための変換テーブルを選択することができる。
【０１５８】
例えば，外部メタデータの種類が図９に示したようなＭＯＳメタデータであると識別された場合には，変換テーブル選択部４３４は，例えば，外部メタデータであるＭＯＳメタデータと，内部メタデータである本願発明者ら独自形式のプログラムメタデータとに対応する変換テーブルを選択する。この変換テーブルには，図１０に示すように，ＭＯＳメタデータのタグを内部メタデータのタグに変換するための，タグ名変換ルールが記述されている。例えば，ＭＯＳメタデータの＜ａｆＯｂｊ＞なるタグは，内部メタデータの＜Ａｑｕｉｓｉｔｉｏｎ＞なるタグに変換するよう定義されている。また，例えば，ＭＯＳメタデータの＜ａｆＩＤ＞なるタグは，内部メタデータの＜Ａｓｓｉｇｎｍｅｎｔ＠ｉｄ＞なるタグに変換するよう定義されている。なお，この＜Ａｓｓｉｇｎｍｅｎｔ＠ｉｄ＞タグに変換するとは，ＭＯＳメタデータの「ａｆＩＤ」要素の内容を，内部メタデータの「Ａｓｓｉｇｎｍｅｎｔ」要素が持つｉｄ属性として，記述することを意味する。
【０１５９】
メタデータ表記形式変換部４３６は，上記変換テーブル選択部４３４によって選択された変換テーブルに基づいて，外部メタデータの表記形式を内部メタデータの表記形式に変換する機能を有する。このメタデータ表記形式変換部４３６は，例えば，ＸＳＬＴエンジンなどの変換エンジンで構成されており，上記図７のＸＳＬＴエンジン７０に対応する部分である。かかるメタデータ表記形式変換部４３６は，上記選択された変換テーブルに従って，例えば，外部メタデータのタグを，内部メタデータのタグに変換する。
【０１６０】
具体的には，メタデータ表記形式変換部４３６は，例えば，図９に示したＭＯＳメタデータに従う取材指示メタデータを，図１０に示した変換テーブルに基づいて変換し，図１１に示すような内部メタデータに従う取材指示メタデータ（即ち，プログラムメタデータの「取材指示」欄の一部に該当する。）を生成する。図９および１１に示すように，図９の外部メタデータの「Ａ」および「Ａ’」，「Ｂ」，「Ｃ」および「Ｃ’」，「Ｄ」，並びに「Ｅ」の部分が，それぞれ，図１１の内部メタデータの「ａ」および「ａ’」，「ｂ」，「ｃ」および「ｃ’」，「ｄ」および「ｄ’」，並びに「ｅ」の部分に対応している。
【０１６１】
詳細には，まず，（「Ａ」および「Ａ’」）→（「ａ」および「ａ’」）の部分については，例えば，＜ｍｏｓ＞等のタグが，＜ＰｒｏｇｒａｍＭｅｔａｄａｔａ＞等のタグに変換されている。
【０１６２】
また，「Ｂ」→「ｂ」の部分については，例えば，外部メタデータの特有の項目であり変換テーブルに定義がないため，＜ｍｏｓＩＤ＞および＜ｎｃｓＩＤ＞のタグが，＜ｍｏｓ：ｍｏｓＩＤ＞および＜ｍｏｓ：ｎｃｓＩＤ＞のタグに変換されている。このように，外部メタデータ特有の項目は，例えば，その名前空間を含めたタグに変換（具体的には，例えば「ｍｏｓ：」なる接頭語を付加する）して保持されている。
【０１６３】
また，（「Ｃ」および「Ｃ’」）→（「ｃ」および「ｃ’」）の部分については，例えば，＜ａｆＯｂｊ＞等のタグが，＜Ａｃｑｕｉｓｉｔｉｏｎ＞等のタグに変換されている。
【０１６４】
また，「Ｄ」→「ｄ」の部分については，例えば，＜ａｆＩＤ＞および＜ａｆＳｌｕｇ＞等のタグが＜Ａｓｓｉｇｎｍｅｎｔ＞等のタグに統一して変換されるとともに，ａｆＩＤおよびａｆＳｌｕｇ要素の内容が，Ａｓｓｉｇｎｍｅｎｔ要素が持つｉｄ属性，ｔｉｔｌｅ属性として記述されている。
【０１６５】
また，「Ｄ」の部分については，例えば，＜ｐｈｏｔｏｇｒａｐｈｅｒ＞，＜ｒｅｐｏｒｔｅｒ＞および＜ｄｅｓｃｒｉｐｔｉｏｎ＞等のタグが，＜Ｃａｍｅｒａｍａｎ＞，＜Ｒｅｐｏｒｔｅｒ＞および＜Ｄｅｓｃｒｉｐｔｉｏｎ＞等のタグに変換されている。
【０１６６】
このように，メタデータ表記形式変換部４３６は，外部メタデータを，メタデータアプリケーション処理部８０が対応可能な内部メタデータの表記形式に変換することができる。このため，メタデータアプリケーション処理部４８０は，かかる変換されたメタデータを認識，処理することが可能となる。
【０１６７】
なお，外部メタデータと内部メタデータのメタデータ構成要素は必ずしも一対一対応している訳ではないが，上記の変換例のように，例えば，外部メタデータ特有の項目はその名前空間を含めたタグ名に変換して保持することで，当該メタデータアプリケーション処理部４８０はこれらを効率的に読み飛ばすことができるだけでなく，逆変換が必要となった場合も元の情報を保つことが可能となる。
【０１６８】
他方，内部メタデータでは定義されているものの，外部メタデータには存在しない項目（例えばＦｉｅｌｄＮｏｔｅやＳｃｅｎｅ要素など）については，例えば，内部メタデータへの変換時に単にこれらを生成しないことで対処できる。
【０１６９】
次に，メタデータアプリケーション処理部４８０は，例えば，上記表記形式が変換されたメタデータに基づいて，撮像装置４０内におけるビデオ信号に関連する処理などの各種の処理を制御する機能を有する。かかる観点では，メタデータアプリケーション処理部４８０は，本実施形態にかかる制御処理部として機能する。
【０１７０】
上記のように，メタデータ表記形式変換部４３６は，例えば，メタデータアプリケーション処理部４８０が対応不能な外部メタデータを，メタデータアプリケーション処理部４８０が対応可能な内部メタデータの表記形式に変換することができる。メタデータアプリケーション処理部４８０は，例えば，かかる変換されたメタデータファイルを解釈し，必要なメタデータを抽出することができる。さらに，メタデータアプリケーション処理部４８０は，例えば，この抽出したメタデータを利用して，撮像装置４０における多様なアプリケーション処理を実行することができる。
【０１７１】
以下に，このメタデータアプリケーション処理部４８０によるメタデータに基づく制御処理の具体例について，説明する。
【０１７２】
まず，メタデータアプリケーション処理部４８０による撮像装置４０の再セットアップ処理について説明する。メタデータアプリケーション処理部４８０は，例えば，以前に撮影したときに記録したセットアップ情報などを含むメタデータを取得した場合には，かかるメタデータから抽出した各種のセットアップ情報を利用して，撮像装置４０を例えば以前の撮影状態と同様に再セットアップすることができる。
【０１７３】
より詳細には，メタデータアプリケーション処理部４８０は，例えば，前回あるいはそれ以前のテイク撮影時に記録した上記テイクメタデータなどが提供されると，このテイクメタデータなどから，当該テイクの撮影時における各種のセットアップ情報を抽出する。このセットアップ情報は，例えば，フィルタやエクステンダーの種類等のレンズに関する情報や，ホワイトバランス調整，シェーディング補正，ガンマ補正，ゲイン調整，ＤＣＣ等に関するビデオ信号の処理値やスイッチの状態などである。メタデータアプリケーション処理部４８０は，カメラブロック４１６などに対して，これらのセットアップ情報に基づいたセットアップ指示を送り，カメラブロック４１６内の各部を以前と同様な撮影状態にセットアップするように制御することができる。これにより，撮像装置４０を例えば前回の撮影状態に復活させることができる。このように，メタデータアプリケーション処理部４８０がメタデータに基づいて自動的に再セットアップを行うことにより，カメラマンなどが，煩雑なセットアップ操作を手動で行わなくても済むので便利である。
【０１７４】
次に，メタデータアプリケーション処理部４８０によるメタデータの表示制御処理について説明する。メタデータアプリケーション処理部４８０は，解釈したメタデータを，表示部４０８に表示させる表示制御処理を実行することができる。
【０１７５】
より詳細には，かかるメタデータアプリケーション処理部４８０は，例えば，入力されたプログラムメタデータやテイクメタデータなどのメタデータを解釈して，メタデータ内の項目を個別に扱いやすいような表形式に変換することができる。さらに，メタデータアプリケーション処理部４８０は，例えば，この表形式に変換されたプログラムメタデータやテイクメタデータなどを，ビューファインダーや液晶モニタなどの表示部４０８に表示させるよう制御することができる。また，このとき，メタデータアプリケーション処理部４８０は，例えば，プログラムメタデータなどの項目を絞り込んで表示させることもできる。このようなメタデータの表示制御処理により，カメラマンなどは，表形式のプログラムメタデータなどを閲覧して，撮影すべきシーン，カットの数や構成等を容易に認識することができる。また，テイクメタデータを閲覧することにより，撮影したテイクの撮影条件等を確認することもできる。
【０１７６】
次に，メタデータアプリケーション処理部４８０によるメタデータの音声変換再生処理について説明する。メタデータアプリケーション処理部４８０は，例えば，プログラムメタデータやテイクメタデータなどのメタデータを解釈して音声信号に変換し，かかるメタデータの内容を音声出力部４１０から音声出力させるよう制御することができる。このようなメタデータの音声変換再生処理により，カメラマンなどは，読み上げられたプログラムメタデータなどの取材指示内容を聴いて，撮影すべきシーン，カットの数や構成等を容易に認識することができる。また，テイクメタデータの内容を聴くことにより，撮影したテイクの撮影条件などを確認することもできる。
【０１７７】
次に，メタデータアプリケーション処理部４８０によるビデオデータのサムネイル表示制御処理について説明する。メタデータアプリケーション処理部４８０は，ビデオデータ内の代表的な静止画像のポイント（タイムコードなど）を表すメタデータであるサムネイルデータ値を認識することができる。さらに，メタデータアプリケーション処理部４８０は，上記認識したサムネイルデータ値に対応するビデオデータ内のフレームを表示部４０８にサムネイル表示させるよう制御することができる。このようなビデオデータのサムネイル表示制御処理により，カメラマンなどに対して，撮影したビデオデータ（映像素材）のビジュアルインデックス情報を提供することができる。
【０１７８】
次に，メタデータアプリケーション処理部４８０によるシナリオと映像素材との関係付け処理について説明する。メタデータアプリケーション処理部４８０は，例えば，制作指示情報（シナリオ）を含むプログラムメタデータを取得した場合には，かかるプログラムメタデータに対して，撮影したテイクのビデオデータなどの映像素材を関連付けることができる。
【０１７９】
より詳細には，メタデータアプリケーション処理部４８０は，例えば，テイクの撮影処理が行われる度に，上記テイク番号，ＯＫ／ＮＧ情報，ビデオファイル名，ローレゾファイル名およびテイクメタデータファイル名等からなるテイク関連付け情報などを例えば自動的に生成して，例えば，上記プログラムメタデータのカット階層の欄に追加記入することができる。このようにして，メタデータアプリケーション処理部４８０は，テイク関連付け情報を記入することにより，当該テイクのビデオデータおよびテイクメタデータを，上記プログラムメタデータ内のカットに関連付けることができる。また，かかるテイクの映像素材等をいずれのカットに関連付けるかは，例えば，カメラマンなどのカット選択操作に基づいて，決定される。このカット選択操作とは，例えば，カメラマンなどが，例えばタッチパネル方式のボタンを操作することなどにより，上記表示されたプログラムメタデータの制作指示情報に含まれる複数のカットの中から，これから撮影しようとするテイク或いは撮影済のテイクを割り当てるカットを選択する操作である。
【０１８０】
このようにして，メタデータアプリケーション処理部４８０は，例えば，生成したテイク関連付け情報をプログラムメタデータに追加記入して，プログラムメタデータを編集することができる。この結果，メタデータアプリケーション処理部４８０は，制作指示（シナリオ）と映像素材とを関係付けることができる。
【０１８１】
上記のように，メタデータアプリケーション処理部４８０によるメタデータに基づくアプリケーション処理の具体例について説明したが，これらはほんの一例であり，メタデータアプリケーション処理部４８０は，これら以外にも，ビデオ信号に関する各種処理など，撮像装置４０における多様な処理をメタデータに基づいて制御することができる。
【０１８２】
＜４．２  撮像装置の処理方法＞
次に，図１２に基づいて，本実施形態にかかる撮像装置４０におけるメタデータに関する処理方法について説明する。なお，図１２は，本実施形態にかかる撮像装置４０の処理方法を示すフローチャートである。
【０１８３】
図１２に示すように，まず，ステップＳ１０２では，外部から提供されたＸＭＬベースの任意の表記形式のメタデータ（即ち，外部メタデータ）が，取得される（ステップＳ１０２）。撮像装置４０は，例えば，企画用端末装置１０などの外部機器から，ネットワーク５或いは記録媒体などを介して，外部メタデータを取得する。詳細には，例えば，ネットワーク５を介して取得する場合には，撮像装置４０の通信部４１２が，ネットワーク５を介して送信されてきた外部メタデータを受信して，メタデータ入出力処理部に４３０に出力する。一方，例えば，記録媒体を介して取得する場合には，外部インタフェース４１４またはディスク装置４１８が，記録媒体に記録されている外部メタデータを読み出して，メタデータ入出力処理部に４３０に出力する。
【０１８４】
次いで，ステップＳ１０４では，上記取得されたメタデータの表記形式が識別される。（ステップＳ１０４：メタデータ表記形式識別工程）。メタデータ入出力処理部４３０のメタデータ表記形式識別部４３２は，例えば，入力された外部メタデータファイルから，開始タグなどを検出することにより，当該外部メタデータの表記形式を識別する。例えば，メタデータ表記形式識別部４３２は，＜ｍｏｓ＞なるタグを検出した場合には，外部メタデータの種類がＭＯＳメタデータであると識別できる。
【０１８５】
さらに，ステップＳ１０６では，識別されたメタデータの表記形式が，撮像装置４０が対応可能な形式か否かが判定される（ステップＳ１０６）。例えば，メタデータ表記形式識別部４３２は，予め，撮像装置４０のメタデータアプリケーション処理部４８０などが認識可能なメタデータ（即ち，内部メタデータ）の表記形式を知得している。従って，メタデータ表記形式識別部４３２は，上記ステップＳ１０４で識別した外部メタデータの表記形式が，この内部メタデータの表記形式と同一であるか否かを判定することができる。この結果，外部メタデータの表記形式が，メタデータアプリケーション処理部４８０が対応不能であると判定された場合には，ステップＳ１０８に進み，一方，対応可能であると判定された場合には，ステップＳ１１２に進む。
【０１８６】
その後，ステップＳ１０８では，上記識別されたメタデータの表記形式に対応する変換テーブルが選択される（ステップＳ１０８：変換テーブル選択工程）。変換テーブル選択部４３４は，例えば，変換テーブルＤＢ４２０に記録されている複数の変換テーブルの中から，上記ステップＳ１０４で識別された外部メタデータの表記形式と内部メタデータの表記形式に対応する１つの変換テーブルを選択する。
【０１８７】
次いで，ステップＳ１１０では，上記選択された変換テーブルに基づいて，メタデータの表記形式が変換される（ステップＳ１１０：メタデータ変換工程）。メタデータ表記形式変換部４３６は，上記ステップＳ１０８で選択された変換テーブルに基づいて，外部メタデータの表記形式を内部メタデータの表記形式に変換する。これにより，取得した外部メタデータを，メタデータアプリケーション処理部４８０が認識可能な表記形式に変換することができる。
【０１８８】
さらに，ステップＳ１１２では，各種のメタデータアプリケーション処理が実行される（ステップＳ１１２：処理制御工程）。メタデータアプリケーション処理部４８０は，例えば，上記表記形式が変換されて認識可能となったメタデータに基づいて，上記説明したような撮像装置４０内における多様な処理を制御する。また，メタデータアプリケーション処理部４８０は，例えば，ステップＳ１０６で内部メタデータの表記形式と略同一であると判定された外部メタデータを，直接に認識して処理することもできる。
【０１８９】
＜５．編集用端末装置＞
次に，上記メタデータの変換機能を備えたビデオ信号処理装置として，本実施形態にかかるビデオ信号再生装置である編集用端末装置３０について詳細に説明する。
【０１９０】
＜５．１  編集用端末装置の構成＞
まず，図１３に基づいて，本実施形態にかかる編集用端末装置３０の構成について説明する。なお，図１３は，本実施形態にかかる編集用端末装置３０の概略的な構成を示すブロック図である。
【０１９１】
図１３に示すように，編集用端末装置３０は，ＣＰＵ３０２と，メモリ部３０４と，入力部３０６と，表示部３０８と，音声出力部３１０と，通信部３１２と，外部インタフェース３１４と，ディスク装置３１６と，記録装置３１８と，変換テーブルＤＢ３２０と，メタデータ入出力処理部３３０と，メタデータアプリケーション処理部３８０と，を備える。
【０１９２】
ＣＰＵ３０２は，演算処理装置および制御装置として機能し，編集用端末装置３０の各部の処理を制御することができる。また，メモリ部３０４は，例えば，ＲＡＭ，ＲＯＭ，フラッシュメモリなどで構成されており，ＣＰＵ３０２の処理に関する各種データ，ＣＰＵ３０２の動作プログラム等を記憶する機能を有する。
【０１９３】
入力部３０６は，例えば，マウス，キーボード，タッチパネルなどの一般的な入力装置（図示せず。）と，映像編集用入力装置（図示せず。）などから構成されている。この映像編集用入力装置は，例えば，Ｉｎ点を決定するＩｎ点決定ボタン，Ｏｕｔ点を決定するＯｕｔ点決定ボタン，映像再生ボタン，停止ボタンなどの各種の編集用ボタンや，映像再生速度を調整したり，再生するビデオデータを選択したりするためのジョグダイヤル，レバーなどを備える。編集部署の担当者は，例えば，上記映像編集用入力装置を操作して，ビデオデータを多様に再生（早送りや巻き戻しなどを含む。）させたり，Ｉｎ点およびＯｕｔ点を決定したりできる。
【０１９４】
表示部３０８は，ディスプレイ装置であり，例えばＣＲＴモニタや液晶モニタなどで構成される。この表示部３０８は，メタデータやビデオデータの映像などを表示することができる。
【０１９５】
また，音声出力部３１０は，スピーカなどの発音装置と音声データ処理装置等から構成されており，ビデオデータの音声などを出力することができる。また，この音声出力部３１０は，例えば，後述するメタデータアプリケーション処理部３８０によって読み上げられた制作指示情報等のメタデータを音声出力することなどもできる。
【０１９６】
通信部３１２は，例えば，企画用端末装置１０および撮像装置４０などの外部機器との間でネットワーク５を介して，各種メタデータや，ローレゾ映像のビデオデータなどの各種データを送受信することができる。例えば，この通信部３１２は，外部の機器から提供されたメタデータを受信して，このメタデータをメタデータ入出力処理部３３０に出力することができる。また，この通信部３１２は，例えばＳＤＩにより上記データをネットワーク５を介して送信する場合には，ＫＬＶ符号化などの符号化処理をすることもできる。上記のように，かかる通信部３１２によって受信したメタデータおよびローレゾ映像のビデオデータなどは，例えば，メモリ部３０４または記録装置３１８などに記録される。
【０１９７】
外部インタフェース３１４は，編集用端末装置３０に例えばＵＳＢ，ＳＣＳＩなどの規格で接続された周辺機器との間で，データの送受信を行う部位である。この周辺装置は，例えば，外付けの各種ディスク装置，ハードディスクドライブ，プリンタ，スキャナなどである。
【０１９８】
ディスク装置３１６は，例えば，撮像装置４０などから提供された光ディスク３などの記録媒体に対して，ビデオデータ（ビデオ信号）を記録または再生する記録再生装置である。このディスク装置３１６は，例えば，編集用端末装置３０に内蔵して構成することもできるし，或いは，外部インタフェース３１４を介して外付けして，編集用端末装置３０とは別体に構成された記録再生装置として構成することもできる。また，後者の場合には，例えば，かかるディスク装置３１６に，上記のようなＣＰＵ，メモリ部，編集用入力装置，通信部，コンピュータインタフェース，表示制御部などを設けてもよい。  
【０１９９】
かかるディスク装置３１６は，例えば，光ディスク３に記録されているオリジナル映像またはローレゾ映像のビデオデータを再生して，表示部３０８に表示することができる。また，ディスク装置３１６は，例えば，光ディスク３などに記録されているメタデータを読み出して，メタデータ入出力処理部４３０に出力することもできる。  
【０２００】
また，ディスク装置３１６は，例えば，ビデオデータを光ディスク３などに記録することもできる。例えば，ディスク装置３１６は，ネットワーク５を介して送信されてきたローレゾ映像のビデオデータや，編集処理により切り出されたビデオデータを，光ディスク３に記録することができる。また，ディスク装置３１６は，例えば，生成・編集されたメタデータを光ディスク３に記録することもできる。  
【０２０１】
また，ディスク装置３１６は，例えば，上記光ディスク３以外にも，フレキシブルディスク，ハードディスク，ＭＯ等の磁気ディスク，メモリースティック，メモリーカードなどの記録媒体に対して，メタデータ，各種アプリケーションプログラムなどを読み書きできるように構成してもよい。これにより，編集用端末装置３０は，例えば，メモリーカードなどからメタデータを取得することも可能になる。
【０２０２】
記録装置３１８は，例えば，ハードディスクドライブ等で構成されたストレージ装置であり，各種プログラム，メタデータ，オリジナル映像またはローレゾ映像等のビデオデータなどの各種データを格納することができる。
【０２０３】
変換テーブルデータベース３２０は，本実施形態にかかる特徴部であり，例えば，上記メタデータの変換テーブルを貯蔵する記録装置である。この変換テーブルデータベース３２０の機能構成は，上記撮像装置４０の変換テーブルデータベース４２０の機能構成と略同一であるので，その説明を省略する。なお，例えば，かかる変換テーブルデータベース３２０は，上記記録装置３１８内に設けられてもよい。  
【０２０４】
メタデータ入出力処理部３３０は，本実施形態にかかる特徴部であり，上記図７で説明したように，例えば，外部メタデータを内部メタデータに変換した上で，メタデータアプリケーション処理部３８０に対して出力する機能を有する。  
【０２０５】
このメタデータ入出力処理部４３０は，例えば，メタデータ表記形式識別部３３２と，変換テーブル選択部３３４と，メタデータ表記形式変換部３３６とを備える。なお，かかるメタデータ表記形式識別部３３２，変換テーブル選択部３３４およびメタデータ表記形式変換部３３６の機能構成は，上記撮像装置４０におけるメタデータ表記形式識別部４３２，変換テーブル選択部４３４およびメタデータ表記形式変換部４３６の機能構成とそれぞれ略同一であるので，その説明は省略する。
【０２０６】
メタデータアプリケーション処理部３８０は，例えば，上記メタデータ入出力処理部３３０によって表記形式が変換されたメタデータに基づいて，編集用端末装置３０内におけるビデオ信号に関連する処理などの各種の処理を制御する機能を有する。かかる観点では，メタデータアプリケーション処理部３８０は，本実施形態にかかる制御処理部として機能する。
【０２０７】
メタデータ表記形式変換部３３６は，例えば，メタデータアプリケーション処理部３８０が対応不能な外部メタデータを，メタデータアプリケーション処理部３８０が対応可能な内部メタデータの表記形式に変換することができる。メタデータアプリケーション処理部３８０は，例えば，かかる変換されたメタデータファイルを解釈し，必要なメタデータを抽出することができる。さらに，メタデータアプリケーション処理部３８０は，例えば，この抽出したメタデータを利用して，編集用端末装置３０における多様なアプリケーション処理を実行することができる。
【０２０８】
以下に，このメタデータアプリケーション処理部３８０によるメタデータに基づく制御処理の具体例について，説明する。
【０２０９】
まず，メタデータアプリケーション処理部３８０によるメタデータの表示制御処理および音声変換再生処理について説明する。メタデータアプリケーション処理部３８０は，解釈したメタデータを，表示部３０８に表示させる表示制御処理を実行することができる。また，メタデータアプリケーション処理部３８０は，例えば，プログラムメタデータやテイクメタデータなどのメタデータを解釈して音声信号に変換し，かかるメタデータの内容を音声出力部３１０から音声出力させるよう制御することができる。なお，かかるメタデータアプリケーション処理部３８０によるメタデータの表示制御処理および音声変換再生処理は，上記撮像装置４０のメタデータアプリケーション処理部４８０によるメタデータの表示制御処理および音声変換再生処理と略同一なので，詳細説明は省略する。  
【０２１０】
かかるメタデータ表示制御処理および音声変換再生処理により，編集部署の担当者などは，表形式に整理されたプログラムメタデータなどを閲覧したり，或いは読み上げられた制作指示や取材状況を聴いたりして，編集しようとする映像プログラムのシナリオ，撮影時の状況などを把握することができる。また，編集部署の担当者は，例えば，一覧表示或いは個々に表示されたテイクメタデータを閲覧したり，読み上げられたテイクメタデータの内容を聴いたりして，テイクメタデータに対応するビデオデータの概容，撮影時の撮像条件などを把握することができる。
【０２１１】
次に，メタデータアプリケーション処理部３８０によるビデオデータの表示制御処理について説明する。メタデータアプリケーション処理部３８０は，解釈したメタデータに基づいて，ビデオデータを表示部３０８に多様な態様で表示させる映像表示制御処理を実行することができる。
【０２１２】
具体的には，例えば，メタデータアプリケーション処理部３８０は，プログラムメタデータに基づいて，シナリオ順に，ＯＫのテイクのビデオデータを順次，連続再生（連続表示）するように制御できる。かかる連続再生処理についてより詳細に説明すると，まず，メタデータアプリケーション処理部３８０は，例えば，プログラムメタデータの制作指示情報に基づいて，カットのシナリオ順を知得する。さらに，メタデータアプリケーション処理部３８０は，テイク関連付け情報に基づいて，カットに従属するＯＫのテイクのビデオデータをシナリオ順に順次特定しながら，当該テイクのビデオデータをディスク装置３１６が順次再生するよう制御する。かかる処理により，シナリオ順にビデオデータを連続再生して，映像プログラムのプレビューが可能になる。
【０２１３】
また，メタデータアプリケーション処理部３８０は，例えば，編集部署の担当者により選択された１のテイクのビデオデータのみを単独再生（単独表示）するように制御することもできる。かかる単独再生処理についてより詳細に説明すると，まず，メタデータアプリケーション処理部３８０はプログラムメタデータを表示部３０８に表示させる。次いで，編集部署の担当者によってプログラムメタデータ内の複数のテイクの中から閲覧所望のテイクが選択される（例えば，タッチスクリーン方式やＧＵＩ入力などで選択可能である。）と，メタデータアプリケーション処理部３８０は，テイク関連付け情報に基づいて，当該テイクのビデオデータ特定し，かかるビデオデータのみをディスク装置３１６が再生するよう制御する。これにより，ディスク装置３１６は，指示されたテイクのビデオデータのみを再生することができる。
【０２１４】
さらに，メタデータアプリケーション処理部３８０は，かかるビデオデータの再生中に，例えば，プログラムメタデータまたはテイクメタデータなどの一部または全部を，映像にスーパーインポーズ表示することもできる。
【０２１５】
このように，メタデータアプリケーション処理部３８０は，メタデータに基づいて，ビデオデータを多様な態様で表示制御することができる。これにより，映像編集前においては，編集部署の担当者は，所望するビデオデータを，所望の態様で迅速に閲覧できる。さらに，編集部署の担当者は，シナリオに従った順序で連続再生されたビデオデータを閲覧することにより，編集しようとする映像プログラムの全体構成やイメージを把握できる。このため，編集処理の効率化を図ることができる。また，編集処理後においては，編集部署の担当者は，連続再生されたビデオデータを閲覧することにより，完成した映像プログラムの内容を容易に確認できる。
【０２１６】
また，メタデータアプリケーション処理部３８０は，例えば，上記撮像装置４０のメタデータアプリケーション処理部４８０と同様にして，ビデオデータのサムネイル表示制御処理を行うことができる。このようなビデオデータのサムネイル表示処理により，編集部署の担当者などに対して，ビデオデータのビジュアルインデックス情報を提供することができる。
【０２１７】
次に，メタデータアプリケーション処理部３８０による粗編集支援処理について説明する。メタデータアプリケーション処理部３８０は，例えば，編集部署の担当者の粗編集結果に基づいて上記Ｉｎ点情報およびＯｕｔ点情報を生成し，かかる上記Ｉｎ点情報およびＯｕｔ点情報をプログラムメタデータに追加記入することで粗編集を支援することができる。
【０２１８】
より詳細には，粗編集処理は，例えば，テイクのビデオデータから，カットに相当する時間長分のビデオデータを抽出する処理である。かかる粗編集処理を行うときには，まず，編集部署の担当者が，例えば，粗編集しようとするカットに関連付けられているテイクのビデオデータを再生して，閲覧する。なお，かかるビデオデータの再生は，上記映像表示制御処理によって好適に行われるので，編集部署の担当者は，迅速かつ容易に粗編集作業を行うことができる。次いで，編集部署の担当者は，再生映像を閲覧しながら，所望の時点で上記Ｉｎ点決定ボタンまたはＯｕｔ点決定ボタンを押下し，Ｉｎ点およびＯｕｔ点を決定する。メタデータアプリケーション処理部３８０は，例えば，編集部署の担当者がＩｎ点決定ボタンまたはＩｎ点決定ボタンを押下したタイミングにおける，例えば当該ビデオデータに付されているタイムコードをそれぞれ抽出する。これにより，メタデータアプリケーション処理部３８０は，Ｉｎ点情報およびＯｕｔ点情報を生成することができる。さらに，メタデータアプリケーション処理部３８０は，例えば，このようにして生成した上記Ｉｎ点情報およびＯｕｔ点情報を，例えば上記プログラムメタデータの所定項目に記入する。これにより，例えば，プログラムメタデータが完成し，カットに関連付けられたテイクのビデオデータの有効範囲を特定することができる。
【０２１９】
次に，メタデータアプリケーション処理部３８０によるビデオデータ編集処理について説明する。メタデータアプリケーション処理部３８０は，例えば，例えば，上記完成したプログラムメタデータに基づいて，映像プログラムを構成する全カットに対応するテイクのビデオデータを切り出し，切り出した複数のビデオデータをつなぎ合わせて記録するよう制御することができる。
【０２２０】
より詳細には，メタデータアプリケーション処理部３８０は，まず，解釈した制作指示情報に基づいて，例えばシナリオの最初のカットを特定する。さらに，ビデオデータ編集部３４０は，例えば，プログラムメタデータのテイク関連付け情報に基づいて，当該カットに対応する「ＯＫ」のテイクを特定し，当該テイクのビデオデータのＩｎ点情報およびＯｕｔ点情報を取得する。次いで，メタデータアプリケーション処理部３８０は，ディスク装置３１６を用いて当該テイクのビデオデータを取得し，上記Ｉｎ点情報およびＯｕｔ点情報に基づいて当該ビデオデータの有効映像部分を抽出する。さらに，メタデータアプリケーション処理部３８０は，例えば，ディスク装置３１６が，抽出されたビデオデータを新たな光ディスク３または記録装置３１８に記録するよう制御する。次いで，メタデータアプリケーション処理部３８０は，上記と同様にして，次のカットに対応するテイクのビデオデータを切り出して，上記先のテイクのビデオデータの例えば直後に記録するよう制御する。以上のような処理を繰り返すことで，メタデータアプリケーション処理部３８０は，必要なビデオデータをシナリオ順につなぎ合わせて記録する処理を制御することができる。このようなビデオデータ編集処理により，シナリオに従った映像プログラムのビデオデータを完成させることができる。
【０２２１】
上記のように，メタデータアプリケーション処理部３８０によるメタデータに基づくアプリケーション処理の具体例について説明したが，これらはほんの一例であり，メタデータアプリケーション処理部３８０は，これら以外にも，ビデオ信号に関する各種処理など，編集用端末装置３０における多様な処理をメタデータに基づいて制御することができる。
【０２２２】
＜５．２  編集用端末装置の処理方法＞
次に，本実施形態にかかる編集用端末装置３０におけるメタデータに関する処理方法について説明する。編集用端末装置３０において，メタデータアプリケーション処理部３８０が認識不能な外部メタデータを取得した場合には，まず，メタデータ表記形式識別部３３２が，取得した外部メタデータの表記形式を識別する。次いで，変換テーブル選択部３３４が，上記識別された表記形式に対応する変換テーブルを選択する。さらに，メタデータ表記形式変換部３３６が，上記選択された変換テーブルに基づいて，外部メタデータを内部メタデータの表記形式に変換する。この結果，メタデータアプリケーション処理部３８０は，上記変換され認識可能となったメタデータに基づいて，上記編集用端末装置３０内の各種処理を制御することができる。なお，かかる編集用端末装置のメタデータ変換に関する処理方法は，上記図１２で説明したような，撮像装置４０の処理方法と略同一であるので，その詳細な説明は省略する。
【０２２３】
以上説明したように，撮像装置４０および編集用端末装置３０は，例えば，メタデータ入出力処理部４３０，３３０を備えているので，内部のメタデータアプリケーション処理部４８０，３８０が対応不能な表記形式のメタデータを取得した場合であっても，かかるメタデータを対応可能な表記形式に的確に変換して，認識することができる。このため，撮像装置４０および編集用端末装置３０は，任意の種類のＸＭＬベースのメタデータに，柔軟に対処することができる。
【０２２４】
また，例えば，企画用端末装置１０やフィールドＰＣ５０など他の端末装置に対しても，上記のようなメタデータ入出力処理部を適用することも可能である。これにより，映像プログラム制作支援システム１内で，各々の端末装置が対応可能なメタデータ形式が異なる場合であっても，各々の端末装置が円滑にメタデータをやり取りできるので，映像プログラム制作の効率化や映像作品の品質向上を図ることができる。
【０２２５】
（第２の実施の形態）
次に，本発明の第２の実施の形態について説明する。第２の実施形態では，ビデオ信号記録装置の一実施形態である撮像装置４０が，例えば，自身の生成したメタデータの表記形式を，ビデオ信号再生装置の一実施形態である編集用端末装置３０が対応可能な表記形式に変換した上で，かかる変換したメタデータとビデオ信号を関連付けて編集用端末装置３０に提供することを特徴とする。即ち，ビデオ信号およびメタデータの提供側である撮像装置４０が，ビデオ信号およびメタデータの利用側である編集用端末装置３０に配慮して，メタデータを当該編集用端末装置３０が対処可能な形式に予め変換した上で提供する点に特徴を有する。
【０２２６】
なお，第２の実施形態にかかる撮像装置４０および編集用端末装置３０は，上記第１の実施形態にかかる撮像装置４０および編集用端末装置３０と比して，上記特徴点に関連する機能構成が相違するのみである。このため，第２の実施形態では，撮像装置４０および編集用端末装置３０に関する上記以外の機能構成や，システム構成，メタデータ等については，上記第１の実施形態の場合と略同一であるので，その説明は省略する。
【０２２７】
まず，図１４に基づいて，本実施形態にかかる撮像装置４０の構成について説明する。なお，図１４は，本実施形態にかかる撮像装置４０の概略的な構成を示すブロック図である。
【０２２８】
図１４に示すように，撮像装置４０は，ＣＰＵ４０２と，メモリ部４０４と，操作部４０６と，表示部４０８と，音声出力部４１０と，通信部４１２と，外部インタフェース４１４と，カメラブロック４１６と，ディスク装置４１８と，変換テーブルデータベース４２０と，メタデータ生成部４２２と，メタデータ入出力処理部４３０と，メタデータアプリケーション処理部４８０とを備える。
【０２２９】
なお，第２の実施形態にかかる撮像装置４０におけるメタデータ入出力処理部４３０以外の各部の機能構成は，第１の実施形態にかかる撮像装置４０の場合と略同一であるのでその説明は省略する。
【０２３０】
メタデータ入出力処理部４３０は，本実施形態にかかる特徴部であり，上記図７で説明したように，例えば，内部メタデータを任意の外部メタデータに変換して出力する機能を有する。このメタデータ入出力処理部４３０は，例えば，相手先メタデータ表記形式特定部４３１と，変換テーブル選択部４３４と，メタデータ表記形式変換部４３６とを備える。
【０２３１】
相手先メタデータ表記形式特定部４３１は，例えば，メタデータを提供する相手先の機器（編集用端末装置３０など）が対応可能なメタデータの表記形式（以下では，相手先メタデータ形式と略称する場合もある。）を，特定する機能を有する。より詳細には，相手先メタデータ表記形式特定部４３１は，例えば，担当者の入力操作等により内部メタデータを外部の機器へ提供する旨の指示を受けると，当該外部の機器の相手先メタデータ形式を特定して，相手先メタデータ形式の情報を変換テーブル選択部４３４に出力する。
【０２３２】
かかる相手先メタデータ表記形式特定部４３１が相手先メタデータ形式を特定する手法としては，例えば，担当者の入力に基づいて特定する手法であってもよいし，或いは，例えば，相手先機器を識別する情報などに基づいて相手先メタデータ形式を自動的に特定する手法であってもよい。後者のように自動特定する場合には，相手先メタデータ表記形式特定部４３１は，ネットワーク５を介して相手先の機器にアクセスすることにより，相手先メタデータ形式の情報を自動的に取得するようにしてもよい。或いは，相手先メタデータ表記形式特定部４３１は，撮像装置４０内部のメモリ部３０４や，外部から提供されたメモリーカード等の記録媒体などに格納されている相手先メタデータ形式の情報を読み出すことにより，相手先メタデータ形式の情報を自動的に取得するようにしてもよい。なお，この場合には，例えば，担当者などが，予め調査した例えば複数の相手先メタデータ形式を，上記メモリ部３０４や記録媒体等に記録しておく必要がある。
【０２３３】
変換テーブル選択部４３４は，変換テーブルＤＢ４２０に記録されている例えば複数の変換テーブルの中から，上記編集用端末装置３０などの相手先の機器が認識可能なメタデータの表記形式に対応する変換テーブルを選択する機能を有する。即ち，変換テーブル選択部４３４は，内部メタデータを相手先メタデータ形式に変換するための変換テーブルを選択することができる。かかる変換テーブルの選択処理は，例えば，上記相手先メタデータ表記形式特定部４３１から入力された相手先メタデータ形式の情報に基づいて，実行される。例えば，相手先メタデータ表記形式特定部４３１が判断した相手先メタデータ形式がＭＯＳメタデータ形式である場合には，変換テーブル選択部４３４は，例えば，内部メタデータとＭＯＳメタデータとに対応する変換テーブルを選択する。
【０２３４】
メタデータ表記形式変換部４３６は，上記変換テーブル選択部４３４によって選択された変換テーブルに基づいて，内部メタデータの表記形式を相手先メタデータ形式に変換する機能を有する。このメタデータ表記形式変換部４３６は，上記と同様に，例えば，ＸＳＬＴエンジンなどの変換エンジンで構成されている。かかるメタデータ表記形式変換部４３６は，上記選択された変換テーブルに従って，例えば，上記メタデータ生成部４２２によって生成された内部メタデータ，またはメタデータアプリケーション処理部４８０によって編集された内部メタデータなどを，相手先メタデータ形式に変換することができる。かかるメタデータ変換処理は，例えば，上記図９〜図１１で示したような，タグの変換処理などである。
【０２３５】
上記のように，メタデータ表記形式変換部４３６は，例えば，相手先の機器が対応不能な内部メタデータを，対応可能な相手先メタデータ形式に変換することができる。このように変換されたメタデータは，例えば，ディスク装置４１８により，光ディスク３などの記録媒体に記録される，かかるメタデータの記録時には，本実施形態にかかるビデオ信号記録部であるディスク装置４１８は，例えば，当該メタデータと，当該メタデータに対応するビデオデータを関連付けて記録することができる。このようにメタデータとビデオデータとを関連付けて記録する手法としては，例えば，メタデータファイルとビデオデータファイルを，同一フォルダ或いはリンクされたフォルダ内に記録するなど，記録媒体内のディレクトリ構成を利用する手法，或いは，例えば，上記プログラムメタデータのテイク関連付け情報のように，メタデータ内にビデオデータファイル名を記入する手法などがある。
【０２３６】
このようにして，変換されたメタデータが記録された光ディスク３などの記録媒体は，編集用端末装置３０などの外部機器に提供される。これにより，当該編集用端末装置３０などは，例えば，ビデオデータとともにこのビデオデータに関連するメタデータを，同一の記録媒体を介して取得することができる。
【０２３７】
以上，本実施形態にかかる撮像装置４０の各部の機能構成について説明した。しかし，撮像装置４０は，上記の構成例に限定されるものではない。
【０２３８】
例えば，撮像装置４０は，例えば，上記相手先メタデータ形式に変換したメタデータを，ネットワーク５を介して送信することにより，編集用端末装置３０などの外部機器に提供するようにしてもよい。これにより，撮像装置４０は，当該外部機器に対して，変換したメタデータを迅速に提供することができる。
【０２３９】
また，本実施形態にかかるメタデータ入出力処理部４３０は，例えば，外部から入力された対応不能な表記形式の外部メタデータを内部メタデータに変換するべく，上記第１の実施形態にかかるメタデータ入出力処理部４３０と同様な機能を兼ね備えてもよい。
【０２４０】
即ち，メタデータ入出力処理部４３０は，さらに，外部メタデータの表記形式を識別するメタデータ表記形式識別部４３２を備えるように構成してもよい。さらに，上記変換テーブル選択部４３４が，例えば，第１の実施形態に場合のように，変換テーブルＤＢ４２０内の例えば複数の変換テーブルの中から，上記メタデータ表記形式識別部４３２によって識別された外部メタデータの表記形式に対応する変換テーブルを選択する機能を兼ね備えるようにしてもよい。加えて，上記メタデータ表記形式変換部４３６が，例えば，第１の実施形態に場合のように，外部メタデータを，メタデータアプリケーション処理部８０が対応可能な内部メタデータの表記形式に変換する機能を兼ね備えるようにしてもよい。これらの構成により，撮像装置４０に対して対応不能な外部メタデータを内部メタデータ形式に変換して，メタデータアプリケーション処理部４８０が，変換されたメタデータを認識，処理することが可能となる。
【０２４１】
次に，図１５に基づいて，本実施形態にかかる撮像装置４０におけるメタデータに関する処理方法について説明する。なお，図１５は，本実施形態にかかる撮像装置４０の処理方法を示すフローチャートである。
【０２４２】
図１５に示すように，まず，ステップＳ２０２では，撮像装置４０の内部でメタデータが生成される（ステップＳ２０２：メタデータ生成工程）。撮像装置４０のメタデータ生成部４２２は，例えば，上記テイクメタデータなどのメタデータを新規に生成する。このようにして撮像装置４０内部で生成されたメタデータは，撮像装置４０が対応可能な内部メタデータの表記形式で記述されている。
【０２４３】
なお，ここでいう撮像装置４０の内部で生成されたメタデータには，上記新規生成されたメタデータだけでなく，例えば，外部から提供されて撮像装置４０の内部で編集されたメタデータなども含むものとする。かかる編集されたメタデータの例としては，例えば，メタデータアプリケーション処理部４８０が，上記テイク関連付け情報などを追加記入することなどにより，編集されたプログラムメタデータなどである。
【０２４４】
次いで，ステップＳ２０４では，メタデータを提供する相手先の外部機器が認識可能なメタデータの表記形式が特定される（ステップＳ２０４）。相手先メタデータ表記形式特定部４３１は，例えば，担当者の入力に基づいて，或いは自動的に，上記相手先メタデータ形式を特定する。
【０２４５】
さらに，ステップＳ２０６では，特定された相手先のメタデータ表記形式が，撮像装置４０の内部メタデータの表記形式と同一であるか否かが判定される（ステップＳ２０６）。相手先メタデータ表記形式特定部４３１は，例えば，既知の内部メタデータの表記形式と，上記ステップＳ２０４で特定した相手先メタデータ形式が，同一であるか否かを判断する。この結果，同一でないと判断された場合には，ステップＳ２０８に進み，一方，同一であると判断された場合には，メタデータ変換の必要がないので，ステップＳ２１２に進む。
【０２４６】
その後，ステップＳ２０８では，上記特定されたメタデータの表記形式に対応する変換テーブルが選択される（ステップＳ２０８）。変換テーブル選択部４３４は，例えば，変換テーブルＤＢ４２０に記録されている複数の変換テーブルの中から，上記ステップＳ２０４で特定された相手先メタデータ形式と，および内部メタデータの表記形式とに対応する例えば１つの変換テーブルを選択する。
【０２４７】
次いで，ステップＳ２１０では，上記選択された変換テーブルに基づいて，上記生成されたメタデータの表記形式が変換される（ステップＳ２１０：メタデータ表記形式変換工程）。メタデータ表記形式変換部４３６は，上記ステップＳ２０８で選択された変換テーブルに基づいて，内部メタデータの表記形式を相手先メタデータ形式に変換する。これにより，撮像装置４０は，生成した内部メタデータを，編集用端末装置３０などが認識可能な表記形式に変換することができる。
【０２４８】
さらに，ステップＳ２１２では，上記変換されたメタデータとビデオ信号とが記録媒体に記録される（ステップＳ２１２：ビデオ信号記録工程）。ディスク装置４１８は，編集用端末装置３０などがビデオ信号に関する処理を上記メタデータに基づいて制御できるように，上記ステップＳ２１０で変換されたメタデータ（或いは上記ステップＳ２０６で変換不要と判断されたメタデータ）と，当該メタデータに対応するビデオデータとを相互に関連付けて，光ディスク３などに記録する。
【０２４９】
その後，ステップＳ２１４では，記録媒体を介してメタデータなどが提供される（ステップＳ２１４）。撮像装置４０は，上記ステップＳ２１２でメタデータおよびビデオデータなどが記録された光ディスク３等の記録媒体を，編集用端末装置３０などの外部機器に提供する。これにより，編集用端末装置３０などは，例えば，自身が対応できるように変換されたメタデータを，ビデオデータとともに取得することができる。
【０２５０】
以上のように，撮像装置４０は，自身が生成・編集したメタデータを，編集用端末装置３０などの相手先の対応可能な表記形式に変換した上で記録媒体に記録することができる。このため，かかる記録媒体を取得した当該編集用端末装置３０などは，特段の処理を行わずとも，当該変換されたメタデータを記録媒体から読み出して，認識，処理することができる。よって，メタデータの受け側である当該編集用端末装置３０などは，例えば，上記第１の実施形態で説明したようなメタデータ入出力処理部３３０などを具備しなくてもよいので，装置構成の簡略化，低価格化が図れる。
【０２５１】
また，記録媒体にはビデオデータとメタデータが関連付けられて記録されているので，編集用端末装置３０などは，取得したメタデータとビデオデータの対応関係を容易に把握できる。このため，当該編集用端末装置３０は，当該メタデータに基づいて当該ビデオデータに関する処理を好適に実行できる。
【０２５２】
（第３の実施の形態）
次に，本発明の第３の実施の形態について説明する。第３の実施形態では，ビデオ信号記録装置の一実施形態である撮像装置４０が，例えば，自己の生成したメタデータと，かかるメタデータに対応する変換テーブル，およびビデオ信号を関連付けて，ビデオ信号再生装置の一実施形態である編集用端末装置３０に提供することを特徴とする。即ち，ビデオ信号およびメタデータの提供側である撮像装置４０が，ビデオ信号およびメタデータの利用側である編集用端末装置３０に配慮して，編集用端末装置３０側で当該メタデータを容易に変換して利用できるように，当該メタデータに対応する変換テーブルを当該メタデータとともに提供する点に特徴を有する。
【０２５３】
なお，第３の実施形態にかかる撮像装置４０および編集用端末装置３０は，上記第１の実施形態にかかる撮像装置４０および編集用端末装置３０と比して，上記特徴点に関連する機能構成が相違するのみである。このため，第３の実施形態では，撮像装置４０および編集用端末装置３０に関する上記以外の機能構成や，システム構成，メタデータ等については，上記第１の実施形態の場合と略同一であるので，その説明は省略する。
【０２５４】
まず，図１６に基づいて，本実施形態にかかる撮像装置４０の構成について説明する。なお，図１６は，本実施形態にかかる撮像装置４０の概略的な構成を示すブロック図である。
【０２５５】
図１６に示すように，撮像装置４０は，ＣＰＵ４０２と，メモリ部４０４と，操作部４０６と，表示部４０８と，音声出力部４１０と，通信部４１２と，外部インタフェース４１４と，カメラブロック４１６と，ディスク装置４１８と，変換テーブルデータベース４２０と，メタデータ生成部４２２と，メタデータ入出力処理部４３０と，メタデータアプリケーション処理部４８０とを備える。
【０２５６】
なお，第３の実施形態にかかる撮像装置４０におけるメタデータ入出力処理部４３０以外の各部の機能構成は，第１の実施形態にかかる撮像装置４０の場合と略同一であるのでその説明は省略する。
【０２５７】
メタデータ入出力処理部４３０は，本実施形態にかかる特徴部であり，例えば，内部メタデータの変換に必要な変換テーブルを選択して出力する機能を有する。このメタデータ入出力処理部４３０は，例えば，相手先メタデータ表記形式特定部４３１と，変換テーブル選択部４３４と，を備える。
【０２５８】
相手先メタデータ表記形式特定部４３１は，例えば，メタデータを提供する相手先の機器（編集用端末装置３０など）が対応可能なメタデータの表記形式（以下では，相手先メタデータ形式と略称する場合もある。）を，特定する機能を有する。この相手先メタデータ表記形式特定部４３１の機能構成は，上記第２の実施形態にかかる相手先メタデータ表記形式特定部４３１の機能構成と略同一であるので，その説明は省略する。なお，かかる相手先メタデータ表記形式特定部４３１は，例えば，必ずしも具備されなくともよい。
【０２５９】
変換テーブル選択部４３４は，変換テーブルＤＢ４２０に記録されている例えば複数の変換テーブルの中から，例えば，上記編集用端末装置３０などの相手先の機器が認識可能なメタデータの表記形式に対応する変換テーブルを選択する機能を有する。即ち，変換テーブル選択部４３４は，例えば，相手先の機器が，撮像装置４０の生成した内部メタデータを，相手先メタデータ形式に自ら変換するための変換テーブルを選択することができる。かかる変換テーブルの選択処理は，例えば，上記相手先メタデータ表記形式特定部４３１から入力された相手先メタデータ形式の情報などに基づいて，実行されてもよい。例えば，相手先メタデータ表記形式特定部４３１が特定した相手先メタデータ形式がＭＯＳメタデータ形式である場合には，変換テーブル選択部４３４は，例えば，内部メタデータとＭＯＳメタデータとに対応する変換テーブルを選択する。
【０２６０】
また，メタデータ入出力処理部４３０が上記相手先メタデータ表記形式特定部４３１を具備しない場合には，この変換テーブル選択部４３４は，例えば，撮像装置４０の生成した内部メタデータと，任意の表記形式の外部メタデータとに対応した１又は２以上の変換テーブルを選択するようにしてもよい。この場合はさらに，変換テーブル選択部４３４は，できるだけ多くの種類の外部メタデータに対応できるように，例えば，変換テーブルＤＢ４２０に格納されている例えば全ての変換テーブルを選択するようにしてもよい。
【０２６１】
上記のようにして，変換テーブル選択部４３４によって選択された１又は２以上の変換テーブルは，例えば，ディスク装置４１８により，光ディスク３などの記録媒体に記録される，かかる変換テーブルの記録時には，本実施形態にかかるビデオ信号記録部として構成されているディスク装置４１８は，例えば，当該変換テーブルと，メタデータ生成部４２２などが生成した未変換のメタデータと，当該メタデータに対応するビデオデータとを関連付けて記録媒体に記録することができる。このようにメタデータとビデオデータとを関連付けて記録する手法としては，例えば，変換テーブルファイル，メタデータファイルおよびビデオデータファイルを，同一フォルダ或いはリンクされたフォルダ内に記録するなど，記録媒体内のディレクトリ構成を利用する手法，或いは，例えばメタデータ内に変換テーブルファイル名およびビデオデータファイル名を記入する手法，これら三者の関連付け情報を記録したデータファイルをともに記録する手法などがある。
【０２６２】
このようにして，未変換のメタデータおよび変換テーブルが記録された光ディスク３などの記録媒体は，編集用端末装置３０などの外部機器に提供される。これにより，当該編集用端末装置３０などは，例えば，ビデオデータとともに，このビデオデータに関連するメタデータと，このメタデータを変換するための変換テーブルとを，同一の記録媒体を介して取得することができる。
【０２６３】
以上，本実施形態にかかる撮像装置４０の各部の機能構成について説明した。しかし，撮像装置４０は，上記の構成例に限定されるものではない。
【０２６４】
例えば，撮像装置４０は，例えば，上記未変換のメタデータおよびこのメタデータに対応する変換テーブルなどを，ネットワーク５を介して送信することにより，編集用端末装置３０などの外部機器に提供するようにしてもよい。これにより，撮像装置４０は，当該外部機器に対して，メタデータおよび変換テーブルを迅速に提供することができる。
【０２６５】
また，本実施形態にかかるメタデータ入出力処理部４３０は，例えば，外部から入力された対応不能な表記形式の外部メタデータを内部メタデータに変換するべく，上記第１の実施形態にかかるメタデータ入出力処理部４３０と同様な機能を兼ね備えてもよい。即ち，メタデータ入出力処理部４３０は，さらに，上記メタデータ表記形式識別部４３２および上記メタデータ表記形式変換部４３６を備えるように構成してもよい。かかる構成により，撮像装置４０に対して対応不能な外部メタデータを内部メタデータ形式に変換して，メタデータアプリケーション処理部４８０が，変換されたメタデータを認識，処理することが可能となる。
【０２６６】
次に，図１７に基づいて，本実施形態にかかる撮像装置４０におけるメタデータに関する処理方法について説明する。なお，図１７は，本実施形態にかかる撮像装置４０の処理方法を示すフローチャートである。
【０２６７】
図１７に示すように，まず，ステップＳ３０２では，撮像装置４０の内部でメタデータが生成される（ステップＳ３０２：メタデータ生成工程）。本ステップは，上記図１５で示したステップＳ２０２と略同一であるので，詳細説明は省略する。
【０２６８】
次いで，ステップＳ３０４では，メタデータを提供する相手先の外部機器が認識可能なメタデータの表記形式が特定される（ステップＳ３０４）。相手先メタデータ表記形式特定部４３１は，例えば，担当者の入力に基づいて，或いは自動的に，上記相手先メタデータ形式を特定する。なお，本ステップは省略することが可であり，この場合には，以下のステップＳ３０６，Ｓ３１２，Ｓ３１４も省略される。
【０２６９】
さらに，ステップＳ３０６では，特定された相手先のメタデータ表記形式が，撮像装置４０の内部メタデータの表記形式と同一であるか否かが判定される（ステップＳ３０６）。相手先メタデータ表記形式特定部４３１は，例えば，既知の内部メタデータの表記形式と，上記ステップＳ３０４で特定した相手先メタデータ形式が，同一であるか否かを判断する。この結果，同一でないと判断された場合には，ステップＳ３０８に進み，一方，同一であると判断された場合には，変換テーブルを送出する必要がないので，ステップＳ３１４に進む。
【０２７０】
その後，ステップＳ３０８では，１又は２以上の変換テーブルが選択される（ステップＳ３０８：変換テーブル選択工程）。変換テーブル選択部４３４は，例えば，変換テーブルＤＢ４２０に記録されている例えば複数の変換テーブルの中から，上記ステップＳ３０４で特定された相手先メタデータ形式と，および内部メタデータの表記形式とに対応する例えば１つの変換テーブルを選択する。
【０２７１】
また，上記ステップＳ３０４を省略した場合や，相手先メタデータ形式を特定できなかった場合などには，例えば，変換テーブル選択部４３４は，変換テーブルＤＢ４２０に記録されている例えば複数の変換テーブルのうちの全部又は一部を選択してもよい。
【０２７２】
次いで，ステップＳ３１０では，上記選択された変換テーブル，上記生成されたメタデータおよびビデオ信号が記録媒体に記録される（ステップＳ３１０）。ディスク装置４１８は，編集用端末装置３０などがビデオ信号に関する処理を上記メタデータに基づいて制御できるように，上記ステップＳ３０８で選択された１又は２以上の変換テーブルと，上記ステップＳ３０２で生成された未変換のメタデータと，当該メタデータに対応するビデオデータとを相互に関連付けて，光ディスク３などに記録する。
【０２７３】
さらに，ステップＳ３１２では，記録媒体を介して変換テーブルおよびメタデータなどが提供される（ステップＳ３１２）。撮像装置４０は，上記ステップＳ３１０で変換テーブル，メタデータおよびビデオデータなどが記録された光ディスク３等の記録媒体を，編集用端末装置３０などの外部機器に提供する。これにより，編集用端末装置３０などは，例えば，未変換のメタデータおよびこのメタデータを変換するための変換テーブルを，ビデオデータとともに取得することができる。
【０２７４】
一方，ステップＳ３１４では，上記生成されたメタデータおよびビデオ信号が記録媒体に記録される（ステップＳ３１４）。ディスク装置４１８は，上記ステップＳ３０２で生成された未変換のメタデータと，当該メタデータに対応するビデオデータとを相互に関連付けて，光ディスク３などに記録する。
【０２７５】
その後，ステップＳ３１６では，記録媒体を介してメタデータなどが提供される（ステップＳ３１６）。撮像装置４０は，上記ステップＳ３０８でメタデータおよびビデオデータなどが記録された光ディスク３等の記録媒体を，編集用端末装置３０などの外部機器に提供する。これにより，編集用端末装置３０などは，例えば，未変換でありながら対応可能なメタデータを，ビデオデータとともに取得することができる。
【０２７６】
次に，図１８に基づいて，本実施形態にかかる編集用端末装置３０の構成について説明する。なお，図１８は，本実施形態にかかる編集用端末装置３０の概略的な構成を示すブロック図である。
【０２７７】
図１８に示すように，編集用端末装置３０は，ＣＰＵ３０２と，メモリ部３０４と，入力部３０６と，表示部３０８と，音声出力部３１０と，通信部３１２と，外部インタフェース３１４と，ディスク装置３１６と，記録装置３１８と，変換テーブルＤＢ３２０と，メタデータ入出力処理部３３０と，メタデータアプリケーション処理部３８０と，を備える。
【０２７８】
なお，第３の実施形態にかかる編集用端末装置３０におけるディスク装置３１６およびメタデータ入出力処理部３３０以外の各部の機能構成は，第１の実施形態にかかる編集用端末装置３０の場合と略同一であるのでその説明は省略する。
【０２７９】
ディスク装置３１６は，上記第１の実施形態にかかるディスク装置３１６の機能に加え，例えば，上記撮像装置４０などから提供された記録媒体から，メタデータと，このメタデータの表記形式に対応する１又は２以上の変換テーブルを読み出すメタデータ読出部としても機能する。
【０２８０】
より詳細には，撮像装置４０などから編集用端末装置３０に対して光ディスク３等の記録媒体が提供されると，ディスク装置４１８は，例えば，かかる記録媒体から，未変換の（即ち，例えば撮像装置４０の対応可能な表記形式のままの）メタデータと，このメタデータに関連付けられている１または２以上の変換テーブルとを読み出す。かかる記録媒体に記録されているメタデータは，例えば，ＸＭＬベースではあるものの，上記撮像装置４０が認識可能な表記形式で記述されており，必ずしも編集用端末装置３０に対応した表記形式であるとは限らない。また，上記記録媒体に記録されている変換テーブルは，例えば，上記撮像装置４０による相手先メタデータ形式特定処理および変換テーブル選択処理の内容に応じて，編集用端末装置３０が対応可能なメタデータの表記形式に対応した例えば１の変換テーブルである場合もあれば，或いは，例えば多様な表記形式に対応した複数の変換テーブルである場合もある。
【０２８１】
ディスク装置３１６は，上記のようにして読み出したメタデータおよび変換テーブルをメタデータ入出力処理部３３０に出力する。
【０２８２】
また，撮像装置４０と編集用端末装置３０の対応可能なメタデータの表記形式が略同一であるときなどには，上記撮像装置４０から提供された記録媒体に，例えば，メタデータに関連付けられた変換テーブルが記録されていない場合もある。この場合には，ディスク装置３１６は，例えば，当該記録媒体からメタデータのみを読み出すこともできる。この場合には，当該メタデータの表記形式が，編集用端末装置３０が対応可能な表記形式であるので，後述するメタデータ表記形式の変換処理は不要となる。従って，読み出されたメタデータは，メタデータアプリケーション処理部４８０に直接出力されて，処理される。
【０２８３】
メタデータ入出力処理部３３０は，本実施形態にかかる特徴部であり，上記図７で説明したように，例えば，外部メタデータを内部メタデータに変換した上で，メタデータアプリケーション処理部３８０に対して出力する機能を有する。このメタデータ入出力処理部３３０は，例えば，変換テーブル選択部３３４と，メタデータ表記形式変換部３３６を備える。
【０２８４】
変換テーブル選択部３３４は，例えば，ディスク装置３１６によって読み出された１又は２以上の変換テーブルの中から，編集用端末装置３０のメタデータアプリケーション処理部３８０が対応可能な表記形式に対応した１の変換テーブルを選択する機能を有する。この変換テーブル選択部３３４による選択処理の内容は，例えば，上記撮像装置４０による相手先メタデータ形式特定処理および変換テーブル選択処理によって，好適な変換テーブルが既に選択済みであるか否かによって異なる。
【０２８５】
即ち，例えば，上記撮像装置４０が，予め編集用端末装置３０の対応可能なメタデータ表記形式を特定し，かかる表記形式に対応した例えば１の変換テーブルのみを選択して，記録媒体を介して提供した場合には，変換テーブル選択部３３４は，提供された例えば唯一の変換テーブルを選択する。なお，この場合には，変換テーブル選択部３３４は必ずしも具備されなくともよく，この変換テーブルをメタデータ表記形式変換部３３６に対して直接的に入力するよう構成してもよい。
【０２８６】
一方，上記撮像装置４０が，予め編集用端末装置３０の対応可能なメタデータ表記形式を特定せず，未変換のメタデータに対応する例えば複数の変換テーブルを選択して提供した場合には，変換テーブル選択部３３４は，この提供された複数の変換テーブルの中から，メタデータアプリケーション処理部３８０が対応可能な表記形式に対応した１の変換テーブルを選択する。
【０２８７】
メタデータ表記形式変換部３３６は，例えば，ＸＳＬＴエンジンなどの変換エンジンとして構成されており，上記変換テーブル選択部３３４によって選択された例えば１の変換テーブルに基づいて，上記記録媒体から読み出されたメタデータの表記形式を内部メタデータの表記形式に変換する機能を有する。これにより，メタデータアプリケーション処理部３８０は，かかる変換されたメタデータを認識，処理することが可能となる。
【０２８８】
次に，図１９に基づいて，本実施形態にかかる編集用端末装置３０におけるメタデータに関する処理方法について説明する。なお，図１９は，本実施形態にかかる編集用端末装置３０の処理方法を示すフローチャートである。
【０２８９】
図１９に示すように，まず，ステップＳ３３２では，編集用端末装置３０が記録媒体を取得する（ステップＳ３３２）。編集用端末装置３０は，上記撮像装置４０によってメタデータおよびビデオデータなどが記録された光ディスク３などの記録媒体を取得する。
【０２９０】
次いで，ステップＳ３３４では，上記記録媒体に変換テーブルが記録されているか否かが判断される（ステップＳ３３４）。メタデータ入出力処理部３３０は，例えば，ディスク装置３１８を利用して，上記記録媒体内に，ＸＬＴ文書などの変換テーブルの有無を判断する。この際，例えば，上記撮像装置４０が変換テーブルを記録媒体のルート位置などに記録するように規定されていれば，メタデータ入出力処理部３３０は，変換テーブルの有無を容易に判断することができる。
【０２９１】
この結果，変換テーブルが記録媒体に記録されていると判断された場合には，ステップＳ３４０に進む。一方，変換テーブルが記録媒体に記録されていないと判断された場合には，ステップＳ３３６に進む。
【０２９２】
さらに，ステップＳ３３６では，メタデータが記録媒体から読み出される（ステップＳ３３６）。ディスク装置３１８は，例えば，記録媒体からメタデータを読み出して，メタデータ入出力処理部３３０に出力する。
【０２９３】
次いで，ステップＳ３３８では，上記読み出されたメタデータが編集用端末装置３０で対応可能な形式か否かが判断される（ステップＳ３３８）。メタデータ入出力処理部３３０は，上記ステップＳ３３６で読み出されたメタデータの表記形式が，メタデータアプリケーション処理部３８０で対応可能であるか否かを判断する。例えば，上記撮像装置４０が上記相手先メタデータ形式を特定でき，かつ，その相手先メタデータ形式が撮像装置４０の内部メタデータ形式と略同一であったと判断した場合などには，撮像装置４０は，編集用端末装置３０に対してメタデータのみを提供し，変換テーブルを提供しない。この場合には，上記ステップＳ３３６で読み出されたメタデータは編集用端末装置３０の対応可能な表記形式である。かかる場合などには，上記読み出されたメタデータがメタデータアプリケーション処理部３８０の対応可能な表記形式であると判断され，変換処理を行う必要がないので，ステップＳ３４８に進む。一方，上記読み出されたメタデータがメタデータアプリケーション処理部３８０の対応不能な表記形式であると判断された場合には，変換テーブルも添付されていないため，メタデータアプリケーション処理部３８０は当該メタデータを認識，処理できないので，全てのステップを終了する。
【０２９４】
一方，ステップＳ３４０では，メタデータおよび変換テーブルが記録媒体から読み出される（ステップＳ３４０：メタデータ読出工程）。上記ステップＳ３３４で，変換テーブルが記録媒体に記録されていると判断された場合には，ディスク装置３１８は，例えば，当該記録媒体から，メタデータと，このメタデータに対応する１または２以上の変換テーブルを読み出して，メタデータ入出力処理部３３０に出力する。
【０２９５】
さらに，ステップＳ３４２では，上記読み出された変換テーブルが選択不要であるか否かが判断される（ステップＳ３４２）。メタデータ入出力処理部３３０は，上記ステップＳ３４０で読み出された変換テーブルが，例えば，複数であるか，あるいは１つであるかを判断する。この結果，上記読み出された変換テーブルが複数である場合には，メタデータアプリケーション処理部３８０が対応可能な表記形式に対応する変換テーブルを選択する必要があるので，ステップＳ３４４に進む，一方，上記読み出された変換テーブルが１つである場合は，例えば，上記撮像装置４０によって，編集用端末装置３０の内部メタデータ形式に対応した１の変換テーブルが予め選択されているケースなどである。よって，かかる場合には，変換テーブルの選択は不要であるので，ステップＳ３４６に進む。
【０２９６】
その後，ステップＳ３４４では，内部メタデータに対応する変換テーブルが選択される（ステップＳ３４４：変換テーブル選択工程）。変換テーブル選択部３３４は，上記ステップＳ３４０で読み出された１又は２以上の変換テーブルの中から，例えば，メタデータアプリケーション処理部３８０が対応可能な表記形式に対応した１の変換テーブルを選択する。
【０２９７】
次いで，ステップＳ３４６では，上記読み出し或いは選択された変換テーブルに基づいて，メタデータの表記形式が変換される（ステップＳ３４６：メタデータ表記形式変換工程）。メタデータ表記形式変換部３３６は，例えば，上記ステップＳ３４４で選択された変換テーブル，或いは上記ステップＳ３４０で読み出された唯一の変換テーブルに基づいて，上記ステップＳ３４０で読み出さされたメタデータの表記形式を，メタデータアプリケーション処理部３８０が対応可能な形式に変換する。これにより，編集用端末装置３０は，記録媒体を介して取得したメタデータを，自身が認識可能な表記形式に変換することができる。
【０２９８】
さらに，ステップＳ３４８では，各種のメタデータアプリケーション処理が実行される（ステップＳ３４８：処理制御工程）。メタデータアプリケーション処理部３８０は，例えば，上記表記形式が変換された認識可能となったメタデータに基づいて，上記説明したような編集用端末装置３０内における多様な処理を制御する。また，メタデータアプリケーション処理部３８０は，例えば，ステップＳ３３８で内部メタデータの表記形式と略同一であると判定された外部メタデータを，直接に認識して処理することもできる。
【０２９９】
このように編集用端末装置３０は，例えば，まず，変換テーブルの有無を確認し，それが存在する場合は，記録媒体から読み出したメタデータを当該変換テーブルの規定に従って対応可能な形式に変換することができる。これにより，編集用端末装置３０は，様々な外部メタデータが記録された記録媒体を分け隔てなく取り扱うことが可能となる。
【０３００】
以上のように，本実施形態では，撮像装置４０は，自身が生成・編集したメタデータに対応する変換テーブルを，当該メタデータとともに記録媒体に記録することができる。このため，かかる記録媒体を取得した編集用端末装置３０は，記録媒体から読み出した変換テーブルを用いて，記録媒体から読み出した当該メタデータを，自己が認識，処理可能な表記形式に容易に変換することができる。
【０３０１】
また，撮像装置４０が，例えば，多様な種類の変換テーブルを当該メタデータとともに記録媒体に記録しておくことにより，かかる記録媒体は，認識可能なメタデータ形式が異なる複数の編集用端末装置３０によって利用可能となる。即ち，かかる記録媒体を取得した任意の編集用端末装置３０は，記録されている複数の変換テーブルの中から，上記生成されたメタデータを自己のメタデータ形式に変換するための変換テーブルを選択して，変換処理を好適に実行することができる。このように，記録媒体内に複数種類の変換テーブルを予め記録しておくことにより，かかる１つの記録媒体が，例えば，認識可能なメタデータ形式が異なる複数の編集用端末装置３０などに対応したメタデータ伝達媒体として機能できる。
【０３０２】
また，記録媒体にはビデオデータ，メタデータおよび変換テーブルが関連付けられて記録されているので，編集用端末装置３０は，取得したメタデータと変換テーブルおよびビデオデータの対応関係を容易に把握できる。このため，編集用端末装置３０は，変換したメタデータに基づいて当該ビデオデータに関する処理を好適に実行できる。
【０３０３】
また，上記第１〜第３の実施形態におけるメタデータ生成部４２２，メタデータ入出力処理部３３０，４３０およびメタデータアプリケーション処理部３８０，４８０などは，上記のような処理機能を実現できるものであれば，例えば，専用装置（ハードウェア）として構成されてもよく，また，撮像装置４０や編集用端末装置３０などの各端末装置に，上記処理を実行させるアプリケーションプログラムをインストールして構成されてもよい。さらに，後者の場合，上記アプリケーションプログラムは，上記各端末装置に対して，ＣＤ−ＲＯＭ等の記録媒体によって提供されてもよく，また，通信部３１２，４１２などを介して外部からダウンロードすることで提供されてもよい。また，当該アプリケーションプログラムは，予め，上記各端末装置内のメモリ部３０４，４０４，記録装置３１８，或いは外部インタフェース３１４．４１４等に接続された周辺機器などに格納されていてもよい。
【０３０４】
以上のように，撮像装置４０および編集用端末装置３０などの各端末装置は，例えば，任意の表記形式に従ったＸＭＬベースのメタデータの入出力に対して，柔軟に対応することができる。このため，映像プログラム制作支援システム１内で，各々の端末装置の対応可能なメタデータの表記形式が異なる場合であっても，各々の端末装置が円滑にメタデータをやり取りできる。従って，複数の端末装置間でメタデータを共用して有効利用できるので，映像プログラム制作の効率化や映像作品の品質向上を図ることができる。
【０３０５】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【０３０６】
例えば，上記企画用端末装置１０，撮像装置４０，フィールドＰＣ５０および編集用端末装置３０などの各端末装置は，必ずしも１台だけから構成されなくともよく，複数台から構成される場合であっても実施可能である。例えば，複数台の撮像装置４０が撮影したビデオデータを，光ディスク３またはネットワーク５などを介して，編集用端末装置３０に提供することも可能である。
【０３０７】
また，映像プログラム制作支援システム１は，例えば，上記企画用端末装置１０，取材用端末装置２０および編集用端末装置３０の間に，センターサーバ（図示せず。）を設けることで，企画用端末装置１０，取材用端末装置２０および編集用端末装置３０をクライアントとした，クライアント／サーバ（Ｃｌｉｅｎｔ／Ｓｅｒｖｅｒ）のネットワークシステムとして構成することも可能である。
【０３０８】
例えば，上記第１の実施形態では，企画用端末装置１０，取材用端末装置２０および編集用端末装置３０の間でメタデータを，例えばネットワーク５などを介して直接送受信していたが，本発明はかかる例に限定されない。例えば，ネットワーク５に接続されたセンターサーバ（図示せず。）を設けて，メタデータやビデオデータなどを集中管理するデータベースを構築してもよい。これにより，各端末装置は，ネットワーク５を介してこのセンターサーバにアクセスし，メタデーまたはビデオデータのなどの取得や更新を行うことができる。
【０３０９】
また，上記第１の実施形態では，企画用端末装置１０，取材用端末装置２０および編集用端末装置３０などの間で，メタデータ等を例えばネットワーク５を介して送受信することにより，メタデータをやり取りしていたが，本発明はかかる例に限定されない。例えば，企画用端末装置１０，取材用端末装置２０および編集用端末装置３０などの間で，各種の記録媒体を介してメタデータ等をやり取りしてもよい。かかる構成により，上記第１の実施形態のようなネットワーク５を介した通信を行うための設備等を設けなくても済むので，映像プログラム制作支援システム１をより安価かつ容易に構築できる。
【０３１０】
また，上記第１〜３の実施形態では，取材用端末装置２０を撮像装置４０およびフィールドＰＣ５０という２つのハードウェアから構成したが，本発明はかかる例に限定されない。例えば，取材用端末装置２０は，上記撮像装置４０およびフィールドＰＣ５０の双方の機能を併せ持つハードウェアであれば，例えば１つのハードウェアで構成することも可能である。この１つのハードウェアからなる取材用端末装置２０は，例えば，撮像装置４０にキーボードなどの入力手段を接続して，取材部署担当者が上記撮影状況情報およびテイク撮影状況情報を入力可能に構成することで，実現可能である。
【０３１１】
また，上記第１〜３の実施形態では，映像プログラム制作支援システム１は，企画構成部署，取材部署および編集部署に対応した端末装置１０，２０，３０のみを具備した例について説明しているが，本発明はかかる例に限定されない。実際の映像プログラムの制作に携わる部署は，上記３つの部署以外にも，例えば，事務部署，機材部署，情報部署，台詞部署，ＣＧ／ＳＩ部署，出演者部署，資料部署，データ保存部署など多岐にわたる。従って，映像プログラム制作支援システム１は，これらの部署に対応した１または２以上の端末装置（ビデオ信号処理装置）をさらに備え，上記メタデータをより多くの端末装置間で共用できるように構成してもよい。
【０３１２】
また，上記第１〜３の実施形態では，メタデータを記述する言語として，ＸＭＬを採用したが，かかる例に限定されず，例えば，ＨＴＭＬ（Ｈｙｐｅｒ  Ｔｅｘｔ  Ｍａｒｋｕｐ  Ｌａｎｇｕａｇｅ），ＳＧＭＬ（Ｓｔａｎｄａｒｄ  Ｇｅｎｅｒａｌｉｚｅｄ  Ｍａｒｋｕｐ  Ｌａｎｇｕａｇｅ）などその他のマークアップ言語，或いはＸＭＬ以外のその他の各種の言語などであってもよい。また，例えば，ＸＭＬとＨＴＭＬとの間など，異なるマークアップ言語の間で，メタデータの表記形式を変換できるように構成してもよい。
【０３１３】
また，上記第１〜３の実施形態では，ビデオ信号記録装置の一実施形態として撮像装置４０の例を挙げるとともに，ビデオ信号記録装置の一実施形態として編集用端末装置３０の例を挙げて説明したが，本発明はかかる例に限定されない。例えば，ビデオ信号記録装置としては，ビデオ信号を記録媒体に記録可能な装置であれば，撮像装置４０以外の各種装置で構成されてもよい。また，ビデオ信号再生装置としては，ビデオ信号を再生可能な装置であれば，編集用端末装置３０以外の各種装置で構成されてもよい。
【０３１４】
また，上記第１〜３の実施形態では，ビデオ信号記録装置およびビデオ信号再生装置などのビデオ信号処理装置が，１つの映像プログラム制作支援システム１の構成要素として構成されていたが，本発明はかかる例に限定されない。例えば，ビデオ信号記録装置およびビデオ信号再生装置などのビデオ信号処理装置は，例えば，所定のシステム内で一組となって利用される場合のみならず，各々が単体で利用されてもよい。
【０３１５】
また，上記第２および３の実施形態では，撮像装置４０は，光ディスク３などの記録媒体を介して，メタデータ及び／又は変換テーブルをビデオデータとともに，編集用端末装置３０に提供したが，本発明はかかる例に限定されない。例えば，撮像装置４０は，編集用端末装置３０に対して，ビデオデータと，メタデータ及び／又は変換テーブルとを別々に提供してもよい。即ち，撮像装置４０は，ビデオデータが記録される光ディスク３などとは異なる，メモリーカード，メモリースティック，磁気ディスク等の各種の記録媒体を介して，メタデータ及び／又は変換テーブルを編集用端末装置３０に提供してもよい。また，撮像装置４０は，例えば，ネットワーク５を介した送信により，メタデータ及び／又は変換テーブルを編集用端末装置３０に提供してもよい。
【図面の簡単な説明】
【０３１６】
【図１】図１は，第１の実施形態にかかる映像プログラム制作支援システムの概略的な構成を示すブロック図である。
【図２】図２は，第１の実施形態にかかるプログラムメタデータの構成を例示する説明図である。
【図３】図３は，上記図２で説明したプログラムメタデータのＸＭＬによる記述例の一部を示す説明図である。
【図４】図４は，上記図２で説明したプログラムメタデータのＸＭＬによる記述例の一部を示す説明図である。
【図５】図５は，第１の実施形態にかかるテイクメタデータの構成を例示する説明図である。
【図６】図６は，上記図５で説明したテイクメタデータのＸＭＬによる記述例を示す説明図である。
【図７】図７は，第１の実施形態にかかるＸＳＬＴエンジンによるメタデータの変換を概念的に示す説明図である。
【図８】図８は，第１の実施形態にかかる撮像装置の概略的な構成を示すブロック図である。
【図９】図９は，外部メタデータに一例であるＭＯＳメタデータによる取材指示情報の記述例を示す説明図である。
【図１０】図１０は，ＭＯＳメタデータおよび内部メタデータに対応した変換テーブルの具体例を示す説明図である。
【図１１】図１１は，変換された内部メタデータによる取材指示情報の記述例を示す説明図である。
【図１２】図１２は，第１の実施形態にかかる撮像装置の処理方法を示すフローチャートである。
【図１３】図１３は，第１の実施形態にかかる編集用端末装置の概略的な構成を示すブロック図である。
【図１４】図１４は，第２の実施形態にかかる撮像装置の概略的な構成を示すブロック図である。
【図１５】図１５は，第２の実施形態にかかる撮像装置の処理方法を示すフローチャートである。
【図１６】図１６は，第３の実施形態にかかる撮像装置の概略的な構成を示すブロック図である。
【図１７】図１７は，第３の実施形態にかかる撮像装置の処理方法を示すフローチャートである。
【図１８】図１８は，第３の実施形態にかかる編集用端末装置の概略的な構成を示すブロック図である。
【図１９】図１９は，第３の実施形態にかかる編集用端末装置の処理方法を示すフローチャートである。
【符号の説明】
【０３１７】
１  ：  映像プログラム制作支援システム
３  ：  光ディスク
５  ：  ネットワーク
１０  ：  企画用端末装置
２０  ：  取材用端末装置
３０  ：  編集用端末装置
４０  ：  撮像装置
５０  ：  フィールドＰＣ／ＰＤＡ
３１６  ：  ディスク装置
３２０  ：  変換テーブルデータベース
３３０  ：  メタデータ入出力処理部
３３２  ：  メタデータ表記形式識別部
３３４  ：  変換テーブル選択部
３３６  ：  メタデータ表記形式変換部
３８０  ：  メタデータアプリケーション処理部
４１６  ：  カメラブロック
４１８  ：  ディスク装置
４２０  ：  変換テーブルデータベース
４２２  ：  メタデータ生成部
４３０  ：  メタデータ入出力処理部
４３１  ：  相手先メタデータ表記形式特定部
４３２  ：  メタデータ表記形式識別部
４３４  ：  変換テーブル選択部
４３６  ：  メタデータ表記形式変換部
４８０  ：  メタデータアプリケーション処理部
【図１】
2006094508.tif 000003
【図２】
2006094508.tif 000004
【図３】
2006094508.tif 000005
【図４】
2006094508.tif 000006
【図５】
2006094508.tif 000007
【図６】
2006094508.tif 000008
【図７】
2006094508.tif 000009
【図８】
2006094508.tif 000010
【図９】
2006094508.tif 000011
【図１０】
2006094508.tif 000012
【図１１】
2006094508.tif 000013
【図１２】
2006094508.tif 000014
【図１３】
2006094508.tif 000015
【図１４】
2006094508.tif 000016
【図１５】
2006094508.tif 000017
【図１６】
2006094508.tif 000018
【図１７】
2006094508.tif 000019
【図１８】
2006094508.tif 000020
【図１９】
2006094508.tif 000021
【手続補正書】
【提出日】平成17年10月25日(2005.10.25)
【手続補正１】
【補正対象書類名】特許請求の範囲
【補正対象項目名】全文
【補正方法】変更
【補正の内容】
【特許請求の範囲】
【請求項１】
ビデオデータを処理するビデオデータ処理装置において：
所定の言語で記述されたメタデータの表記形式を識別する，メタデータ表記形式識別部と；
２以上の変換テーブルの中から，前記メタデータ表記形式識別部により識別されたメタデータの表記形式に対応する変換テーブルを選択する，変換テーブル選択部と；
前記ビデオデータ処理装置と同一又は異なるビデオデータ処理装置が前記ビデオデータに関する処理を前記メタデータに基づいて制御できるように，前記変換テーブル選択部により選択された変換テーブルに基づいて，前記メタデータの表記形式を，当該ビデオデータ処理装置が対応可能な表記形式に変換する，メタデータ表記形式変換部と；
を備えることを特徴とする，ビデオデータ処理装置。
【請求項２】
前記所定の言語は，マークアップ言語であることを特徴とする，請求項１に記載のビデオデータ処理装置。
【請求項３】
前記マークアップ言語は，ＸＭＬであることを特徴とする，請求項２に記載のビデオデータ処理装置。
【請求項４】
前記メタデータ表記形式変換部は，ＸＳＬＴエンジンであることを特徴とする，請求項３に記載のビデオデータ処理装置。
【請求項５】
前記メタデータ表記形式識別部は，前記マークアップ言語で記述されたメタデータからタグを検出することにより，前記メタデータの表記形式を識別することを特徴とする，請求項２に記載のビデオデータ処理装置。
【請求項６】
前記ビデオデータ処理装置は，前記ビデオデータを記録媒体に記録するビデオデータ記録装置であることを特徴とする，請求項１に記載のビデオデータ処理装置。
【請求項７】
前記ビデオデータ処理装置は，前記ビデオデータを再生するビデオデータ再生装置であることを特徴とする，請求項１に記載のビデオデータ処理装置。
【請求項８】
コンピュータをして，
ビデオデータを処理するビデオデータ処理装置であって：
所定の言語で記述されたメタデータの表記形式を識別する，メタデータ表記形式識別部と；
２以上の変換テーブルの中から，前記メタデータ表記形式識別部により識別されたメタデータの表記形式に対応する変換テーブルを選択する，変換テーブル選択部と；
前記ビデオデータ処理装置と同一又は異なるビデオデータ処理装置が前記ビデオデータに関する処理を前記メタデータに基づいて制御できるように，前記変換テーブル選択部により選択された変換テーブルに基づいて，前記メタデータの表記形式を，当該ビデオデータ処理装置が対応可能な表記形式に変換する，メタデータ表記形式変換部と；
を備えるビデオデータ処理装置として機能せしめることを特徴とする，プログラム。
【請求項９】
コンピュータ読み取り可能な記録媒体であって：
コンピュータをして，
ビデオデータを処理するビデオデータ処理装置であって：
所定の言語で記述されたメタデータの表記形式を識別する，メタデータ表記形式識別部と；
２以上の変換テーブルの中から，前記メタデータ表記形式識別部により識別されたメタデータの表記形式に対応する変換テーブルを選択する，変換テーブル選択部と；
前記ビデオデータ処理装置と同一又は異なるビデオデータ処理装置が前記ビデオデータに関する処理を前記メタデータに基づいて制御できるように，前記変換テーブル選択部により選択された変換テーブルに基づいて，前記メタデータの表記形式を，当該ビデオデータ処理装置が対応可能な表記形式に変換する，メタデータ表記形式変換部と；
を備えるビデオデータ処理装置として機能せしめることを特徴とするプログラムが記録されたコンピュータ読み取り可能な記録媒体。
【請求項１０】
ビデオデータを処理するビデオデータ処理装置の処理方法であって：
所定の言語で記述されたメタデータの表記形式を識別する，メタデータ表記形式識別ステップと；
２以上の変換テーブルの中から，前記メタデータ表記形式識別ステップにより識別されたメタデータの表記形式に対応する変換テーブルを選択する，変換テーブル選択ステップと；
前記ビデオデータ処理装置と同一又は異なるビデオデータ処理装置が前記ビデオデータに関する処理を前記メタデータに基づいて制御できるように，前記変換テーブル選択ステップにより選択された変換テーブルに基づいて，前記メタデータの表記形式を，当該ビデオデータ処理装置が対応可能な表記形式に変換する，メタデータ表記形式変換ステップと；
を含むことを特徴とする，ビデオデータ処理装置の処理方法。
【手続補正２】
【補正対象書類名】明細書
【補正対象項目名】全文
【補正方法】変更
【補正の内容】
【発明の詳細な説明】
【技術分野】
【０００１】
本発明は，ビデオデータ処理装置，ビデオデータ処理装置の処理方法，プログラム，記録媒体に関する。
【背景技術】
【０００２】
近年，ＴＶ番組やビデオコンテンツなどの映像作品の制作分野では，撮影した映像素材（ビデオデータ等）に関するメタデータの利用が進んできている。かかるメタデータを有効活用するためには，映像作品の制作に利用される複数の機器間でメタデータの互換性が必要となる。例えば，ビデオカメラ等のビデオデータ記録装置が生成したメタデータを，編集機器等のビデオデータ再生装置が利用するといったケースなどでは，共用されるメタデータの互換性が求められる。
【０００３】
しかしながら，従来では，上記メタデータの表記形式や意味に一貫性がなく，同じ用途であっても互換性が全く取れなかった。このような状況の下，メタデータの表記形式の標準化が進められてきた。例えば，汎用性が高いＸＭＬ（ｅＸｔｅｎｓｉｂｌｅ  Ｍａｒｋｕｐ  Ｌａｎｇｕａｇｅ）等でメタデータを記述することにより，メタデータの表記形式の標準化を図ろうとする動きもある。しかし，それぞれの標準化団体の考え方や目標とするところが異なる結果，標準化方式とはいえども様々な形式のメタデータが存在しているのが現状である。
【０００４】
他方，究極的には，各ユーザが自身の個別要求を満たすことを目的としてメタデータを利用するので，メタデータ形式の多様化はある程度は避けられない。換言すれば，ある単一のメタデータ形式が全ての映像作品の制作分野で広く採用されることは，将来的にもあまり期待できない。たとえ，仮にそうなったとしても，各ユーザの個別ニーズに基づく，メタデータ形式の追加・拡張要求は残らざるを得ない。
【発明の開示】
【発明が解決しようとする課題】
【０００５】
上記のような多様極まるメタデータ形式に対処するためには，それぞれのメタデータの表記形式に応じた変換ツールおよび変換テーブルを個別に開発しなければならなかった。たとえ，この変換ツールが変換テーブルから独立した汎用的なものであっても，変換テーブルはあくまでメタデータの表記形式に応じた固有なものとならざるを得ないので，その都度，かかる変換テーブルを用意しなければならない点は同様であった。
【０００６】
このため，映像作品の制作に用いられる各機器が，多様な表記形式のメタデータに柔軟に対応することができないという問題があった。この結果，これら複数の機器間でメタデータを迅速かつ円滑にやり取りすることが困難であった。
【０００７】
本発明は，上記問題点に鑑みてなされたものであり，本発明の目的は，多様な表記形式のメタデータに柔軟に対応することが可能な，新規かつ改良されたビデオデータ処理装置およびその処理方法等を提供することにある。
【課題を解決するための手段】
【０００８】
上記課題を解決するため，本発明の第１の観点によれば，ビデオデータを処理するビデオデータ処理装置が提供される。このビデオデータ処理装置は，所定の言語で記述されたメタデータの表記形式を識別する，メタデータ表記形式識別部と；２以上の変換テーブルの中から，メタデータ表記形式識別部により識別されたメタデータの表記形式に対応する変換テーブルを選択する，変換テーブル選択部と；上記ビデオデータ処理装置と同一又は異なるビデオデータ処理装置がビデオデータに関する処理をメタデータに基づいて制御できるように，変換テーブル選択部により選択された変換テーブルに基づいて，メタデータの表記形式を，当該ビデオデータ処理装置が対応可能な表記形式に変換する，メタデータ表記形式変換部と；を備えることを特徴とする。
【０００９】
かかる構成により，ビデオデータ処理装置は，所定の言語で記述された任意の表記形式のメタデータに，柔軟に対処することができる。即ち，メタデータ表記形式識別部は，外部から取得したメタデータが，いかなる表記形式で記述されているかを識別することができる。また，変換テーブル選択部は，メタデータ表記形式識別部によって識別された表記形式と，ビデオデータ処理装置内部で認識可能な表記形式との間の変換ルールを規定した変換テーブルを選択することができる。さらに，メタデータ表記形式変換部は，変換テーブル選択部によって選択された変換テーブルの変換ルールに従って，取得したメタデータの表記形式を，ビデオデータ処理装置内部で認識可能な表記形式に変換することができる。また，上記ビデオデータ処理装置と同一又は異なるビデオデータ処理装置が具備する処理制御部は，メタデータ表記形式変換部によって変換されたメタデータを認識，処理して，かかるメタデータに基づいてビデオデータに関する多様な処理を実行することができる。
【００１０】
なお，メタデータの表記形式（スキーマ）とは，例えば，メタデータの書式，データ形式，構造，文書型定義，属性表現形式，その他のメタデータの種類を含むものである。
【００１１】
また，上記メタデータ表記形式識別部は，マークアップ言語で記述されたメタデータからタグを検出することにより，メタデータの表記形式を識別するように構成してもよい。かかる構成により，メタデータ表記形式識別部は，タグ言語であるマークアップ言語で記述されたメタデータから，開始タグなどを検出するだけで，メタデータの表記形式を容易かつ迅速に特定することができる。
【００１２】
また，上記ビデオデータ処理装置は，ビデオデータを記録媒体に記録するビデオデータ記録装置，或いは，ビデオデータを再生するビデオデータ再生装置であるように構成してもよい。
【００１３】
また，上記課題を解決するため，本発明の別の観点によれば，コンピュータをして，上記ビデオデータ処理装置として機能せしめることを特徴とする，プログラムが提供される。
【００１４】
また，上記課題を解決するため，本発明の別の観点によれば，コンピュータ読み取り可能な記録媒体であって，：コンピュータをして，上記ビデオデータ処理装置として機能せしめることを特徴とするプログラムが記録されたコンピュータ読み取り可能な記録媒体が提供される。
【００１５】
また，上記課題を解決するため，本発明の別の観点によれば，ビデオデータを処理するビデオデータ処理装置の処理方法が提供される。このビデオデータ処理装置の処理方法は，所定の言語で記述されたメタデータの表記形式を識別する，メタデータ表記形式識別ステップと；２以上の変換テーブルの中から，メタデータ表記形式識別ステップにより識別されたメタデータの表記形式に対応する変換テーブルを選択する，変換テーブル選択ステップと；上記ビデオデータ処理装置と同一又は異なるビデオデータ処理装置がビデオデータに関する処理をメタデータに基づいて制御できるように，変換テーブル選択ステップにより選択された変換テーブルに基づいて，メタデータの表記形式を，当該ビデオデータ処理装置が対応可能な表記形式に変換する，メタデータ表記形式変換ステップと；を含むことを特徴とする。かかる構成により，ビデオデータ処理装置は，所定の言語で記述された任意の表記形式のメタデータに，柔軟に対処することができる。
【００１６】
また，上記課題を解決するため，本発明の別の観点によれば，ビデオデータを記録媒体に記録するビデオデータ記録装置が提供される。このビデオデータ記録装置は，ビデオデータに関連するメタデータを所定の言語で記述して生成するメタデータ生成部と；予め用意されている１又は２以上の変換テーブルに基づいて，少なくとも生成されたメタデータの表記形式を，記録媒体に記録されたビデオデータを再生するビデオデータ再生装置が対応可能な表記形式に変換する，メタデータ表記形式変換部と；ビデオデータ再生装置がビデオデータに関する処理をメタデータに基づいて制御できるように，表記形式が変換されたメタデータ，およびビデオデータを関連付けて記録媒体に記録する，ビデオデータ記録部と；を備えることを特徴とする。
【００１７】
かかる構成により，ビデオデータ記録装置は，記録媒体を介して，自身が生成したメタデータをビデオデータとともにビデオデータ再生装置に提供することができる。このとき，ビデオデータ記録装置は，自身が生成したメタデータの表記形式を，ビデオデータ再生装置が対応可能な表記形式に予め変換する前処理を行った上で，当該メタデータをビデオデータ再生装置に提供できる。このため，ビデオデータ再生装置は，特殊な装置を具備しなくとも，ビデオデータ記録装置から取得した記録媒体に記録されているメタデータを，認識，処理することが可能となる。このように，ビデオデータ記録装置は，ビデオデータ再生装置に対して，自身のメタデータ表記形式を無理強いしないようにできる。
【００１８】
また，上記ビデオデータ記録装置は，さらに，１又は２以上の変換テーブルの中から，少なくとも，ビデオデータ再生装置が対応可能なメタデータの表記形式に対応する変換テーブルを選択する，変換テーブル選択部；を備え，メタデータ表記形式変換部は，変換テーブル選択部によって選択された変換テーブルに基づいて，少なくとも生成されたメタデータの表記形式を，ビデオデータ再生装置が対応可能な表記形式に変換するように構成してもよい。かかる構成により，変換テーブル選択部は，ビデオデータ記録装置が生成したメタデータの表記形式と，ビデオデータ再生装置が対応可能なメタデータの表記形式の双方に対応する変換テーブルを選択することができる。このように変換テーブル選択部が適切な変換テーブルを選択した上で，メタデータ表記形式変換部がメタデータの表記形式を変換できるので，効率的に変換処理を実行できる。
【００１９】
また，上記課題を解決するため，本発明の別の観点によれば，コンピュータをして，上記ビデオデータ記録装置として機能せしめることを特徴とする，プログラムが提供される。
【００２０】
また，上記課題を解決するため，本発明の別の観点によれば，コンピュータ読み取り可能な記録媒体であって，：コンピュータをして，上記ビデオデータ記録装置として機能せしめることを特徴とするプログラムが記録されたコンピュータ読み取り可能な記録媒体が提供される。
【００２１】
また，上記課題を解決するため，本発明の別の観点によれば，ビデオデータを記録媒体に記録するビデオデータ記録装置の処理方法が提供される。このビデオデータ記録装置の処理方法は，ビデオデータに関連するメタデータを所定の言語で記述して生成するメタデータ生成工程と；予め用意されている１又は２以上の変換テーブルに基づいて，少なくとも生成されたメタデータの表記形式を，記録媒体に記録されたビデオデータを再生するビデオデータ再生装置が対応可能な表記形式に変換する，メタデータ表記形式変換工程と；ビデオデータ再生装置がビデオデータに関する処理をメタデータに基づいて制御できるように，表記形式が変換されたメタデータ，およびビデオデータを関連付けて記録媒体に記録する，ビデオデータ記録工程と；を含むことを特徴とする。かかる構成により，ビデオデータ記録装置は，自身が生成したメタデータの表記形式を，ビデオデータ再生装置が対応可能な表記形式に予め変換した上で，ビデオデータ再生装置に提供できる。
【００２２】
また，上記課題を解決するため，本発明の別の観点によれば，ビデオデータを記録媒体に記録するビデオデータ記録装置が提供される。このビデオデータ記録装置は，ビデオデータに関連するメタデータを所定の言語で記述して生成するメタデータ生成部と；予め用意されている１又は２以上の変換テーブルの中から，少なくとも１の変換テーブルを選択する，変換テーブル選択部と；記録媒体に記録されたビデオデータを再生するビデオデータ再生装置がビデオデータに関する処理をメタデータに基づいて制御できるように，少なくとも生成されたメタデータ，選択された変換テーブル，およびビデオデータを関連付けて記録媒体に記録する，ビデオデータ記録部と；を備えることを特徴とする。
【００２３】
かかる構成により，ビデオデータ記録装置は，記録媒体を介して，自身が生成したメタデータおよびこのメタデータに対応する変換テーブルを，ビデオデータとともにビデオデータ再生装置に提供することができる。即ち，ビデオデータおよびメタデータの提供側であるビデオデータ記録装置は，ビデオデータおよびメタデータの利用側であるビデオデータ再生装置に配慮して，自身が生成したメタデータをビデオデータ再生装置側で容易に変換して利用できるように，当該メタデータに対応する変換テーブルを，未変換のメタデータとともに提供することができる。このため，ビデオデータ再生装置は，提供された変換テーブルを利用して，ビデオデータ記録装置から取得した記録媒体に記録されているメタデータを容易に変換した上で，認識，処理することが可能となる。このように，ビデオデータ記録装置は，ビデオデータ再生装置に対して，自身のメタデータ表記形式を無理強いしないようにできる。
【００２４】
また，上記変換テーブル選択部は，少なくとも，ビデオデータ再生装置が対応可能なメタデータの表記形式に対応する変換テーブルを選択するように構成してもよい。かかる構成により，変換テーブル選択部は，ビデオデータ記録装置が生成したメタデータの表記形式と，ビデオデータ再生装置が対応可能なメタデータの表記形式の双方に対応する変換テーブルを選択することができる。このため，ビデオデータ記録装置は，ビデオデータ再生装置に対して，当該メタデータを変換するために適切な変換テーブルを提供することができる。
【００２５】
また，上記課題を解決するため，本発明の別の観点によれば，コンピュータをして，上記ビデオデータ処理装置として機能せしめることを特徴とする，プログラムが提供される。
【００２６】
また，上記課題を解決するため，本発明の別の観点によれば，コンピュータ読み取り可能な記録媒体であって，：コンピュータをして，上記ビデオデータ処理装置として機能せしめることを特徴とするプログラムが記録されたコンピュータ読み取り可能な記録媒体が提供される。
【００２７】
また，上記課題を解決するため，本発明の別の観点によれば，ビデオデータを記録媒体に記録するビデオデータ記録装置の処理方法が提供される。このビデオデータ記録装置の処理方法は，ビデオデータに関連するメタデータを所定の言語で記述して生成するメタデータ生成工程と；予め用意されている１又は２以上の変換テーブルの中から，少なくとも１の変換テーブルを選択する，変換テーブル選択工程と；記録媒体に記録されたビデオデータを再生するビデオデータ再生装置がビデオデータに関する処理をメタデータに基づいて制御できるように，少なくとも生成されたメタデータ，選択された変換テーブル，およびビデオデータを関連付けて記録媒体に記録する，ビデオデータ記録工程と；を含むことを特徴とする。かかる構成により，ビデオデータ記録装置は，記録媒体を介して，自身が生成したメタデータおよびこのメタデータを変換する際に必要な変換テーブルを，ビデオデータとともにビデオデータ再生装置に提供することができる。
【００２８】
また，上記課題を解決するため，本発明の別の観点によれば，記録媒体に記録されたビデオデータを再生するビデオデータ再生装置が提供される。このビデオデータ再生装置は，ビデオデータが記録された記録媒体から，所定の言語で記述されたメタデータと，メタデータの表記形式に対応した少なくとも１の変換テーブルと，を読み出す，メタデータ読出部と；読み出された少なくとも１の変換テーブルに基づいて，読み出されたメタデータの表記形式を，ビデオデータ再生装置が対応可能な表記形式に変換する，メタデータ表記形式変換部と；表記形式が変換されたメタデータに基づいて，ビデオデータに関連する処理を制御する，処理制御部と；
を備えることを特徴とする。
【００２９】
かかる構成により，ビデオデータ再生装置は，記録媒体から読み出した変換テーブルを利用して，ビデオデータ記録装置から取得したメタデータを，自己の対応可能な表記形式に容易に変換することができる。このため，ビデオデータ再生装置の処理制御部は，メタデータ表記形式変換部によって変換されたメタデータを認識，処理して，かかるメタデータを利用したビデオデータ再生装置における多様な処理を実行することができる。
【００３０】
また，上記ビデオデータ再生装置は，さらに，読み出された少なくとも１の変換テーブルの中から，ビデオデータ再生装置が対応可能なメタデータの表記形式に対応する変換テーブルを選択する変換テーブル選択部；を備え，メタデータ表記形式変換部は，変換テーブル選択部によって選択された変換テーブルに基づいて，読み出されたメタデータの表記形式を，ビデオデータ再生装置が対応可能な表記形式に変換するように構成してもよい。かかる構成により，変換テーブル選択部は，ビデオデータ記録装置が生成したメタデータの表記形式と，ビデオデータ再生装置が対応可能なメタデータの表記形式の双方に対応する変換テーブルを選択することができる。このように変換テーブル選択部が適切な変換テーブルを選択した上で，メタデータ表記形式変換部がメタデータの表記形式を変換できるので，効率的に変換処理を実行できる。
【００３１】
また，上記課題を解決するため，本発明の別の観点によれば，コンピュータをして，上記ビデオデータ再生装置として機能せしめることを特徴とする，プログラムが提供される。
【００３２】
また，上記課題を解決するため，本発明の別の観点によれば，コンピュータ読み取り可能な記録媒体であって，：コンピュータをして，上記ビデオデータ再生装置として機能せしめることを特徴とするプログラムが記録されたコンピュータ読み取り可能な記録媒体が提供される。
【００３３】
また，上記課題を解決するため，本発明の別の観点によれば，記録媒体に記録されたビデオデータを再生するビデオデータ再生装置の処理方法が提供される。このビデオデータ再生装置の処理方法は，ビデオデータが記録された記録媒体から，所定の言語で記述されたメタデータと，メタデータの表記形式に対応した少なくとも１の変換テーブルと，を読み出す，メタデータ読出工程と；読み出された少なくとも１の変換テーブルに基づいて，読み出されたメタデータの表記形式を，ビデオデータ再生装置が対応可能な表記形式に変換する，メタデータ表記形式変換工程と；表記形式が変換されたメタデータに基づいて，ビデオデータに関連する処理を制御する，処理制御工程と；を含むことを特徴とする。かかる構成により，ビデオデータ再生装置は，記録媒体から読み出した変換テーブルを利用して，ビデオデータ記録装置から取得したメタデータを，自己の対応可能な表記形式に容易に変換することができる。
【００３４】
さらに，以上のようなビデオデータ処理装置，ビデオデータ記録装置，ビデオデータ再生装置，これら装置の処理方法，プログラムおよび記録媒体においては，以下のように構成されてもよい。
【００３５】
即ち，上記所定の言語は，マークアップ言語であるように構成してもよい。さらに，このマークアップ言語は，ＸＭＬ（ｅＸｔｅｎｓｉｂｌｅ  Ｍａｒｋｕｐ  Ｌａｎｇｕａｇｅ）であるように構成してもよい。かかる構成により，汎用性が高く，分かり易い言語で，メタデータを記述できる。
【００３６】
さらに，上記メタデータ表記形式変換部は，ＸＳＬＴエンジンであるように構成してもよい。かかる構成により，ＸＭＬで記述されたメタデータを変換するための変換エンジンを容易に構成できる。
【００３７】
また，上記記録媒体は，光ディスクであるように構成してもよい。
【発明の効果】
【００３８】
以上説明したように，本発明によれば，ビデオデータ処理装置は，多様な表記形式のメタデータの入出力に対して柔軟に対応することができる。このため，複数のビデオデータ処理装置間でメタデータを共用して有効利用できるので，映像作品の制作の効率化や品質向上を図ることができる。
【発明を実施するための最良の形態】
【００３９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００４０】
（第１の実施の形態）
以下に，本発明の第１の実施の形態について説明する。第１の実施形態にかかるビデオデータ処理装置は，対応不能な形式のメタデータを取得した場合に，このメタデータを自己が対応可能な表示形式に変換し，かかる変換したメタデータに基づいて各種のビデオデータに関する処理を実行できることを特徴とする。以下に，かかる特徴を実現するためのビデオデータ処理装置について詳細に説明する。
【００４１】
＜１．映像プログラム制作支援システム＞
まず，本実施形態にかかるビデオデータ処理装置が採用される映像プログラム制作支援システムの全体構成について説明する。
【００４２】
映像プログラム制作支援システムは，例えば，テレビ放送局や，ビデオコンテンツ，映画等の制作会社などに設けられ，ＴＶ番組，ビデオコンテンツ，映画などの映像作品である映像プログラムを制作するためのシステムである。本実施形態にかかる映像プログラム制作支援システムの特徴は，映像プログラムの制作を分担する各部署で用いられる複数の端末装置間で，電子ファイル形式のメタデータ（詳細については後述する。）を，共用できる点にある。
【００４３】
ここで，図１に基づいて，本実施形態にかかる映像プログラム制作支援システムの構成について説明する。なお，図１は，本実施形態にかかる映像プログラム制作支援システムの概略的な構成を示すブロック図である。
【００４４】
図１に示すように，本実施形態にかかる映像プログラム制作支援システム１は，例えば，ネットワーク５と，企画用端末装置１０と，撮像装置４０およびフィールドＰＣ／ＰＤＡ（以下，フィールドＰＣという。）５０などからなる取材用端末装置２０と，編集用端末装置３０と，から主に構成される。
【００４５】
ネットワーク５は，例えば，企画用端末装置１０，撮像装置４０，フィールドＰＣ５０および編集用端末装置３０などを相互に双方向通信可能に接続する電気通信回線網である。このネットワーク５は，本実施形態では，例えば，ＲＳ−４２２又はＲＳ−２３２Ｃなどの有線通信回線と，ＩＥＥＥ８０２．１１ａ規格などを始めとした無線通信回線などから構成される。しかし，ネットワーク５は，かかる例に限定されず，この他にも，例えば，ＦＤＤＩ（Ｆｉｂｅｒ  Ｄｉｓｔｒｉｂｕｔｅｄ  Ｄａｔａ  Ｉｎｔｅｒｆａｃｅ）などの光ファイバ網，衛星通信網，イーサネット（登録商標），ＬＡＮ，インターネットなどの各種の専用または公衆回線網を利用して構成されてもよい。
【００４６】
かかるネットワーク５は，例えば，企画用端末装置１０が生成したメタデータを，撮像装置４０およびフィールドＰＣ５０（即ち，取材用端末装置２０）などに伝送することができる。また，ネットワーク５は，例えば，撮像装置４０が記録したビデオデータや，撮像装置４０およびフィールドＰＣ５０が生成・編集したメタデータなどを，編集用端末装置３０などに伝送することができる。
【００４７】
なお，映像プログラム制作支援システム１は，例えば，このようなネットワーク５を必ずしも具備していなくともよい。この場合には，各端末装置間で，例えば，光ディスク３，メモリーカード，メモリースティック，磁気ディスク等の各種の記録媒体を介して，メタデータなどをやり取りしてもよい。
【００４８】
また，企画用端末装置１０，取材用端末装置２０，編集用端末装置３０は，例えば，映像プログラムの制作を分担する複数の部署のうち，それぞれ，企画構成部署，取材部署，編集部署などによって利用される端末装置である。
【００４９】
企画用端末装置１０は，例えば，パーソナルコンピュータなどの情報処理装置及びその周辺装置などで構成されており，企画構成部署に設けられる。この企画構成部署とは，映像プログラムの制作全体を統括する部署であって，制作する映像プログラムの企画・構想を行ってシナリオ（筋書）を作成するとともに，取材部署および編集部署等の他部署に制作作業内容を指示する部署である。  
【００５０】
上記企画用端末装置１０は，電子ファイル形式のメタデータを生成するメタデータ生成部（図示せず。）を備えている。このメタデータ生成部は，例えば，メタデータを生成するためのアプリケーションソフトウエアを，企画用端末装置１０にインストールすることにより構成される。かかるメタデータ生成部は，例えば，企画構成部署担当者の入力に基づいてメタデータのコンテンツを取得し，かかるコンテンツを例えばＸＭＬ（ｅＸｔｅｎｓｉｂｌｅ  Ｍａｒｋｕｐ  Ｌａｎｇｕａｇｅ）などの所定の言語の所定の表記形式（スキーマ）で記述してメタデータファイルを作成することができる。なお，このメタデータの表記形式は，例えば，企画用端末装置１０が対応（認識）可能な任意の表記形式であってよい。  
【００５１】
かかる企画用端末装置１０は，メタデータとして，例えば，プログラムメタデータ（詳細は後述する。）を映像プログラム毎に生成することができる。詳細には，企画用端末装置１０は，例えば，上記プログラムメタデータの枠組みを作成する。さらに，企画用端末装置１０は，企画構成部署担当者の入力に基づいて制作指示情報を生成し，上記作成したプログラムメタデータ内の該当欄に，この制作指示情報を書き込む。この制作指示情報とは，例えば，企画構成部署が他部署に対して映像プログラムの制作内容を指示するための情報であり，企画構成部署によって作成されたシナリオに該当するものである。  
【００５２】
また，企画用端末装置１０は，例えば，上記のように生成したメタデータを，取材用端末装置２０等に提供することができる。かかるメタデータの提供は，ネットワーク５を介した送信によってなされてもよく，或いは，メモリーカードなどの記録媒体を介して実現されてもよい。このようにして，企画用端末装置１０が例えば上記制作指示情報を含むプログラムメタデータを取材用端末装置２０などに提供することにより，企画構成部署は，取材部署などに対して取材・撮影すべき場面や内容等を指示することができる。
【００５３】
また，取材用端末装置２０は，取材部署によって利用される端末装置群であり，例えば，撮像装置４０とフィールドＰＣ５０などから構成される。この取材部署とは，例えば，上記企画構成部署による制作指示，シナリオなどに従って，制作現場で実際に取材を行う部署であって，映像プログラムを構成する各場面の映像を撮影するとともに，撮影状況を取材する部署である。
【００５４】
撮像装置４０は，例えば，カムコーダなどのビデオカメラであり，放送用のニュース番組の取材や，スポーツなどの試合の模様，映画などの映像コンテンツの撮影に使用される装置である。本実施形態では，この撮像装置４０は，ビデオデータを処理するビデオデータ処理装置であって，撮影したビデオデータを記録する処理を行うビデオデータ記録装置として構成されている。
【００５５】
即ち，撮像装置４０は，例えば，映像プログラムを構成する各場面の映像（音声を含む。）を撮影することができる。この撮影処理は，例えば，テイクを複数回繰り返すことによって，進行していく。例えば，撮像装置４０は，ある場面について１または２回以上のテイクを行い，次いで，異なる場面についてさらに１または２回以上のテイクを行う。なお，このテイクとは，撮像装置４０による１回の記録開始から終了に至るまでの連続した撮影処理をいう。換言すると，このテイクは，映像プログラムの撮影段階における撮影処理の最小単位である。なお，映像作品の制作分野では，このテイクは，「クリップ」，「ショット」または「カット」等と呼ばれる場合もある。
【００５６】
また，撮像装置４０は，例えば，上記撮影したビデオデータ（映像信号及び／又は音声信号をいう。）を，光ディスク３等の記録媒体に記録することができる。換言すると，撮像装置４０は，例えば，撮影処理によって生成したビデオデータを当該記録媒体に記録することができる。なお，このビデオデータとは，撮像装置４０によって撮影された内容を表す映像データ及び／又は音声データである，かかるビデオデータは，例えば，ＴＶ番組，映画などの動画像データ，写真や絵画などの静止画像データ，ラジオ番組などの音声データ，字幕データ，或いはこれらの組合せなどから構成される。さらに，撮像装置４０は，かかるビデオデータを上記テイクごとに記録することができる。即ち，撮像装置４０が，例えば，テイクを２回実行すれば，２つのビデオデータファイルが記録されることになる。
【００５７】
また，このビデオデータが記録される光ディスク３は，本実施形態では，例えば，大容量（例えば数百ギガバイト）のビデオデータを記録可能な大容量・次世代光ディスクなどで構成される。しかし，光ディスク３は，かかる例に限定されず，例えば，ＤＶＤ−Ｒ，ＤＶＤ−ＲＯＭ，ＤＶＤ−ＲＡＭ，ＣＤ−Ｒ，ＣＤ−ＲＯＭ等の各種の光ディスクであってもよい。また，撮像装置４０がビデオデータを記録する記録媒体としては，上記光ディスク３の例に限定されず，例えば，ＭＯ等の光磁気ディスク，フレキシブルディスク等の磁気ディスク，デジタルＶＴＲフォーマットのビデオテープ等の磁気テープ，各種のＲＡＭ，ＲＯＭなどであってもよい。
【００５８】
また，撮像装置４０は，ビデオデータとして，例えば，オリジナル映像だけでなく，ローレゾリューション（ｌｏｗ  ｒｅｓｏｌｕｔｉｏｎ：低解像度）映像を光ディスク３に記録することも可能である。ここでいうオリジナル映像とは，撮像装置４０が撮像した生のビデオデータである。このオリジナル映像は，大容量であるが高画質であるので，映像プログラムの完成品に用いられる。一方，ローレゾリューション映像（以下ローレゾ映像という。）は，上記オリジナル映像を圧縮したビデオデータである。このローレゾ映像は，比較的低画質だが小容量であるので，送信が迅速かつ容易であるという利点を有し，主に粗編集段階で用いられる。
【００５９】
さらに，このような撮像装置４０の本実施形態にかかる特徴は，以下の通りである。即ち，撮像装置４０は，例えば，上記企画用端末装置１０など外部の機器から，ネットワーク５または記録媒体を介して，各種のメタデータを取得することができる。また，撮像装置４０は，このように外部から取得したメタデータの表記形式を，自己が対応可能な表記形式に変換することができる。さらに，撮像装置４０は，上記変換により認識可能となったメタデータに基づいて，ビデオデータに関する各種処理を制御できる。
【００６０】
さらに，この撮像装置４０は，上記取得したメタデータを編集することができる。また，撮像装置４０は，テイクメタデータ（詳細は後述する。）等のメタデータを自ら生成することも可能である。このようなメタデータの編集処理や生成処理は，例えば，ＸＭＬ等でメタデータを記述することにより実行されるが，この際のメタデータの表記形式は，例えば，撮像装置４０自身が対応可能な表記形式であってよい。以上のような撮像装置４０の特徴の詳細については後述する。
【００６１】
一方，フィールドＰＣ５０は，例えば，ノート型のパーソナルコンピュータまたはＰＤＡ（ｐｅｒｓｏｎａｌ  ｄｉｇｉｔａｌ  ａｓｓｉｓｔａｎｔ）などの携帯可能なコンピュータ及びその周辺装置などで構成される。このフィールドＰＣは，上記撮像装置４０と各種の有線または無線回線などで接続されており，例えば，メタデータや記録したビデオデータを共用することもできる。
【００６２】
このフィールドＰＣ５０は，例えば，上記企画用端末装置１０または撮像装置４０などの他の機器から，ネットワーク５または記録媒体を介してメタデータを取得することができる。さらに，かかるフィールドＰＣ５０は，例えば，後述する撮像装置４０のメタデータ変換機能と略同一の機能を有するように構成されてもよい。これにより，フィールドＰＣ５０は，例えば，上記取得したメタデータの表記形式を，自己が対応可能な表記形式に変換し，かかる変換により認識可能となったメタデータに基づいて，自己の各種処理を制御することができる。
【００６３】
かかる処理の例を挙げると，フィールドＰＣ５０は，例えば，取得したメタデータを所定の表示部に表示して，取材部署担当者にメタデータの内容を認識させることができる。また，フィールドＰＣ５０は，例えば，取材部署担当者の入力に基づいて，取材時における撮影状況に関するメタデータである撮影状況情報を上記プログラムメタデータに追加することができる。
【００６４】
このように，フィールドＰＣ５０は，例えば取得したメタデータを編集することができる。かかるフィールドＰＣ５０によるメタデータの編集機能は，例えば，メタデータを編集するためのアプリケーションソフトウエアを，フィールドＰＣ５０にインストールすることによって実現可能である。なお，このようなメタデータの編集処理は，例えば，ＸＭＬ等でメタデータを記述することにより実行されるが，この際のメタデータの表記形式は，フィールドＰＣ５０自身が対応可能な表記形式であってよい。  
【００６５】
また，例えば，フィールドＰＣ５０が対応可能な表記形式を，上記撮像装置４０が対応可能な表記形式と同一にした場合には，フィールドＰＣ５０が上記メタデータ変換機能を具備せずともよくなる。即ち，フィールドＰＣ５０は，撮像装置４０から変換後のメタデータを取得することで，当該メタデータに基づいて上記メタデータ編集処理などの各種処理を実行できるようになる。
【００６６】
編集用端末装置３０は，例えば，パーソナルコンピュータなどの情報処理装置及びその周辺装置などで構成されており，編集部署に設けられる。この編集部署とは，例えば，上記企画構成部署からの制作指示，シナリオや，取材段階で得た取材状況，撮像条件などに基づいて，上記撮像装置４０が記録したビデオデータを編集して，映像プログラムを完成させる部署である。本実施形態では，この編集用端末装置３０は，上記ビデオデータ処理装置であって，上記ビデオデータ記録装置（即ち，撮像装置４０）によって記録媒体に記録されたビデオデータを再生するビデオデータ再生装置として構成されている。
【００６７】
即ち，編集用端末装置３０は，例えば，記録媒体に記録されたビデオデータを再生するとともに，このビデオデータを編集することができる。より詳細には，例えば，上記撮像装置４０から，光ディスク３等を介してビデオデータを取得することができる。また，この編集用端末装置３０は，例えば光ディスク３に記録されているビデオデータを，例えば，テイク毎に単独再生，或いは好適な順序で連続再生して表示することができる。さらに，この編集用端末装置３０は，例えば，かかるビデオデータの編集処理を支援することができる。この編集処理は，例えば，粗編集処理と本編集処理とからなる。
【００６８】
粗編集処理とは，次のような処理である。まず，上記テイクごとに記録された複数のビデオデータの中から，本編集で使用すべきビデオデータを収集する。さらに，収集されたビデオデータの中から，必要な映像部分を選択（Ｌｏｇｇｉｎｇ）する。次いで，選択された映像部分に対応した編集開始位置（Ｉｎ点）または編集終了位置（Ｏｕｔ点）を例えばタイムコード等によって設定して，ビデオデータの中から必要部分を抽出（Ｉｎｇｅｓｔｉｎｇ）する。
【００６９】
また，本編集処理とは，例えば，上記粗編集を経た複数のビデオデータを切り出して繋ぎ合わせ，最終的な画質調整等を施し，番組などで放映するための完全パッケージデータを作成する処理である。
【００７０】
さらに，このような編集用端末装置３０の本実施形態にかかる特徴は，以下の通りである。即ち，編集用端末装置３０は，例えば，上記撮像装置４０など外部の機器から，ネットワーク５または光ディスク３などを介して，各種のメタデータを取得することができる。また，編集用端末装置３０は，このように外部から取得したメタデータの表記形式を，自己が対応可能な表記形式に変換することができる。さらに，編集用端末装置３０は，上記変換により認識可能となったメタデータに基づいて，ビデオデータに関する各種処理を制御できる。
【００７１】
さらに，この編集用端末装置３０は，上記取得したメタデータを編集することができる。このようなメタデータの編集処理は，例えば，ＸＭＬ等でメタデータを記述することにより実行されるが，この際のメタデータの表記形式は，例えば，編集用端末装置３０自身が対応可能な表記形式であってよい。以上のような編集用端末装置３０の特徴の詳細については後述する。
【００７２】
以上，本実施形態にかかる映像プログラム制作支援システム１およびその構成要素の概略について説明した。かかる映像プログラム制作支援システム１は，システムを構成する上記複数の端末装置（ビデオデータ処理装置）間で，映像プログラムの制作に関する各種のメタデータを，その表記形式にかかわらず相互にやり取りして，映像プログラムの制作に利用できるという利点を有する。この利点は，例えば，メタデータの受け側である撮像装置４０，フィールドＰＣ５０および編集用端末装置３０などが，受け取ったメタデータを自己が認識可能な表記形式に柔軟に変換できるという機能を有することによって実現されるものである。
【００７３】
＜２．メタデータ＞
次に，本実施形態にかかるメタデータについて，具体例を挙げながら詳細に説明する。
【００７４】
＜２．１  メタデータの概容＞
「メタデータ」とは，あるデータに関する上位データであり，各種データの内容や属性を表すためのインデックス（しおり）として機能するデータをいう。かかるメタデータの具体例としては，例えば，映像プログラムの制作内容を指示する制作指示情報データ（シナリオデータ），取材時に取得した撮影状況等に関する撮影状況情報データ，ビデオデータについてのテイク毎の撮影条件や機器のセットアップ等に関する撮影条件情報データ，テイク毎に撮影したビデオデータとシナリオとを結びつけるテイク関連付け情報データ，ビデオデータ内の代表的な静止画像に関するサムネイルデータ，およびビデオデータのコンテンツの特徴点に関する電子マークデータ，などがある。
【００７５】
このようなメタデータは，映像プログラムを制作する上で非常に有用な情報である。例えば，各部署の担当者は，かかるメタデータを閲覧することにより，撮影したビデオデータのインデックス情報を得たり，制作指示内容や取材結果内容，シナリオとビデオデータの対応関係を確認したりすることができる。また，各部署に設けられる上記各端末装置は，かかるメタデータを自動認識することにより，例えば，セットアップ情報やビデオデータ内の特徴点に関する情報を取得したり，シナリオとビデオデータの対応関係を把握したりすることができる。
【００７６】
また，かかるメタデータは，各部署（各端末装置）内だけで独立して利用される場合であっても有用であるが，さらに，かかるメタデータを複数の部署（端末装置）間で共通して利用可能に構成することにより，映像プログラムの制作効率や品質をより高めることができる。
【００７７】
このように複数の部署および装置間でメタデータを共用するためには，例えば，当該メタデータの表記形式がある程度は統一されていることが好ましい。このため，本実施形態では，例えば，メタデータを記述するための言語を１つの言語で統一している。これにより，メタデータの表記形式をある程度は標準化して，互換性を高めることができる。さらに，本実施形態では，かかるメタデータを記述するための言語として，例えばＸＭＬを採用している。このＸＭＬは，拡張可能なマークアップ言語であり，汎用性が高く，文法が比較的単純で修得しやすいという利点を有する。このため，かかるＸＭＬでメタデータを記述することにより，不特定のユーザがメタデータの記述内容を容易に理解，修正することができる。
【００７８】
＜２．２  プログラムメタデータ＞
次に，図２に基づいて，本実施形態で利用されるメタデータの具体例であるプログラムメタデータについて説明する。なお，図２は，本実施形態にかかるプログラムメタデータの構成を例示する説明図である。
【００７９】
プログラムメタデータは，例えば，映像プログラムの制作に必要な各種のメタデータが表形式で構造化された表データ（即ち，構成表メタデータ）であり，例えば，映像プログラム毎に１つのメタデータファイルで管理されるものである。
【００８０】
このプログラムメタデータは，図２に示すように，例えば，映像プログラムの構成単位である取材，シーン，カットなどに応じて，プログラム識別階層，取材階層，シーン階層，カット階層などからなる階層構造を有している。なお，カットとは，企画段階（即ち，シナリオ作成時）における映像プログラムを構成する最小単位である。図２の例では，映像プログラムは例えば１３つのカットから構成されている。また，シーンとは，企画段階における映像プログラムを構成する中規模単位であり，１又は２以上の上記カットから構成される。図２の例では，映像プログラムは例えば５つのシーンから構成されている。また，取材とは，企画段階における映像プログラムを構成する最大単位であり，１又は２以上の上記シーンから構成される。図２の例では，映像プログラムは例えば２つの取材から構成されている。このように，プログラムメタデータは，プログラム識別階層を頂点とし，取材階層，シーン階層，カット階層に遷移するにつれて徐々に細分化されるようなツリー構造を有する。
【００８１】
また，プログラムメタデータの各階層において，例えば，上方の欄に記入されている取材，シーン，カットほど，シナリオ順が先であることを示す。例えば，図２に示す映像プログラムを構成する５つのシーンのうち，最上段の欄のシーンがシナリオの最初のシーンであり，一方，最下段の欄のシーンがシナリオの最終のシーンとなる。
【００８２】
次に，上記のような階層構造を有するプログラムメタデータの内容について説明する。プログラムメタデータには，例えば，上記制作指示情報，撮影状況情報およびテイク関連付け情報等のメタデータが含まれている。これらのうち，例えば，制作指示情報および撮影状況情報は，階層構造化されて各階層に含まれている。これにより，映像プログラムの制作指示（シナリオ）や取材中に得た情報等の制作者の意図や認識に関連するメタデータを，明確かつ簡潔に表現することができる。一方，テイク関連付け情報は，例えば，カット階層にのみ含まれている。以下に，この制作指示情報，撮影状況情報およびテイク関連付け情報についてそれぞれ説明する。
【００８３】
まず，制作指示情報は，企画構成部署が，取材部署や編集部署などに映像プログラムの制作内容を指示するために作成するメタデータであり，映像プログラムのシナリオに該当するメタデータである。この制作指示情報データは，例えば，企画構成部署担当者の入力に基づいて上記企画用端末装置１０などによって生成され，プログラムメタデータ内の該当欄に書き込まれる。映像プログラムの制作を分担する各部署は，かかる制作指示情報を閲覧することにより，制作指示内容，シナリオなどを把握できる。
【００８４】
かかる制作指示情報は，例えば，プログラムメタデータにおいて，プログラム識別階層全体，取材階層の「取材指示」，シーン階層の「シーン指示」，およびカット階層の「カット指示」の欄に含まれる。
【００８５】
具体的には，図２に示すように，プログラム識別階層の欄には，例えば，当該プログラムメタデータに対応する映像プログラムを識別するための識別データとして，映像プログラムＩＤ（［ＩＤ］の項目）と，映像プログラムのタイトル名（［Ｔｔｌ］の項目）などの情報が含まれている。
【００８６】
また，取材階層の「取材指示」の欄には，上記制作指示情報として，例えば，取材毎に付される固有のＩＤである取材ＩＤ（［ＩＤ］の項目），取材タイトル（［Ｔｔｌ］の項目），当該取材を担当するカメラマン名（［Ｃａｍ］の項目），当該取材を担当するレポータ名（［Ｒｅｐ］の項目），当該取材の場所（［Ｐｌｃ］の項目），当該取材の開始時刻および終了時刻の指示（［Ｔｉｍ］の項目），当該取材の目的，概要などの取材指示内容（［Ｄｓｃ］の項目）などの情報が含まれる。
【００８７】
また，シーン階層の「シーン指示」の欄には，上記制作指示情報として，例えば，取材を構成する各シーンに対して例えば通し番号で付されるシーン番号（［Ｎｏ］の項目），シーンタイトル（［Ｔｔｌ］の項目），当該シーンの概要，展開などシーン構成を指示するための取材指示内容（［Ｄｓｃ］の項目）などが含まれる。
【００８８】
また，カット階層の「カット指示」の欄には，上記制作指示情報として，例えば，シーンを構成する各カットに対して例えば通し番号で付されるカット番号（［Ｎｏ］の項目），撮影すべきカット内容を指示するためのカットタイトル（［Ｔｔｌ］の項目）などの情報が含まれる。
【００８９】
また，撮影状況情報は，例えば，カット階層以上の各階層（例えば，カット階層，シーン階層，取材階層等）に対応した撮影状況に関するメタデータである。かかる撮影状況情報は，例えば，取材部署担当者の入力に基づいてフィールドＰＣ５０などによって生成され，プログラムメタデータ内の該当欄に書き込まれる。映像プログラムの制作を分担する各部署は，かかる撮影状況情報を閲覧することにより，映像撮影時における撮影状況を把握できる。
【００９０】
かかる撮影状況情報は，例えば，プログラムメタデータにおいて，取材階層の「取材メモ」，シーン階層の「シーンメモ」，およびカット階層の「カットメモ」の欄に含まれる。
【００９１】
具体的には，取材階層の「取材メモ」の欄には，上記撮影状況情報として，例えば，取材担当者が取材全体を通して気づいた連絡事項，注意事項および提案事項，取材場所の特徴および印象，取材作業全体で発生した事項などの取材メモ内容（［Ｄｓｃ］の項目）などの情報が含まれる。
【００９２】
また，シーン階層の「シーンメモ」の欄には，上記撮影状況情報として，例えば，取材担当者がシーンレベルで気づいた連絡事項，注意事項および提案事項，撮影したシーンの特徴および印象，シーンの撮影作業で発生した事項などのシーンメモ内容（［Ｄｓｃ］の項目）などの情報が含まれる。
【００９３】
また，カット階層の「カットメモ」の欄には，上記撮影状況情報として，例えば，取材担当者がカットレベルで気づいた連絡事項，注意事項および提案事項，撮影したカットの特徴および印象，カットの撮影作業で発生した事項などのカットメモ内容（［Ｄｓｃ］の項目）などの情報が含まれる。
【００９４】
また，テイク関連付け情報は，上記テイクのビデオデータなどを，カットに関連付けるためのメタデータである。かかるテイク関連付け情報は，例えば，取材部署または編集部署担当者の入力に基づいて，取材用端末装置２０または編集用端末装置３０によって生成され，プログラムメタデータのカット階層内の「テイク関連付け情報」の欄に書き込まれる。映像プログラムの制作を分担する各部署は，かかるテイク関連付け情報を閲覧することにより，カットに対していかなるテイクが割り当てられているかを把握できる。さらに，編集用端末装置３０なども，例えば，かかるテイク関連付け情報に基づいて，カットとテイクの関連性を自動的に判断することができる。
【００９５】
より具体的には，このテイク関連付け情報は，図２に示すように，例えば，「テイクデータ」（「テイク番号」，「Ｉｎ点」および「Ｏｕｔ点」）情報，「ＯＫ／ＮＧ」情報，「ビデオファイル名」情報，「ローレゾファイル名」情報および「テイクメタデータファイル名」情報などからなる。
【００９６】
「テイクデータ」の欄には，例えば，テイク毎に付される固有の番号であるテイク番号（［Ｎｏ］の項目），編集作業において決定された編集開始位置（Ｉｎ点）のタイムコードであるＩｎ点情報（［Ｉｎ］の項目）と，編集終了位置（Ｏｕｔ点）のタイムコードであるＯｕｔ点情報（［Ｏｕｔ］の項目）などの情報が含まれる。
【００９７】
また，「ＯＫ／ＮＧ」の欄には，例えば，当該カットに関連付けられた１又は２以上のテイクの中から，いずれを採用（「ＯＫ」）し，いずれを不採用（「ＮＧ」）とするかを表す情報であるＯＫ／ＮＧ情報が含まれる。
【００９８】
また，「ビデオファイル名」の欄には，当該テイクのオリジナル映像が記録されているファイル名の情報が含まれ，「ローレゾファイル名」の欄には，当該テイクのローレゾ映像が記録されているファイル名の情報が含まれる。また，「テイクメタデータファイル名」の欄には，関連付けられたテイクに対応するテイクメタデータ（後述する）のファイル名の情報が含まれる。
【００９９】
上記のような情報を含むテイク関連付け情報によって，プログラムメタデータ内のカットに対して，テイクを従属させることができる。例えば，図２の例では，プログラムＩＤ：「Ｐ２００２−１０」，取材ＩＤ：「Ａ２００２−１００１」，シーン番号：「１」，カット番号：「１」で特定されるカット（最上段の欄のカット）には，テイク番号「１」および「２」で特定される２つのテイクがリンクされている。このように，テイク関連付け情報は，企画構成部署側で意図したカットと，取材部署側で得た実際の映像素材とを結びつける機能を有する。
【０１００】
以上，図２に基づいて，プログラムメタデータの構成及び内容について説明した。なお，プログラムメタデータの内容は，上記例に限定されず，上記以外にも，例えば，取材用機材の指示，制作スケジュール，作業の進捗状況，代表的な静止画像（サムネイルデータ），他部署の作業に関するメモなど，映像プログラムの制作に関わる各種のメタデータを含むようにしてもよい。
【０１０１】
ところで，上記図２では，説明の便宜のため，プログラムメタデータを表形式で表示された態様で表現した。しかし，かかるプログラムメタデータは，実際には，例えばＸＭＬで記述されたＸＭＬ文書データである。
【０１０２】
ここで，図３および図４に基づいて，本実施形態にかかるプログラムメタデータのＸＭＬによる記述例について説明する，なお，図３および図４は，上記図２で説明したプログラムメタデータのＸＭＬによる記述例を示す説明図である。
【０１０３】
図３および図４に示すように，プログラムメタデータは，例えば，本願発明者らがプログラムメタデータ用に独自に開発したＸＭＬ表記形式で記述されている。当該プログラムメタデータの表記形式が，かかる独自のＸＭＬ表記形式であることは，例えば，実質的な先頭の開始タグである＜ＰｒｏｇｒａｍＭｅｔａｄａｔａ  ｉｄ＝“Ｐ２００２−１０”  ｔｉｔｌｅ＝“東西麺つゆの境界線”＞のタグ（即ち，「Ｂ」のタグ）により，識別することができる。
【０１０４】
かかるプログラムメタデータの記述内容を詳細に説明すると，まず，「Ａ」の部分は，ＸＭＬ宣言を行う部分である。また，「Ｂ」および「Ｂ’」の部分は，上記プログラム識別階層に含まれる情報が記述されている部分であり，かかる部分により当該プログラムメタデータがいかなる映像プログラムに属するものであるかを識別することができる。また，「Ｃ」および「Ｃ’」のタグは，これらのタグで囲まれる部分には，プログラムメタデータのコンテンツが記述されていることを表す。
【０１０５】
「Ｄ」の部分は，取材ＩＤが「Ａ２００２−１００１」である取材について，上記取材階層の「取材指示」に含まれる情報が記述されている部分である。また，「Ｅ」の部分は，当該取材について「取材メモ」に含まれる情報が記述されている部分である。
【０１０６】
「Ｆ」の部分は，上記取材におけるシーン番号１のシーン（以下では，シーン１という。他の番号，他の階層についても同様とする。）について，上記シーン階層およびカット階層に含まれる情報が記述されている部分である。詳細には，シーン１は例えばカット１およびカット２から構成されており，さらに，カット１にはテイク１とテイク２が従属し，カット２にはテイク３が従属している。従って，「Ｇ」の部分には，カット１について，上記カット階層の「カット指示」および「カットメモ」に含まれる情報と，テイク１およびテイク２についての「テイク関連付け情報」に含まれる情報が記述されている。一方，「Ｈ」の部分には，カット２について，上記カット階層の「カット指示」および「カットメモ」に含まれる情報と，テイク３についての「テイク関連付け情報」に含まれる情報が記述されている。また，「Ｉ」の部分には，シーン１についての「シーンメモ」に含まれる情報が記述されている。
【０１０７】
「Ｊ」の部分は，上記取材におけるシーン２について，上記シーン１の場合と同様にして，シーン階層およびカット階層に含まれる情報が記述されている部分である。なお，この「Ｊ」の部分の後には，取材ＩＤが「Ａ２００２−１００２」である取材についてのメタデータが記述されているが，この記載は省略する。
【０１０８】
以上，プログラムメタデータのＸＭＬによる記述例について説明した。上記の記述例では，例えば，＜Ａｓｓｉｇｎｍｅｎｔ＞，＜Ｓｃｅｎｅ＞，＜Ｃｕｔ＞，＜Ｔａｋｅ＞タグなどを用いて，プログラムメタデータに含まれるメタデータを分割して，分かり易く記述しているので，任意のユーザがかかるプログラムメタデータを容易に理解，修正することができる。なお，上記記述例では，タグ名やＸＭＬ文書構造などのメタデータ表記形式を，本願発明者らによる独自の表記形式としたが，かかる例に限定されず，同様の内容のプログラムメタデータを，後述する別のメタデータ表記形式で記述することも可能である。
【０１０９】
＜２．３  テイクメタデータ＞
次に，図５に基づいて，本実施形態で利用されるメタデータの具体例であるテイクメタデータについて詳細に説明する。なお，図５は，本実施形態にかかるテイクメタデータの構成を例示する説明図である。
【０１１０】
図５に示すように，テイクメタデータは，例えば，個々のテイクに対応する撮影状況，撮影条件等に関するメタデータであり，例えば，テイクごとに１つのメタデータファイルで管理されるものである。このテイクメタデータは，例えば，撮像装置４０によってあるテイクのビデオデータが記録されると，このテイクのビデオデータと１対１対応して作成される。換言すると，例えば，テイクの撮影が行われる度に，新たなテイクメタデータファイルが作成される。また，かかるテイクメタデータは，例えば，上記プログラムメタデータ内のテイク関連付け情報によって，同一のテイクのビデオデータとともに上記カット階層のカットに関連付けられてもよい。
【０１１１】
次に，テイクメタデータの内容について詳細に説明する。テイクメタデータには，例えば，テイク撮影条件情報，テイク撮影状況情報などのメタデータが含まれている。このテイク撮影条件情報とは，例えば，テイクの撮影条件や，機器のセットアップ情報，撮影状態その他のテイクに関する客観的なメタデータである。かかるテイク撮影条件情報は，例えば，撮像装置４０などによって自動的に生成され，テイクメタデータ内に書き込まれる。また，テイク撮影状況情報とは，例えば，テイクの撮影処理レベルでの撮影状況に関する主観的なメタデータである。かかるテイク撮影状況情報は，例えば，取材部署担当者の入力に基づいてフィールドＰＣ５０などによって生成され，テイクメタデータ内に書き込まれる。
【０１１２】
具体例を挙げて説明すると，図５に示すように，テイクメタデータには，上記テイク撮影状況情報として，例えば，テイクの撮影時において，取材担当者が気づいた連絡事項，注意事項および提案事項，テイクの特徴および印象，テイクの撮影作業で発生した事項，当該テイクのビデオデータに関する事項などのテイクメモ内容（［Ｄｓｃ］の項目）などの情報が含まれる。
【０１１３】
また，テイクメタデータには，上記テイク撮影条件情報として，例えば，当該テイクの撮影を行った日付（［Ｄａｔｅ］の項目），テイクの撮影を行った時刻（［Ｔｉｍｅ］の項目），当該テイクの撮影を行った場所の緯度および経度情報（ＧＰＳ情報など）（［Ｐｏｓ］の項目），当該テイクの撮影を行った撮像装置４０の機種や機器番号（［Ｍａｃｈｉｎｅ］の項目），機器設定情報（［Ｓｅｔｕｐ］の項目）などの情報が含まれる。
【０１１４】
このうち，機器設定情報は，例えば，当該テイクの撮影を行った撮像装置４０のセットアップ情報などである。この機器設定情報は，例えば，テイク撮影時のカメラのフィルタの種類，ホワイトバランススイッチ，ゲインスイッチ，ＤＣＣ（ダイナミックコントラストコントロール）スイッチ，シャッタスイッチ，エクステンダースイッチ等の状態（スイッチのｏｎ／ｏｆｆやレベル等）などである。
【０１１５】
また，テイクメタデータは，上記以外にも，例えば，対応するビデオデータ内の代表的な静止画像に関するサムネイルデータ，当該ビデオデータのコンテンツの特徴点に関する電子マークデータなどを含んでもよい。
【０１１６】
また，例えば，上記プログラムメタデータに含まれていたテイク関連付け情報を，テイクメタデータに含めるようにしても良い。即ち，テイクメタデータＴＭが，例えば，対応するビデオデータのビデオデータファイル名情報，ローレゾファイル名情報や，当該ビデオデータのＩｎ点およびＯｕｔ点情報，テイク番号，ＯＫ／ＮＧ情報などを含むようにしてもよい。
【０１１７】
以上，図５に基づいて，テイクメタデータの構成及び内容について説明した。以上のようなテイクメタデータを参照することによって，映像プログラムの制作を分担する各部署は，例えば，テイクメタデータに対応するビデオデータの内容，撮影条件，機器のセットアップ状態などを把握できる。かかるテイクメタデータ内の情報は，特に，編集部署においてビデオデータの編集作業を行う際に有用である。
【０１１８】
ところで，上記図５では，説明の便宜のため，テイクメタデータを表形式で表示された態様で表現した。しかし，かかるテイクメタデータは，実際には，例えばＸＭＬで記述されたＸＭＬ文書データである。
【０１１９】
ここで，図６に基づいて，本実施形態にかかるテイクメタデータのＸＭＬによる記述例について説明する，なお，図６は，上記図５で説明したテイクメタデータのＸＭＬによる記述例を示す説明図である。
【０１２０】
図６に示すように，テイクメタデータは，例えば，本願発明者らがプログラムメタデータ用に独自に開発したＸＭＬ表記形式で記述されている。当該プログラムメタデータの表記形式が，かかる独自のＸＭＬ表記形式であることは，例えば，実質的な先頭の開始タグである＜ＴａｋｅＭｅｔａｄａｔａ  ｎｏ＝“１”＞のタグ（即ち，「Ｂ」のタグ）により，識別することができる。
【０１２１】
かかるテイクメタデータの記述内容を詳細に説明すると，まず，「Ａ」の部分は，ＸＭＬ宣言を行う部分である。また，「Ｂ」および「Ｂ’」の部分は，テイクメタデータを識別するための情報が記述されている部分であり，かかる部分により当該テイクメタデータがいかなるテイクに属するものであるかを識別することができる。
【０１２２】
「Ｃ」の部分は，当該テイクに関するテイク撮影状況情報（即ち，テイクメモ内容）が記述されている部分である。また，「Ｄ」の部分は，当該テイクの撮影を行った日付，時間，緯度経度の情報が記述されている部分である。また，「Ｅ」の部分は，当該テイクの撮影を行った撮像装置４０の機種や機器番号，および機器設定情報が記述されている部分である。
【０１２３】
以上，テイクメタデータのＸＭＬによる記述例について説明した。なお，上記記述例では，タグ名やＸＭＬ文書構造などのメタデータ表記形式を，本願発明者らによる独自の表記形式としたが，かかる例に限定されず，同様の内容のテイクメタデータを，後述する別のメタデータ表記形式で記述することも可能である。
【０１２４】
＜２．４  メタデータの別の表記形式＞
上記では，例えばメタデータプログラムメタデータおよびテイクメタデータが，例えば，本願発明者ら独自のＸＭＬベースの表記形式で記述されている場合について詳細に説明した。しかし，本実施形態にかかるメタデータは，例えば，上記表記形式以外にも，映像作品の制作分野において用いられる任意のＸＭＬベースの表記形式で記述されていてもよい。かかるＸＭＬベースの表記形式で記述されたメタデータは，各標準化団体の方針やユーザの個別要求などに応じて多様なものが存在するが，その具体例を挙げると，例えば，「Ｄｕｂｌｉｎ  Ｃｏｒｅメタデータ」，「ＭＰＥＧ−７メタデータ」，「Ｇｅｎｅｖａ  Ｓｃｈｅｍｅメタデータ」，「ＭＯＳメタデータ」，その他，「カスタマー独自のメタデータ」などがある。
【０１２５】
詳細には，「Ｄｕｂｌｉｎ  Ｃｏｒｅメタデータ」は，Ｄｕｂｌｉｎ  Ｃｏｒｅ  Ｍｅｔａｄａｔａ  Ｉｎｉｔｉａｔｉｖｅによって制定された標準仕様で記述されたメタデータであり，限定された少数の要素を標準化して記述することを特徴とする。また，「ＭＰＥＧ−７メタデータ」は，ＭＰＥＧ−７（Ｍｏｖｉｎｇ  Ｐｉｃｔｕｒｅ  Ｅｘｐｅｒｔ  Ｇｒｏｕｐ  Ｐｈａｓｅ７）規格のメタデータである。また，「Ｇｅｎｅｖａ  Ｓｃｈｅｍｅメタデータ」は，ＢＰＲＬで検討中のＭＸＦ  Ｇｅｎｅｖａ  ＳｃｈｅｍｅのＸＭＬ版のメタデータである。また，「ＭＯＳメタデータ」は，ＭＯＳ（Ｍｅｄｉａ  Ｏｂｊｅｃｔ  Ｓｅｒｖｅｒ）プロトコルに基づくメタデータである。また，「カスタマー独自のメタデータ」は，各ユーザが，上記標準化メタデータを基に，或いは全く独自に，自己の要望に応じて作成したメタデータなどである。
【０１２６】
＜３．メタデータ変換の概容＞
次に，本実施形態にかかるメタデータの変換の概要について説明する。
【０１２７】
上記映像プログラム制作支援システム１を構成する各端末装置は，例えば，ＸＭＬベースのメタデータを解釈して，かかるメタデータに基づいて所定の処理を実行するメタデータアプリケーション処理部を備えている。このメタデータアプリケーション処理部は，例えば，ある特定の表記形式のメタデータに対応して構成されており，それ以外の表記形式のメタデータが入力されても認識，処理することができない。
【０１２８】
一方，ＸＭＬではシンタックスが厳密に規定されていることから，ＸＭＬで記述されたメタデータの表記形式は，例えば，ＸＳＬＴ（Ｅｘｔｅｎｓｉｂｌｅ  Ｓｔｙｌｅｓｈｅｅｔ  Ｌａｎｇｕａｇｅ  Ｔｒａｎｓｆｏｒｍａｔｉｏｎｓ）などを用いて容易に変換することができる。従って，例えば，ＸＳＬＴエンジンなどの変換エンジンを，上記メタデータアプリケーション処理部の入出力処理部に導入することにより，メタデータアプリケーション処理部は，任意の表記形式のメタデータの入出力に対応することができる。
【０１２９】
ここで，図７に基づいて，このようなＸＳＬＴエンジンによるメタデータ変換の概略について説明する。なお，図７は，本実施形態にかかるＸＳＬＴエンジンによるメタデータの変換を概念的に示す説明図である。
【０１３０】
図７に示すように，例えば，撮像装置４０などの各端末装置のメタデータ入出力処理部には，ＸＳＬＴエンジン７０が設けられている。このＸＳＬＴエンジン７０は，例えば，外部から提供されたＸＭＬベースの任意の表記形式のメタデータ（以下では，外部メタデータという。）７２を，変換テーブル７４を用いて，メタデータアプリケーション処理部８０が対応可能な表記形式のメタデータ（以下では，内部メタデータという。）７６に変換することができる。この変換テーブル７４は，外部メタデータと内部メタデータとの変換ルールを定義した変換定義書であり，ＸＳＬ（ｅＸｔｅｎｓｉｂｌｅ  Ｓｔｙｌｅｓｈｅｅｔ  Ｌａｎｇｕａｇｅ）文書などである。
【０１３１】
このようなＸＳＬ文書などの変換テーブル７４やＸＳＬＴエンジン７０は，ＸＭＬ分野で汎用的に用いられている標準化技術であり，記述内容や構造が分かり易い上，これらに関する多様な有効な変換データ生成ツールが入手可能な状態にある。このため，任意のユーザが，変換テーブル７４やＸＳＬＴエンジン７０を，容易にカスタマイズすることが可能である。
【０１３２】
上記端末装置内に設けられたメタデータアプリケーション処理部８０は，例えば，ＤＯＭ  （Ｄｏｃｕｍｅｎｔ  Ｏｂｊｅｃｔ  Ｍｏｄｅｌ）等の標準ＡＰＩ（Ａｐｐｌｉｃａｔｉｏｎ  Ｐｒｏｇｒａｍｍｉｎｇ  Ｉｎｔｅｒｆａｃｅ）７８などを介して，上記内部メタデータにアクセスすることができる。この内部メタデータ７６は，上記ＸＳＬＴエンジン７０によってメタデータアプリケーション処理部８０が対応可能な表記形式に変換されている。このため，アプリケーション処理部８０は，この内部メタデータ７６を認識して，かかるメタデータに基づいて所定の処理を実行することができる。
【０１３３】
上記のように，例えば，メタデータ入出力処理部にＸＳＬＴエンジン７０などの変換エンジンを導入することにより，予め定めた変換テーブル７４を別途準備するだけで，撮像装置４０などの各端末装置が，外部から提供された任意の表記形式のメタデータを容易に認識，処理することが可能となる。
【０１３４】
一方，上記ＸＳＬＴエンジン７０は，例えば，内部メタデータ７６を，変換テーブル７４を用いて，任意の表記形式の外部メタデータ７２に逆変換することもできる。これにより，各端末装置は，内部で生成・編集したメタデータを，外部機器で用いられるメタデータの表記形式に変換して出力することも可能である。
＜４．撮像装置＞
次に，上記メタデータの変換機能を備えたビデオデータ処理装置として，本実施形態にかかるビデオデータ記録装置である撮像装置４０について詳細に説明する。
【０１３５】
＜４．１  撮像装置の構成＞
まず，図８に基づいて，本実施形態にかかる撮像装置４０の構成について説明する。なお，図８は，本実施形態にかかる撮像装置４０の概略的な構成を示すブロック図である。
【０１３６】
図８に示すように，撮像装置４０は，ＣＰＵ４０２と，メモリ部４０４と，操作部４０６と，表示部４０８と，音声出力部４１０と，通信部４１２と，外部インタフェース４１４と，カメラブロック４１６と，ディスク装置４１８と，変換テーブルデータベース４２０と，メタデータ生成部４２２と，メタデータ入出力処理部４３０と，メタデータアプリケーション処理部４８０とを備える。
【０１３７】
ＣＰＵ４０２は，演算処理装置および制御装置として機能し，撮像装置４０の各部の処理を制御することができる。また，メモリ部４０４は，例えば，ＲＡＭ，ＲＯＭ，フラッシュメモリなどで構成されており，ＣＰＵ４０２の処理に関するデータ等の各種データ，およびＣＰＵ４０２の動作プログラム等を記憶または一時記憶する機能を有する。
【０１３８】
操作部４０６は，例えば，各種のボタン，レバー，ダイヤル，タッチパネルなどの操作手段などから構成される。カメラマンは，かかる操作部４０６を手動で操作することにより，例えば，電源ｏｎ／ｏｆｆ操作，撮影操作，ビデオデータの記録・再生操作，ズーム操作，モード変更操作，メタデータの閲覧，作成，編集操作などを行うことができる。ＣＰＵ４０２は，この操作部４０６に対する操作内容に基づいて，例えば，レンズの絞りまたはズームの調整，記録開始または終了などの各種処理をカメラブロック４１６の各部に実行させるための指示信号を生成する。また，この操作部４０６には，例えば，上記フィルタ切替スイッチ，ホワイトバランススイッチ，ゲインスイッチ，ＤＣＣスイッチ，シャッタスイッチ，エクステンダースイッチ等も含まれる。
【０１３９】
表示部４０８は，ディスプレイ装置であり，例えば，ビューファインダー，液晶モニタなどで構成される。この表示部４０８は，撮影中のビデオデータ，または再生したビデオデータなどを表示することができる。これにより，カメラマンは，例えば，表示部４０８を見ながら，撮影する被写体の確認，撮像中のモニタリング，光ディスク３に記録されたビデオデータのチェック，或いはビデオデータの簡単な編集作業などを行うことができる。さらに，この表示部４０８は，例えば，セットアップ情報や上記プログラムメタデータなどの各種メタデータを，単独で或いは映像と重畳させて表示することもできる。
【０１４０】
音声出力部１１０は，スピーカなどの発音装置と音声データ処理装置等から構成されており，ビデオデータの音声などを出力することができる。また，この音声出力部１１０は，例えば，後述するメタデータアプリケーション処理部４８０によって読み上げられた制作指示情報等のメタデータを音声出力することなどもできる。
【０１４１】
通信部４１２は，例えば，企画用端末装置１０および編集用端末装置３０などの外部機器との間でネットワーク５を介して，各種メタデータや，ローレゾ映像のビデオデータなどの各種データを送受信することができる。例えば，この通信部４１２は，外部の機器から提供されたメタデータを受信して，このメタデータをメタデータ入出力処理部４３０に出力することができる。また，かかる通信部４１２は，例えばＳＤＩ（Ｓｅｒｉａｌ  Ｄｉｇｉｔａｌ  Ｉｎｔｅｒｆａｃｅ）により上記データをネットワーク５を介して送信する場合には，ＫＬＶ（Ｋｅｙ  Ｌｅｎｇｔｈ  Ｖａｌｕｅ）符号化などの符号化処理をすることもできる。  
【０１４２】
外部インタフェース４１４は，撮像装置４０に例えばＵＳＢ（Ｕｎｉｖａｒｓａｌ  Ｓｅｒｉａｌ  Ｂｕｓ），ＳＣＳＩ（Ｓｍａｌｌ  Ｃｏｍｐｕｔｅｒ  Ｓｙｓｔｅｍ  Ｉｎｔｅｒｆａｃｅ）などの規格で接続された周辺機器との間で，データの送受信を行う部位である。また，この外部インタフェース４１４は，例えば，メモリーカード，メモリースティック，フレキシブルディスクなどの記録媒体に対して，メタデータなどの各種データを読み書きするインタフェースとして機能することもできる。
【０１４３】
カメラブロック４１６は，撮影処理を行い，ビデオデータを生成する機能を有する。このカメラブロック４１６は，例えば，被写体を撮像して映像信号を出力する撮像部と，撮影環境の音声を収集し音声信号を生成するマイク部と，映像信号および音声信号などからなるビデオ信号を処理するビデオプロセッサと，ビデオ信号をＭＰＥＧ１，２などの方式で圧縮して上記ローレゾ映像などを生成するビデオ圧縮部と，タイムコードを生成してビデオデータに付加するタイムコード生成部（いずれも図示せず。）などを備える。
【０１４４】
このうち撮像部は，例えば，光学系ブロックと，駆動系ブロックと，ＣＣＤ（Ｃｈａｒｇｅ  Ｃｏｕｐｌｅｄ  Ｄｅｖｉｃｅ）等の撮像素子（撮像デバイス）などから構成されている。光学系ブロックは，レンズ，絞り，フィルタなどからなり，被写体からの光学像を撮像素子に入射させることができる。駆動系ブロックは，例えば，レンズの絞り，ズーム，露出，フォーカスなどを調整することができる。撮像素子は，受光面に２次元的に設けられた光電変換素子からなる複数の画素により，上記光学像を光電変換して電気的な映像信号を出力することができる。
【０１４５】
また，ビデオプロセッサは，例えば，撮像部により生成された映像信号に対して，Ａ／Ｄ変換処理，ゲイン調整（ＡＧＣ）処理，ホワイトバランス処理，γ（ガンマ）補正処理，シェーディング補正，輪郭補正するためのアパーチャー（ａｐｅｒｔｕｒｅ）処理，ノイズ減少させるためのＣＤＳ（ｃｏｒｒｅｌａｔｅｄ  ｄｏｕｂｌｅ  ｓａｍｐｌｉｎｇ  ｃｉｒｃｕｉｔ：相関２重サンプリング）処理などを実行する。また，このビデオプロセッサは，音声信号などを処理することもできる。
【０１４６】
ディスク装置４１８は，例えば，光ディスク３などの記録媒体に対して，上記カメラブロック４１６が生成したビデオデータ（ビデオ信号）を記録することができる。また，このディスク装置４１８は，例えば，上記記録媒体などに対して，例えばメタデータ生成部４２２などが生成・編集したメタデータを記録することもできる。かかる観点では，このディスク装置４１８は，例えば，記録媒体にビデオデータとメタデータを関連付けて記録するビデオデータ記録部として機能することができる。また，ディスク装置４１８は，例えば，上記記録媒体に記録されたビデオデータを再生することもできる。また，かかるディスク装置４１８は，外部から提供された記録媒体に記録されているメタデータを読み出して，メタデータ入出力処理部４３０に出力することもできる。
【０１４７】
変換テーブルデータベース４２０は，本実施形態にかかる特徴部であり，例えば，上記メタデータの変換テーブルを貯蔵する記録装置である。この変換テーブルは，外部から提供されたメタデータ（即ち，上記外部メタデータ）と，撮像装置４０が対応可能な表記形式のメタデータ（即ち，上記内部メタデータ）と間の変換定義が記述されたＸＳＬ文書などである。変換テーブルデータベース４２０には，多様な種類の外部メタデータに対応した変換テーブルが，例えば複数記録されている。なお，かかる変換テーブルは，例えば，外部から上記ネットワーク５，またはメモリーカード等の記録媒体を介して提供されてもよいし，或いは取材部署担当などの入力に基づいて撮像装置４０内で生成されてもよい。
【０１４８】
メタデータ生成部４２２は，例えば，テイクメタデータ等のメタデータを新規に生成する機能を有する。
【０１４９】
具体的には，メタデータ生成部４２２は，例えば，上記テイク毎にテイクメタデータを新規に作成し，作成したテイクメタデータのコンテンツとして上記テイク撮影条件情報などを記入することができる。
【０１５０】
より詳細には，カメラブロック４１６によって１回のテイクの撮影処理がなされた場合に，メタデータ生成部４２２は，例えば，かかるテイクに関するテイクメタデータのファイルを自動的に新規作成する。次いで，メタデータ生成部４２２は，例えば当該テイクに関する撮影条件，セットアップ情報などを撮像装置４０内の各部から収集し，上記テイク撮影条件情報を自動的に生成する。例えば，メタデータ生成部４２２は，上記タイムコード生成部から，当該テイクの撮影処理を開始した日付および時間情報を取得したり，メモリ部４０４などからＡＧＣゲインのレベル，ホワイトバランススイッチの状態およびＤＣＣスイッチのｏｎ／ｏｆｆなどの撮像装置４０の設定情報を取得したりできる。さらに，メタデータ生成部４２２は，このように生成したテイク撮影条件情報を，例えば，上記新規作成したテイクメタデータのファイルに，ＸＭＬをベースとした内部メタデータの表記形式で記述する。なお，以上のようにして作成されたテイクメタデータなどは，例えば，メモリ部４０４や光ディスク３などに記録される。
【０１５１】
メタデータ入出力処理部４３０は，本実施形態にかかる特徴部であり，上記図７で説明したように，例えば，外部メタデータを内部メタデータに変換した上で，メタデータアプリケーション処理部４８０に対して出力する機能を有する。このメタデータ入出力処理部４３０は，例えば，メタデータ表記形式識別部４３２と，変換テーブル選択部４３４と，メタデータ表記形式変換部４３６とを備える。
【０１５２】
以下に，図９〜図１１を参照しながら，かかるメタデータ入出力処理部４３０の各部の機能について詳細に説明する。なお，図９は，外部メタデータの一例であるＭＯＳメタデータによる取材指示情報の記述例を示す説明図である。また，図１０は，ＭＯＳメタデータおよび内部メタデータに対応した変換テーブルの具体例を示す説明図である。また，図１１は，変換された内部メタデータによる取材指示情報の記述例を示す説明図である。
【０１５３】
メタデータ表記形式識別部４３２は，外部メタデータの表記形式を識別する機能を有する。詳細には，このメタデータ表記形式識別部４３２には，例えば，企画端末装置１０など外部から提供された外部メタデータが，通信部４１２，外部インタフェース４１４またはディスク装置４１８などを介して入力される。この外部メタデータは，例えば，ＸＭＬで記述されているが，その表記形式が内部メタデータとは異なるものとする。
【０１５４】
メタデータ表記形式識別部４３２は，例えば，このように入力された外部メタデータからタグを検出することにより，この外部メタデータの表記形式を識別することができる。即ち，ＸＭＬで記述されたメタデータは，開始タグがメタデータの種類ごとに規定されている。このため，メタデータ表記形式識別部４３２は，例えば，外部メタデータ内に記述されている先頭または最後の開始タグなどを検出することにより，当該外部メタデータの種類を特定することができる。
【０１５５】
例えば，ＭＰＥＧ−７メタデータは，必ず＜Ｍｐｅｇ７＞なるタグで開始し，＜／Ｍｐｅｇ７＞なるタグで終了する。よって，メタデータ表記形式識別部４３２は，＜Ｍｐｅｇ７＞及び＜／Ｍｐｅｇ７＞のタグを検出した場合には，当該メタデータは＜Ｍｐｅｇ７＞フォーマットで記述されたメタデータあると特定する。また，例えば，＜ＴａｋｅＭｅｔａｄａｔａ＞及び＜／ＴａｋｅＭｅｔａｄａｔａ＞というタグを検出した場合には，本願発明者ら独自の表記形式のテイクメタデータであると特定する。
【０１５６】
外部メタデータの実例をあげてより具体的に説明すると，例えば，図９に示すような外部メタデータが，メタデータ表記形式識別部４３２に入力されたとする。この場合には，メタデータ表記形式識別部４３２は，例えば，先頭および最後のタグである＜ｍｏｓ＞及び＜／ｍｏｓ＞のタグを検出することにより，当該外部メタデータがＭＯＳメタデータであると識別することができる。
【０１５７】
変換テーブル選択部４３４は，変換テーブルＤＢ４２０に記録されている例えば複数の変換テーブルの中から，上記メタデータ表記形式識別部４３２によって識別された外部メタデータの表記形式に対応する変換テーブルを選択する機能を有する。即ち，変換テーブル選択部４３４は，外部メタデータを内部メタデータに変換するための変換テーブルを選択することができる。
【０１５８】
例えば，外部メタデータの種類が図９に示したようなＭＯＳメタデータであると識別された場合には，変換テーブル選択部４３４は，例えば，外部メタデータであるＭＯＳメタデータと，内部メタデータである本願発明者ら独自形式のプログラムメタデータとに対応する変換テーブルを選択する。この変換テーブルには，図１０に示すように，ＭＯＳメタデータのタグを内部メタデータのタグに変換するための，タグ名変換ルールが記述されている。例えば，ＭＯＳメタデータの＜ａｆＯｂｊ＞なるタグは，内部メタデータの＜Ａｑｕｉｓｉｔｉｏｎ＞なるタグに変換するよう定義されている。また，例えば，ＭＯＳメタデータの＜ａｆＩＤ＞なるタグは，内部メタデータの＜Ａｓｓｉｇｎｍｅｎｔ＠ｉｄ＞なるタグに変換するよう定義されている。なお，この＜Ａｓｓｉｇｎｍｅｎｔ＠ｉｄ＞タグに変換するとは，ＭＯＳメタデータの「ａｆＩＤ」要素の内容を，内部メタデータの「Ａｓｓｉｇｎｍｅｎｔ」要素が持つｉｄ属性として，記述することを意味する。
【０１５９】
メタデータ表記形式変換部４３６は，上記変換テーブル選択部４３４によって選択された変換テーブルに基づいて，外部メタデータの表記形式を内部メタデータの表記形式に変換する機能を有する。このメタデータ表記形式変換部４３６は，例えば，ＸＳＬＴエンジンなどの変換エンジンで構成されており，上記図７のＸＳＬＴエンジン７０に対応する部分である。かかるメタデータ表記形式変換部４３６は，上記選択された変換テーブルに従って，例えば，外部メタデータのタグを，内部メタデータのタグに変換する。
【０１６０】
具体的には，メタデータ表記形式変換部４３６は，例えば，図９に示したＭＯＳメタデータに従う取材指示メタデータを，図１０に示した変換テーブルに基づいて変換し，図１１に示すような内部メタデータに従う取材指示メタデータ（即ち，プログラムメタデータの「取材指示」欄の一部に該当する。）を生成する。図９および１１に示すように，図９の外部メタデータの「Ａ」および「Ａ’」，「Ｂ」，「Ｃ」および「Ｃ’」，「Ｄ」，並びに「Ｅ」の部分が，それぞれ，図１１の内部メタデータの「ａ」および「ａ’」，「ｂ」，「ｃ」および「ｃ’」，「ｄ」および「ｄ’」，並びに「ｅ」の部分に対応している。
【０１６１】
詳細には，まず，（「Ａ」および「Ａ’」）→（「ａ」および「ａ’」）の部分については，例えば，＜ｍｏｓ＞等のタグが，＜ＰｒｏｇｒａｍＭｅｔａｄａｔａ＞等のタグに変換されている。
【０１６２】
また，「Ｂ」→「ｂ」の部分については，例えば，外部メタデータの特有の項目であり変換テーブルに定義がないため，＜ｍｏｓＩＤ＞および＜ｎｃｓＩＤ＞のタグが，＜ｍｏｓ：ｍｏｓＩＤ＞および＜ｍｏｓ：ｎｃｓＩＤ＞のタグに変換されている。このように，外部メタデータ特有の項目は，例えば，その名前空間を含めたタグに変換（具体的には，例えば「ｍｏｓ：」なる接頭語を付加する）して保持されている。
【０１６３】
また，（「Ｃ」および「Ｃ’」）→（「ｃ」および「ｃ’」）の部分については，例えば，＜ａｆＯｂｊ＞等のタグが，＜Ａｃｑｕｉｓｉｔｉｏｎ＞等のタグに変換されている。
【０１６４】
また，「Ｄ」→「ｄ」の部分については，例えば，＜ａｆＩＤ＞および＜ａｆＳｌｕｇ＞等のタグが＜Ａｓｓｉｇｎｍｅｎｔ＞等のタグに統一して変換されるとともに，ａｆＩＤおよびａｆＳｌｕｇ要素の内容が，Ａｓｓｉｇｎｍｅｎｔ要素が持つｉｄ属性，ｔｉｔｌｅ属性として記述されている。
【０１６５】
また，「Ｄ」の部分については，例えば，＜ｐｈｏｔｏｇｒａｐｈｅｒ＞，＜ｒｅｐｏｒｔｅｒ＞および＜ｄｅｓｃｒｉｐｔｉｏｎ＞等のタグが，＜Ｃａｍｅｒａｍａｎ＞，＜Ｒｅｐｏｒｔｅｒ＞および＜Ｄｅｓｃｒｉｐｔｉｏｎ＞等のタグに変換されている。
【０１６６】
このように，メタデータ表記形式変換部４３６は，外部メタデータを，メタデータアプリケーション処理部８０が対応可能な内部メタデータの表記形式に変換することができる。このため，メタデータアプリケーション処理部４８０は，かかる変換されたメタデータを認識，処理することが可能となる。
【０１６７】
なお，外部メタデータと内部メタデータのメタデータ構成要素は必ずしも一対一対応している訳ではないが，上記の変換例のように，例えば，外部メタデータ特有の項目はその名前空間を含めたタグ名に変換して保持することで，当該メタデータアプリケーション処理部４８０はこれらを効率的に読み飛ばすことができるだけでなく，逆変換が必要となった場合も元の情報を保つことが可能となる。
【０１６８】
他方，内部メタデータでは定義されているものの，外部メタデータには存在しない項目（例えばＦｉｅｌｄＮｏｔｅやＳｃｅｎｅ要素など）については，例えば，内部メタデータへの変換時に単にこれらを生成しないことで対処できる。
【０１６９】
次に，メタデータアプリケーション処理部４８０は，例えば，上記表記形式が変換されたメタデータに基づいて，撮像装置４０内におけるビデオデータに関連する処理などの各種の処理を制御する機能を有する。かかる観点では，メタデータアプリケーション処理部４８０は，本実施形態にかかる制御処理部として機能する。
【０１７０】
上記のように，メタデータ表記形式変換部４３６は，例えば，メタデータアプリケーション処理部４８０が対応不能な外部メタデータを，メタデータアプリケーション処理部４８０が対応可能な内部メタデータの表記形式に変換することができる。メタデータアプリケーション処理部４８０は，例えば，かかる変換されたメタデータファイルを解釈し，必要なメタデータを抽出することができる。さらに，メタデータアプリケーション処理部４８０は，例えば，この抽出したメタデータを利用して，撮像装置４０における多様なアプリケーション処理を実行することができる。
【０１７１】
以下に，このメタデータアプリケーション処理部４８０によるメタデータに基づく制御処理の具体例について，説明する。
【０１７２】
まず，メタデータアプリケーション処理部４８０による撮像装置４０の再セットアップ処理について説明する。メタデータアプリケーション処理部４８０は，例えば，以前に撮影したときに記録したセットアップ情報などを含むメタデータを取得した場合には，かかるメタデータから抽出した各種のセットアップ情報を利用して，撮像装置４０を例えば以前の撮影状態と同様に再セットアップすることができる。
【０１７３】
より詳細には，メタデータアプリケーション処理部４８０は，例えば，前回あるいはそれ以前のテイク撮影時に記録した上記テイクメタデータなどが提供されると，このテイクメタデータなどから，当該テイクの撮影時における各種のセットアップ情報を抽出する。このセットアップ情報は，例えば，フィルタやエクステンダーの種類等のレンズに関する情報や，ホワイトバランス調整，シェーディング補正，ガンマ補正，ゲイン調整，ＤＣＣ等に関するビデオ信号の処理値やスイッチの状態などである。メタデータアプリケーション処理部４８０は，カメラブロック４１６などに対して，これらのセットアップ情報に基づいたセットアップ指示を送り，カメラブロック４１６内の各部を以前と同様な撮影状態にセットアップするように制御することができる。これにより，撮像装置４０を例えば前回の撮影状態に復活させることができる。このように，メタデータアプリケーション処理部４８０がメタデータに基づいて自動的に再セットアップを行うことにより，カメラマンなどが，煩雑なセットアップ操作を手動で行わなくても済むので便利である。
【０１７４】
次に，メタデータアプリケーション処理部４８０によるメタデータの表示制御処理について説明する。メタデータアプリケーション処理部４８０は，解釈したメタデータを，表示部４０８に表示させる表示制御処理を実行することができる。
【０１７５】
より詳細には，かかるメタデータアプリケーション処理部４８０は，例えば，入力されたプログラムメタデータやテイクメタデータなどのメタデータを解釈して，メタデータ内の項目を個別に扱いやすいような表形式に変換することができる。さらに，メタデータアプリケーション処理部４８０は，例えば，この表形式に変換されたプログラムメタデータやテイクメタデータなどを，ビューファインダーや液晶モニタなどの表示部４０８に表示させるよう制御することができる。また，このとき，メタデータアプリケーション処理部４８０は，例えば，プログラムメタデータなどの項目を絞り込んで表示させることもできる。このようなメタデータの表示制御処理により，カメラマンなどは，表形式のプログラムメタデータなどを閲覧して，撮影すべきシーン，カットの数や構成等を容易に認識することができる。また，テイクメタデータを閲覧することにより，撮影したテイクの撮影条件等を確認することもできる。
【０１７６】
次に，メタデータアプリケーション処理部４８０によるメタデータの音声変換再生処理について説明する。メタデータアプリケーション処理部４８０は，例えば，プログラムメタデータやテイクメタデータなどのメタデータを解釈して音声信号に変換し，かかるメタデータの内容を音声出力部４１０から音声出力させるよう制御することができる。このようなメタデータの音声変換再生処理により，カメラマンなどは，読み上げられたプログラムメタデータなどの取材指示内容を聴いて，撮影すべきシーン，カットの数や構成等を容易に認識することができる。また，テイクメタデータの内容を聴くことにより，撮影したテイクの撮影条件などを確認することもできる。
【０１７７】
次に，メタデータアプリケーション処理部４８０によるビデオデータのサムネイル表示制御処理について説明する。メタデータアプリケーション処理部４８０は，ビデオデータ内の代表的な静止画像のポイント（タイムコードなど）を表すメタデータであるサムネイルデータ値を認識することができる。さらに，メタデータアプリケーション処理部４８０は，上記認識したサムネイルデータ値に対応するビデオデータ内のフレームを表示部４０８にサムネイル表示させるよう制御することができる。このようなビデオデータのサムネイル表示制御処理により，カメラマンなどに対して，撮影したビデオデータ（映像素材）のビジュアルインデックス情報を提供することができる。
【０１７８】
次に，メタデータアプリケーション処理部４８０によるシナリオと映像素材との関係付け処理について説明する。メタデータアプリケーション処理部４８０は，例えば，制作指示情報（シナリオ）を含むプログラムメタデータを取得した場合には，かかるプログラムメタデータに対して，撮影したテイクのビデオデータなどの映像素材を関連付けることができる。
【０１７９】
より詳細には，メタデータアプリケーション処理部４８０は，例えば，テイクの撮影処理が行われる度に，上記テイク番号，ＯＫ／ＮＧ情報，ビデオファイル名，ローレゾファイル名およびテイクメタデータファイル名等からなるテイク関連付け情報などを例えば自動的に生成して，例えば，上記プログラムメタデータのカット階層の欄に追加記入することができる。このようにして，メタデータアプリケーション処理部４８０は，テイク関連付け情報を記入することにより，当該テイクのビデオデータおよびテイクメタデータを，上記プログラムメタデータ内のカットに関連付けることができる。また，かかるテイクの映像素材等をいずれのカットに関連付けるかは，例えば，カメラマンなどのカット選択操作に基づいて，決定される。このカット選択操作とは，例えば，カメラマンなどが，例えばタッチパネル方式のボタンを操作することなどにより，上記表示されたプログラムメタデータの制作指示情報に含まれる複数のカットの中から，これから撮影しようとするテイク或いは撮影済のテイクを割り当てるカットを選択する操作である。
【０１８０】
このようにして，メタデータアプリケーション処理部４８０は，例えば，生成したテイク関連付け情報をプログラムメタデータに追加記入して，プログラムメタデータを編集することができる。この結果，メタデータアプリケーション処理部４８０は，制作指示（シナリオ）と映像素材とを関係付けることができる。
【０１８１】
上記のように，メタデータアプリケーション処理部４８０によるメタデータに基づくアプリケーション処理の具体例について説明したが，これらはほんの一例であり，メタデータアプリケーション処理部４８０は，これら以外にも，ビデオデータに関する各種処理など，撮像装置４０における多様な処理をメタデータに基づいて制御することができる。
【０１８２】
＜４．２  撮像装置の処理方法＞
次に，図１２に基づいて，本実施形態にかかる撮像装置４０におけるメタデータに関する処理方法について説明する。なお，図１２は，本実施形態にかかる撮像装置４０の処理方法を示すフローチャートである。
【０１８３】
図１２に示すように，まず，ステップＳ１０２では，外部から提供されたＸＭＬベースの任意の表記形式のメタデータ（即ち，外部メタデータ）が，取得される（ステップＳ１０２）。撮像装置４０は，例えば，企画用端末装置１０などの外部機器から，ネットワーク５或いは記録媒体などを介して，外部メタデータを取得する。詳細には，例えば，ネットワーク５を介して取得する場合には，撮像装置４０の通信部４１２が，ネットワーク５を介して送信されてきた外部メタデータを受信して，メタデータ入出力処理部に４３０に出力する。一方，例えば，記録媒体を介して取得する場合には，外部インタフェース４１４またはディスク装置４１８が，記録媒体に記録されている外部メタデータを読み出して，メタデータ入出力処理部に４３０に出力する。
【０１８４】
次いで，ステップＳ１０４では，上記取得されたメタデータの表記形式が識別される。（ステップＳ１０４：メタデータ表記形式識別工程）。メタデータ入出力処理部４３０のメタデータ表記形式識別部４３２は，例えば，入力された外部メタデータファイルから，開始タグなどを検出することにより，当該外部メタデータの表記形式を識別する。例えば，メタデータ表記形式識別部４３２は，＜ｍｏｓ＞なるタグを検出した場合には，外部メタデータの種類がＭＯＳメタデータであると識別できる。
【０１８５】
さらに，ステップＳ１０６では，識別されたメタデータの表記形式が，撮像装置４０が対応可能な形式か否かが判定される（ステップＳ１０６）。例えば，メタデータ表記形式識別部４３２は，予め，撮像装置４０のメタデータアプリケーション処理部４８０などが認識可能なメタデータ（即ち，内部メタデータ）の表記形式を知得している。従って，メタデータ表記形式識別部４３２は，上記ステップＳ１０４で識別した外部メタデータの表記形式が，この内部メタデータの表記形式と同一であるか否かを判定することができる。この結果，外部メタデータの表記形式が，メタデータアプリケーション処理部４８０が対応不能であると判定された場合には，ステップＳ１０８に進み，一方，対応可能であると判定された場合には，ステップＳ１１２に進む。
【０１８６】
その後，ステップＳ１０８では，上記識別されたメタデータの表記形式に対応する変換テーブルが選択される（ステップＳ１０８：変換テーブル選択工程）。変換テーブル選択部４３４は，例えば，変換テーブルＤＢ４２０に記録されている複数の変換テーブルの中から，上記ステップＳ１０４で識別された外部メタデータの表記形式と内部メタデータの表記形式に対応する１つの変換テーブルを選択する。
【０１８７】
次いで，ステップＳ１１０では，上記選択された変換テーブルに基づいて，メタデータの表記形式が変換される（ステップＳ１１０：メタデータ変換工程）。メタデータ表記形式変換部４３６は，上記ステップＳ１０８で選択された変換テーブルに基づいて，外部メタデータの表記形式を内部メタデータの表記形式に変換する。これにより，取得した外部メタデータを，メタデータアプリケーション処理部４８０が認識可能な表記形式に変換することができる。
【０１８８】
さらに，ステップＳ１１２では，各種のメタデータアプリケーション処理が実行される（ステップＳ１１２：処理制御工程）。メタデータアプリケーション処理部４８０は，例えば，上記表記形式が変換されて認識可能となったメタデータに基づいて，上記説明したような撮像装置４０内における多様な処理を制御する。また，メタデータアプリケーション処理部４８０は，例えば，ステップＳ１０６で内部メタデータの表記形式と略同一であると判定された外部メタデータを，直接に認識して処理することもできる。
【０１８９】
＜５．編集用端末装置＞
次に，上記メタデータの変換機能を備えたビデオデータ処理装置として，本実施形態にかかるビデオデータ再生装置である編集用端末装置３０について詳細に説明する。
【０１９０】
＜５．１  編集用端末装置の構成＞
まず，図１３に基づいて，本実施形態にかかる編集用端末装置３０の構成について説明する。なお，図１３は，本実施形態にかかる編集用端末装置３０の概略的な構成を示すブロック図である。
【０１９１】
図１３に示すように，編集用端末装置３０は，ＣＰＵ３０２と，メモリ部３０４と，入力部３０６と，表示部３０８と，音声出力部３１０と，通信部３１２と，外部インタフェース３１４と，ディスク装置３１６と，記録装置３１８と，変換テーブルＤＢ３２０と，メタデータ入出力処理部３３０と，メタデータアプリケーション処理部３８０と，を備える。
【０１９２】
ＣＰＵ３０２は，演算処理装置および制御装置として機能し，編集用端末装置３０の各部の処理を制御することができる。また，メモリ部３０４は，例えば，ＲＡＭ，ＲＯＭ，フラッシュメモリなどで構成されており，ＣＰＵ３０２の処理に関する各種データ，ＣＰＵ３０２の動作プログラム等を記憶する機能を有する。
【０１９３】
入力部３０６は，例えば，マウス，キーボード，タッチパネルなどの一般的な入力装置（図示せず。）と，映像編集用入力装置（図示せず。）などから構成されている。この映像編集用入力装置は，例えば，Ｉｎ点を決定するＩｎ点決定ボタン，Ｏｕｔ点を決定するＯｕｔ点決定ボタン，映像再生ボタン，停止ボタンなどの各種の編集用ボタンや，映像再生速度を調整したり，再生するビデオデータを選択したりするためのジョグダイヤル，レバーなどを備える。編集部署の担当者は，例えば，上記映像編集用入力装置を操作して，ビデオデータを多様に再生（早送りや巻き戻しなどを含む。）させたり，Ｉｎ点およびＯｕｔ点を決定したりできる。
【０１９４】
表示部３０８は，ディスプレイ装置であり，例えばＣＲＴモニタや液晶モニタなどで構成される。この表示部３０８は，メタデータやビデオデータの映像などを表示することができる。
【０１９５】
また，音声出力部３１０は，スピーカなどの発音装置と音声データ処理装置等から構成されており，ビデオデータの音声などを出力することができる。また，この音声出力部３１０は，例えば，後述するメタデータアプリケーション処理部３８０によって読み上げられた制作指示情報等のメタデータを音声出力することなどもできる。
【０１９６】
通信部３１２は，例えば，企画用端末装置１０および撮像装置４０などの外部機器との間でネットワーク５を介して，各種メタデータや，ローレゾ映像のビデオデータなどの各種データを送受信することができる。例えば，この通信部３１２は，外部の機器から提供されたメタデータを受信して，このメタデータをメタデータ入出力処理部３３０に出力することができる。また，この通信部３１２は，例えばＳＤＩにより上記データをネットワーク５を介して送信する場合には，ＫＬＶ符号化などの符号化処理をすることもできる。上記のように，かかる通信部３１２によって受信したメタデータおよびローレゾ映像のビデオデータなどは，例えば，メモリ部３０４または記録装置３１８などに記録される。
【０１９７】
外部インタフェース３１４は，編集用端末装置３０に例えばＵＳＢ，ＳＣＳＩなどの規格で接続された周辺機器との間で，データの送受信を行う部位である。この周辺装置は，例えば，外付けの各種ディスク装置，ハードディスクドライブ，プリンタ，スキャナなどである。
【０１９８】
ディスク装置３１６は，例えば，撮像装置４０などから提供された光ディスク３などの記録媒体に対して，ビデオデータ（ビデオ信号）を記録または再生する記録再生装置である。このディスク装置３１６は，例えば，編集用端末装置３０に内蔵して構成することもできるし，或いは，外部インタフェース３１４を介して外付けして，編集用端末装置３０とは別体に構成された記録再生装置として構成することもできる。また，後者の場合には，例えば，かかるディスク装置３１６に，上記のようなＣＰＵ，メモリ部，編集用入力装置，通信部，コンピュータインタフェース，表示制御部などを設けてもよい。  
【０１９９】
かかるディスク装置３１６は，例えば，光ディスク３に記録されているオリジナル映像またはローレゾ映像のビデオデータを再生して，表示部３０８に表示することができる。また，ディスク装置３１６は，例えば，光ディスク３などに記録されているメタデータを読み出して，メタデータ入出力処理部４３０に出力することもできる。  
【０２００】
また，ディスク装置３１６は，例えば，ビデオデータを光ディスク３などに記録することもできる。例えば，ディスク装置３１６は，ネットワーク５を介して送信されてきたローレゾ映像のビデオデータや，編集処理により切り出されたビデオデータを，光ディスク３に記録することができる。また，ディスク装置３１６は，例えば，生成・編集されたメタデータを光ディスク３に記録することもできる。  
【０２０１】
また，ディスク装置３１６は，例えば，上記光ディスク３以外にも，フレキシブルディスク，ハードディスク，ＭＯ等の磁気ディスク，メモリースティック，メモリーカードなどの記録媒体に対して，メタデータ，各種アプリケーションプログラムなどを読み書きできるように構成してもよい。これにより，編集用端末装置３０は，例えば，メモリーカードなどからメタデータを取得することも可能になる。
【０２０２】
記録装置３１８は，例えば，ハードディスクドライブ等で構成されたストレージ装置であり，各種プログラム，メタデータ，オリジナル映像またはローレゾ映像等のビデオデータなどの各種データを格納することができる。
【０２０３】
変換テーブルデータベース３２０は，本実施形態にかかる特徴部であり，例えば，上記メタデータの変換テーブルを貯蔵する記録装置である。この変換テーブルデータベース３２０の機能構成は，上記撮像装置４０の変換テーブルデータベース４２０の機能構成と略同一であるので，その説明を省略する。なお，例えば，かかる変換テーブルデータベース３２０は，上記記録装置３１８内に設けられてもよい。  
【０２０４】
メタデータ入出力処理部３３０は，本実施形態にかかる特徴部であり，上記図７で説明したように，例えば，外部メタデータを内部メタデータに変換した上で，メタデータアプリケーション処理部３８０に対して出力する機能を有する。  
【０２０５】
このメタデータ入出力処理部４３０は，例えば，メタデータ表記形式識別部３３２と，変換テーブル選択部３３４と，メタデータ表記形式変換部３３６とを備える。なお，かかるメタデータ表記形式識別部３３２，変換テーブル選択部３３４およびメタデータ表記形式変換部３３６の機能構成は，上記撮像装置４０におけるメタデータ表記形式識別部４３２，変換テーブル選択部４３４およびメタデータ表記形式変換部４３６の機能構成とそれぞれ略同一であるので，その説明は省略する。
【０２０６】
メタデータアプリケーション処理部３８０は，例えば，上記メタデータ入出力処理部３３０によって表記形式が変換されたメタデータに基づいて，編集用端末装置３０内におけるビデオデータに関連する処理などの各種の処理を制御する機能を有する。かかる観点では，メタデータアプリケーション処理部３８０は，本実施形態にかかる制御処理部として機能する。
【０２０７】
メタデータ表記形式変換部３３６は，例えば，メタデータアプリケーション処理部３８０が対応不能な外部メタデータを，メタデータアプリケーション処理部３８０が対応可能な内部メタデータの表記形式に変換することができる。メタデータアプリケーション処理部３８０は，例えば，かかる変換されたメタデータファイルを解釈し，必要なメタデータを抽出することができる。さらに，メタデータアプリケーション処理部３８０は，例えば，この抽出したメタデータを利用して，編集用端末装置３０における多様なアプリケーション処理を実行することができる。
【０２０８】
以下に，このメタデータアプリケーション処理部３８０によるメタデータに基づく制御処理の具体例について，説明する。
【０２０９】
まず，メタデータアプリケーション処理部３８０によるメタデータの表示制御処理および音声変換再生処理について説明する。メタデータアプリケーション処理部３８０は，解釈したメタデータを，表示部３０８に表示させる表示制御処理を実行することができる。また，メタデータアプリケーション処理部３８０は，例えば，プログラムメタデータやテイクメタデータなどのメタデータを解釈して音声信号に変換し，かかるメタデータの内容を音声出力部３１０から音声出力させるよう制御することができる。なお，かかるメタデータアプリケーション処理部３８０によるメタデータの表示制御処理および音声変換再生処理は，上記撮像装置４０のメタデータアプリケーション処理部４８０によるメタデータの表示制御処理および音声変換再生処理と略同一なので，詳細説明は省略する。  
【０２１０】
かかるメタデータ表示制御処理および音声変換再生処理により，編集部署の担当者などは，表形式に整理されたプログラムメタデータなどを閲覧したり，或いは読み上げられた制作指示や取材状況を聴いたりして，編集しようとする映像プログラムのシナリオ，撮影時の状況などを把握することができる。また，編集部署の担当者は，例えば，一覧表示或いは個々に表示されたテイクメタデータを閲覧したり，読み上げられたテイクメタデータの内容を聴いたりして，テイクメタデータに対応するビデオデータの概容，撮影時の撮像条件などを把握することができる。
【０２１１】
次に，メタデータアプリケーション処理部３８０によるビデオデータの表示制御処理について説明する。メタデータアプリケーション処理部３８０は，解釈したメタデータに基づいて，ビデオデータを表示部３０８に多様な態様で表示させる映像表示制御処理を実行することができる。
【０２１２】
具体的には，例えば，メタデータアプリケーション処理部３８０は，プログラムメタデータに基づいて，シナリオ順に，ＯＫのテイクのビデオデータを順次，連続再生（連続表示）するように制御できる。かかる連続再生処理についてより詳細に説明すると，まず，メタデータアプリケーション処理部３８０は，例えば，プログラムメタデータの制作指示情報に基づいて，カットのシナリオ順を知得する。さらに，メタデータアプリケーション処理部３８０は，テイク関連付け情報に基づいて，カットに従属するＯＫのテイクのビデオデータをシナリオ順に順次特定しながら，当該テイクのビデオデータをディスク装置３１６が順次再生するよう制御する。かかる処理により，シナリオ順にビデオデータを連続再生して，映像プログラムのプレビューが可能になる。
【０２１３】
また，メタデータアプリケーション処理部３８０は，例えば，編集部署の担当者により選択された１のテイクのビデオデータのみを単独再生（単独表示）するように制御することもできる。かかる単独再生処理についてより詳細に説明すると，まず，メタデータアプリケーション処理部３８０はプログラムメタデータを表示部３０８に表示させる。次いで，編集部署の担当者によってプログラムメタデータ内の複数のテイクの中から閲覧所望のテイクが選択される（例えば，タッチスクリーン方式やＧＵＩ入力などで選択可能である。）と，メタデータアプリケーション処理部３８０は，テイク関連付け情報に基づいて，当該テイクのビデオデータ特定し，かかるビデオデータのみをディスク装置３１６が再生するよう制御する。これにより，ディスク装置３１６は，指示されたテイクのビデオデータのみを再生することができる。
【０２１４】
さらに，メタデータアプリケーション処理部３８０は，かかるビデオデータの再生中に，例えば，プログラムメタデータまたはテイクメタデータなどの一部または全部を，映像にスーパーインポーズ表示することもできる。
【０２１５】
このように，メタデータアプリケーション処理部３８０は，メタデータに基づいて，ビデオデータを多様な態様で表示制御することができる。これにより，映像編集前においては，編集部署の担当者は，所望するビデオデータを，所望の態様で迅速に閲覧できる。さらに，編集部署の担当者は，シナリオに従った順序で連続再生されたビデオデータを閲覧することにより，編集しようとする映像プログラムの全体構成やイメージを把握できる。このため，編集処理の効率化を図ることができる。また，編集処理後においては，編集部署の担当者は，連続再生されたビデオデータを閲覧することにより，完成した映像プログラムの内容を容易に確認できる。
【０２１６】
また，メタデータアプリケーション処理部３８０は，例えば，上記撮像装置４０のメタデータアプリケーション処理部４８０と同様にして，ビデオデータのサムネイル表示制御処理を行うことができる。このようなビデオデータのサムネイル表示処理により，編集部署の担当者などに対して，ビデオデータのビジュアルインデックス情報を提供することができる。
【０２１７】
次に，メタデータアプリケーション処理部３８０による粗編集支援処理について説明する。メタデータアプリケーション処理部３８０は，例えば，編集部署の担当者の粗編集結果に基づいて上記Ｉｎ点情報およびＯｕｔ点情報を生成し，かかる上記Ｉｎ点情報およびＯｕｔ点情報をプログラムメタデータに追加記入することで粗編集を支援することができる。
【０２１８】
より詳細には，粗編集処理は，例えば，テイクのビデオデータから，カットに相当する時間長分のビデオデータを抽出する処理である。かかる粗編集処理を行うときには，まず，編集部署の担当者が，例えば，粗編集しようとするカットに関連付けられているテイクのビデオデータを再生して，閲覧する。なお，かかるビデオデータの再生は，上記映像表示制御処理によって好適に行われるので，編集部署の担当者は，迅速かつ容易に粗編集作業を行うことができる。次いで，編集部署の担当者は，再生映像を閲覧しながら，所望の時点で上記Ｉｎ点決定ボタンまたはＯｕｔ点決定ボタンを押下し，Ｉｎ点およびＯｕｔ点を決定する。メタデータアプリケーション処理部３８０は，例えば，編集部署の担当者がＩｎ点決定ボタンまたはＩｎ点決定ボタンを押下したタイミングにおける，例えば当該ビデオデータに付されているタイムコードをそれぞれ抽出する。これにより，メタデータアプリケーション処理部３８０は，Ｉｎ点情報およびＯｕｔ点情報を生成することができる。さらに，メタデータアプリケーション処理部３８０は，例えば，このようにして生成した上記Ｉｎ点情報およびＯｕｔ点情報を，例えば上記プログラムメタデータの所定項目に記入する。これにより，例えば，プログラムメタデータが完成し，カットに関連付けられたテイクのビデオデータの有効範囲を特定することができる。
【０２１９】
次に，メタデータアプリケーション処理部３８０によるビデオデータ編集処理について説明する。メタデータアプリケーション処理部３８０は，例えば，例えば，上記完成したプログラムメタデータに基づいて，映像プログラムを構成する全カットに対応するテイクのビデオデータを切り出し，切り出した複数のビデオデータをつなぎ合わせて記録するよう制御することができる。
【０２２０】
より詳細には，メタデータアプリケーション処理部３８０は，まず，解釈した制作指示情報に基づいて，例えばシナリオの最初のカットを特定する。さらに，ビデオデータ編集部３４０は，例えば，プログラムメタデータのテイク関連付け情報に基づいて，当該カットに対応する「ＯＫ」のテイクを特定し，当該テイクのビデオデータのＩｎ点情報およびＯｕｔ点情報を取得する。次いで，メタデータアプリケーション処理部３８０は，ディスク装置３１６を用いて当該テイクのビデオデータを取得し，上記Ｉｎ点情報およびＯｕｔ点情報に基づいて当該ビデオデータの有効映像部分を抽出する。さらに，メタデータアプリケーション処理部３８０は，例えば，ディスク装置３１６が，抽出されたビデオデータを新たな光ディスク３または記録装置３１８に記録するよう制御する。次いで，メタデータアプリケーション処理部３８０は，上記と同様にして，次のカットに対応するテイクのビデオデータを切り出して，上記先のテイクのビデオデータの例えば直後に記録するよう制御する。以上のような処理を繰り返すことで，メタデータアプリケーション処理部３８０は，必要なビデオデータをシナリオ順につなぎ合わせて記録する処理を制御することができる。このようなビデオデータ編集処理により，シナリオに従った映像プログラムのビデオデータを完成させることができる。
【０２２１】
上記のように，メタデータアプリケーション処理部３８０によるメタデータに基づくアプリケーション処理の具体例について説明したが，これらはほんの一例であり，メタデータアプリケーション処理部３８０は，これら以外にも，ビデオデータに関する各種処理など，編集用端末装置３０における多様な処理をメタデータに基づいて制御することができる。
【０２２２】
＜５．２  編集用端末装置の処理方法＞
次に，本実施形態にかかる編集用端末装置３０におけるメタデータに関する処理方法について説明する。編集用端末装置３０において，メタデータアプリケーション処理部３８０が認識不能な外部メタデータを取得した場合には，まず，メタデータ表記形式識別部３３２が，取得した外部メタデータの表記形式を識別する。次いで，変換テーブル選択部３３４が，上記識別された表記形式に対応する変換テーブルを選択する。さらに，メタデータ表記形式変換部３３６が，上記選択された変換テーブルに基づいて，外部メタデータを内部メタデータの表記形式に変換する。この結果，メタデータアプリケーション処理部３８０は，上記変換され認識可能となったメタデータに基づいて，上記編集用端末装置３０内の各種処理を制御することができる。なお，かかる編集用端末装置のメタデータ変換に関する処理方法は，上記図１２で説明したような，撮像装置４０の処理方法と略同一であるので，その詳細な説明は省略する。
【０２２３】
以上説明したように，撮像装置４０および編集用端末装置３０は，例えば，メタデータ入出力処理部４３０，３３０を備えているので，内部のメタデータアプリケーション処理部４８０，３８０が対応不能な表記形式のメタデータを取得した場合であっても，かかるメタデータを対応可能な表記形式に的確に変換して，認識することができる。このため，撮像装置４０および編集用端末装置３０は，任意の種類のＸＭＬベースのメタデータに，柔軟に対処することができる。
【０２２４】
また，例えば，企画用端末装置１０やフィールドＰＣ５０など他の端末装置に対しても，上記のようなメタデータ入出力処理部を適用することも可能である。これにより，映像プログラム制作支援システム１内で，各々の端末装置が対応可能なメタデータ形式が異なる場合であっても，各々の端末装置が円滑にメタデータをやり取りできるので，映像プログラム制作の効率化や映像作品の品質向上を図ることができる。
【０２２５】
（第２の実施の形態）
次に，本発明の第２の実施の形態について説明する。第２の実施形態では，ビデオデータ記録装置の一実施形態である撮像装置４０が，例えば，自身の生成したメタデータの表記形式を，ビデオデータ再生装置の一実施形態である編集用端末装置３０が対応可能な表記形式に変換した上で，かかる変換したメタデータとビデオデータを関連付けて編集用端末装置３０に提供することを特徴とする。即ち，ビデオデータおよびメタデータの提供側である撮像装置４０が，ビデオデータおよびメタデータの利用側である編集用端末装置３０に配慮して，メタデータを当該編集用端末装置３０が対処可能な形式に予め変換した上で提供する点に特徴を有する。
【０２２６】
なお，第２の実施形態にかかる撮像装置４０および編集用端末装置３０は，上記第１の実施形態にかかる撮像装置４０および編集用端末装置３０と比して，上記特徴点に関連する機能構成が相違するのみである。このため，第２の実施形態では，撮像装置４０および編集用端末装置３０に関する上記以外の機能構成や，システム構成，メタデータ等については，上記第１の実施形態の場合と略同一であるので，その説明は省略する。
【０２２７】
まず，図１４に基づいて，本実施形態にかかる撮像装置４０の構成について説明する。なお，図１４は，本実施形態にかかる撮像装置４０の概略的な構成を示すブロック図である。
【０２２８】
図１４に示すように，撮像装置４０は，ＣＰＵ４０２と，メモリ部４０４と，操作部４０６と，表示部４０８と，音声出力部４１０と，通信部４１２と，外部インタフェース４１４と，カメラブロック４１６と，ディスク装置４１８と，変換テーブルデータベース４２０と，メタデータ生成部４２２と，メタデータ入出力処理部４３０と，メタデータアプリケーション処理部４８０とを備える。
【０２２９】
なお，第２の実施形態にかかる撮像装置４０におけるメタデータ入出力処理部４３０以外の各部の機能構成は，第１の実施形態にかかる撮像装置４０の場合と略同一であるのでその説明は省略する。
【０２３０】
メタデータ入出力処理部４３０は，本実施形態にかかる特徴部であり，上記図７で説明したように，例えば，内部メタデータを任意の外部メタデータに変換して出力する機能を有する。このメタデータ入出力処理部４３０は，例えば，相手先メタデータ表記形式特定部４３１と，変換テーブル選択部４３４と，メタデータ表記形式変換部４３６とを備える。
【０２３１】
相手先メタデータ表記形式特定部４３１は，例えば，メタデータを提供する相手先の機器（編集用端末装置３０など）が対応可能なメタデータの表記形式（以下では，相手先メタデータ形式と略称する場合もある。）を，特定する機能を有する。より詳細には，相手先メタデータ表記形式特定部４３１は，例えば，担当者の入力操作等により内部メタデータを外部の機器へ提供する旨の指示を受けると，当該外部の機器の相手先メタデータ形式を特定して，相手先メタデータ形式の情報を変換テーブル選択部４３４に出力する。
【０２３２】
かかる相手先メタデータ表記形式特定部４３１が相手先メタデータ形式を特定する手法としては，例えば，担当者の入力に基づいて特定する手法であってもよいし，或いは，例えば，相手先機器を識別する情報などに基づいて相手先メタデータ形式を自動的に特定する手法であってもよい。後者のように自動特定する場合には，相手先メタデータ表記形式特定部４３１は，ネットワーク５を介して相手先の機器にアクセスすることにより，相手先メタデータ形式の情報を自動的に取得するようにしてもよい。或いは，相手先メタデータ表記形式特定部４３１は，撮像装置４０内部のメモリ部３０４や，外部から提供されたメモリーカード等の記録媒体などに格納されている相手先メタデータ形式の情報を読み出すことにより，相手先メタデータ形式の情報を自動的に取得するようにしてもよい。なお，この場合には，例えば，担当者などが，予め調査した例えば複数の相手先メタデータ形式を，上記メモリ部３０４や記録媒体等に記録しておく必要がある。
【０２３３】
変換テーブル選択部４３４は，変換テーブルＤＢ４２０に記録されている例えば複数の変換テーブルの中から，上記編集用端末装置３０などの相手先の機器が認識可能なメタデータの表記形式に対応する変換テーブルを選択する機能を有する。即ち，変換テーブル選択部４３４は，内部メタデータを相手先メタデータ形式に変換するための変換テーブルを選択することができる。かかる変換テーブルの選択処理は，例えば，上記相手先メタデータ表記形式特定部４３１から入力された相手先メタデータ形式の情報に基づいて，実行される。例えば，相手先メタデータ表記形式特定部４３１が判断した相手先メタデータ形式がＭＯＳメタデータ形式である場合には，変換テーブル選択部４３４は，例えば，内部メタデータとＭＯＳメタデータとに対応する変換テーブルを選択する。
【０２３４】
メタデータ表記形式変換部４３６は，上記変換テーブル選択部４３４によって選択された変換テーブルに基づいて，内部メタデータの表記形式を相手先メタデータ形式に変換する機能を有する。このメタデータ表記形式変換部４３６は，上記と同様に，例えば，ＸＳＬＴエンジンなどの変換エンジンで構成されている。かかるメタデータ表記形式変換部４３６は，上記選択された変換テーブルに従って，例えば，上記メタデータ生成部４２２によって生成された内部メタデータ，またはメタデータアプリケーション処理部４８０によって編集された内部メタデータなどを，相手先メタデータ形式に変換することができる。かかるメタデータ変換処理は，例えば，上記図９〜図１１で示したような，タグの変換処理などである。
【０２３５】
上記のように，メタデータ表記形式変換部４３６は，例えば，相手先の機器が対応不能な内部メタデータを，対応可能な相手先メタデータ形式に変換することができる。このように変換されたメタデータは，例えば，ディスク装置４１８により，光ディスク３などの記録媒体に記録される，かかるメタデータの記録時には，本実施形態にかかるビデオデータ記録部であるディスク装置４１８は，例えば，当該メタデータと，当該メタデータに対応するビデオデータを関連付けて記録することができる。このようにメタデータとビデオデータとを関連付けて記録する手法としては，例えば，メタデータファイルとビデオデータファイルを，同一フォルダ或いはリンクされたフォルダ内に記録するなど，記録媒体内のディレクトリ構成を利用する手法，或いは，例えば，上記プログラムメタデータのテイク関連付け情報のように，メタデータ内にビデオデータファイル名を記入する手法などがある。
【０２３６】
このようにして，変換されたメタデータが記録された光ディスク３などの記録媒体は，編集用端末装置３０などの外部機器に提供される。これにより，当該編集用端末装置３０などは，例えば，ビデオデータとともにこのビデオデータに関連するメタデータを，同一の記録媒体を介して取得することができる。
【０２３７】
以上，本実施形態にかかる撮像装置４０の各部の機能構成について説明した。しかし，撮像装置４０は，上記の構成例に限定されるものではない。
【０２３８】
例えば，撮像装置４０は，例えば，上記相手先メタデータ形式に変換したメタデータを，ネットワーク５を介して送信することにより，編集用端末装置３０などの外部機器に提供するようにしてもよい。これにより，撮像装置４０は，当該外部機器に対して，変換したメタデータを迅速に提供することができる。
【０２３９】
また，本実施形態にかかるメタデータ入出力処理部４３０は，例えば，外部から入力された対応不能な表記形式の外部メタデータを内部メタデータに変換するべく，上記第１の実施形態にかかるメタデータ入出力処理部４３０と同様な機能を兼ね備えてもよい。
【０２４０】
即ち，メタデータ入出力処理部４３０は，さらに，外部メタデータの表記形式を識別するメタデータ表記形式識別部４３２を備えるように構成してもよい。さらに，上記変換テーブル選択部４３４が，例えば，第１の実施形態に場合のように，変換テーブルＤＢ４２０内の例えば複数の変換テーブルの中から，上記メタデータ表記形式識別部４３２によって識別された外部メタデータの表記形式に対応する変換テーブルを選択する機能を兼ね備えるようにしてもよい。加えて，上記メタデータ表記形式変換部４３６が，例えば，第１の実施形態に場合のように，外部メタデータを，メタデータアプリケーション処理部８０が対応可能な内部メタデータの表記形式に変換する機能を兼ね備えるようにしてもよい。これらの構成により，撮像装置４０に対して対応不能な外部メタデータを内部メタデータ形式に変換して，メタデータアプリケーション処理部４８０が，変換されたメタデータを認識，処理することが可能となる。
【０２４１】
次に，図１５に基づいて，本実施形態にかかる撮像装置４０におけるメタデータに関する処理方法について説明する。なお，図１５は，本実施形態にかかる撮像装置４０の処理方法を示すフローチャートである。
【０２４２】
図１５に示すように，まず，ステップＳ２０２では，撮像装置４０の内部でメタデータが生成される（ステップＳ２０２：メタデータ生成工程）。撮像装置４０のメタデータ生成部４２２は，例えば，上記テイクメタデータなどのメタデータを新規に生成する。このようにして撮像装置４０内部で生成されたメタデータは，撮像装置４０が対応可能な内部メタデータの表記形式で記述されている。
【０２４３】
なお，ここでいう撮像装置４０の内部で生成されたメタデータには，上記新規生成されたメタデータだけでなく，例えば，外部から提供されて撮像装置４０の内部で編集されたメタデータなども含むものとする。かかる編集されたメタデータの例としては，例えば，メタデータアプリケーション処理部４８０が，上記テイク関連付け情報などを追加記入することなどにより，編集されたプログラムメタデータなどである。
【０２４４】
次いで，ステップＳ２０４では，メタデータを提供する相手先の外部機器が認識可能なメタデータの表記形式が特定される（ステップＳ２０４）。相手先メタデータ表記形式特定部４３１は，例えば，担当者の入力に基づいて，或いは自動的に，上記相手先メタデータ形式を特定する。
【０２４５】
さらに，ステップＳ２０６では，特定された相手先のメタデータ表記形式が，撮像装置４０の内部メタデータの表記形式と同一であるか否かが判定される（ステップＳ２０６）。相手先メタデータ表記形式特定部４３１は，例えば，既知の内部メタデータの表記形式と，上記ステップＳ２０４で特定した相手先メタデータ形式が，同一であるか否かを判断する。この結果，同一でないと判断された場合には，ステップＳ２０８に進み，一方，同一であると判断された場合には，メタデータ変換の必要がないので，ステップＳ２１２に進む。
【０２４６】
その後，ステップＳ２０８では，上記特定されたメタデータの表記形式に対応する変換テーブルが選択される（ステップＳ２０８）。変換テーブル選択部４３４は，例えば，変換テーブルＤＢ４２０に記録されている複数の変換テーブルの中から，上記ステップＳ２０４で特定された相手先メタデータ形式と，および内部メタデータの表記形式とに対応する例えば１つの変換テーブルを選択する。
【０２４７】
次いで，ステップＳ２１０では，上記選択された変換テーブルに基づいて，上記生成されたメタデータの表記形式が変換される（ステップＳ２１０：メタデータ表記形式変換工程）。メタデータ表記形式変換部４３６は，上記ステップＳ２０８で選択された変換テーブルに基づいて，内部メタデータの表記形式を相手先メタデータ形式に変換する。これにより，撮像装置４０は，生成した内部メタデータを，編集用端末装置３０などが認識可能な表記形式に変換することができる。
【０２４８】
さらに，ステップＳ２１２では，上記変換されたメタデータとビデオデータとが記録媒体に記録される（ステップＳ２１２：ビデオデータ記録工程）。ディスク装置４１８は，編集用端末装置３０などがビデオデータに関する処理を上記メタデータに基づいて制御できるように，上記ステップＳ２１０で変換されたメタデータ（或いは上記ステップＳ２０６で変換不要と判断されたメタデータ）と，当該メタデータに対応するビデオデータとを相互に関連付けて，光ディスク３などに記録する。
【０２４９】
その後，ステップＳ２１４では，記録媒体を介してメタデータなどが提供される（ステップＳ２１４）。撮像装置４０は，上記ステップＳ２１２でメタデータおよびビデオデータなどが記録された光ディスク３等の記録媒体を，編集用端末装置３０などの外部機器に提供する。これにより，編集用端末装置３０などは，例えば，自身が対応できるように変換されたメタデータを，ビデオデータとともに取得することができる。
【０２５０】
以上のように，撮像装置４０は，自身が生成・編集したメタデータを，編集用端末装置３０などの相手先の対応可能な表記形式に変換した上で記録媒体に記録することができる。このため，かかる記録媒体を取得した当該編集用端末装置３０などは，特段の処理を行わずとも，当該変換されたメタデータを記録媒体から読み出して，認識，処理することができる。よって，メタデータの受け側である当該編集用端末装置３０などは，例えば，上記第１の実施形態で説明したようなメタデータ入出力処理部３３０などを具備しなくてもよいので，装置構成の簡略化，低価格化が図れる。
【０２５１】
また，記録媒体にはビデオデータとメタデータが関連付けられて記録されているので，編集用端末装置３０などは，取得したメタデータとビデオデータの対応関係を容易に把握できる。このため，当該編集用端末装置３０は，当該メタデータに基づいて当該ビデオデータに関する処理を好適に実行できる。
【０２５２】
（第３の実施の形態）
次に，本発明の第３の実施の形態について説明する。第３の実施形態では，ビデオデータ記録装置の一実施形態である撮像装置４０が，例えば，自己の生成したメタデータと，かかるメタデータに対応する変換テーブル，およびビデオデータを関連付けて，ビデオデータ再生装置の一実施形態である編集用端末装置３０に提供することを特徴とする。即ち，ビデオデータおよびメタデータの提供側である撮像装置４０が，ビデオデータおよびメタデータの利用側である編集用端末装置３０に配慮して，編集用端末装置３０側で当該メタデータを容易に変換して利用できるように，当該メタデータに対応する変換テーブルを当該メタデータとともに提供する点に特徴を有する。
【０２５３】
なお，第３の実施形態にかかる撮像装置４０および編集用端末装置３０は，上記第１の実施形態にかかる撮像装置４０および編集用端末装置３０と比して，上記特徴点に関連する機能構成が相違するのみである。このため，第３の実施形態では，撮像装置４０および編集用端末装置３０に関する上記以外の機能構成や，システム構成，メタデータ等については，上記第１の実施形態の場合と略同一であるので，その説明は省略する。
【０２５４】
まず，図１６に基づいて，本実施形態にかかる撮像装置４０の構成について説明する。なお，図１６は，本実施形態にかかる撮像装置４０の概略的な構成を示すブロック図である。
【０２５５】
図１６に示すように，撮像装置４０は，ＣＰＵ４０２と，メモリ部４０４と，操作部４０６と，表示部４０８と，音声出力部４１０と，通信部４１２と，外部インタフェース４１４と，カメラブロック４１６と，ディスク装置４１８と，変換テーブルデータベース４２０と，メタデータ生成部４２２と，メタデータ入出力処理部４３０と，メタデータアプリケーション処理部４８０とを備える。
【０２５６】
なお，第３の実施形態にかかる撮像装置４０におけるメタデータ入出力処理部４３０以外の各部の機能構成は，第１の実施形態にかかる撮像装置４０の場合と略同一であるのでその説明は省略する。
【０２５７】
メタデータ入出力処理部４３０は，本実施形態にかかる特徴部であり，例えば，内部メタデータの変換に必要な変換テーブルを選択して出力する機能を有する。このメタデータ入出力処理部４３０は，例えば，相手先メタデータ表記形式特定部４３１と，変換テーブル選択部４３４と，を備える。
【０２５８】
相手先メタデータ表記形式特定部４３１は，例えば，メタデータを提供する相手先の機器（編集用端末装置３０など）が対応可能なメタデータの表記形式（以下では，相手先メタデータ形式と略称する場合もある。）を，特定する機能を有する。この相手先メタデータ表記形式特定部４３１の機能構成は，上記第２の実施形態にかかる相手先メタデータ表記形式特定部４３１の機能構成と略同一であるので，その説明は省略する。なお，かかる相手先メタデータ表記形式特定部４３１は，例えば，必ずしも具備されなくともよい。
【０２５９】
変換テーブル選択部４３４は，変換テーブルＤＢ４２０に記録されている例えば複数の変換テーブルの中から，例えば，上記編集用端末装置３０などの相手先の機器が認識可能なメタデータの表記形式に対応する変換テーブルを選択する機能を有する。即ち，変換テーブル選択部４３４は，例えば，相手先の機器が，撮像装置４０の生成した内部メタデータを，相手先メタデータ形式に自ら変換するための変換テーブルを選択することができる。かかる変換テーブルの選択処理は，例えば，上記相手先メタデータ表記形式特定部４３１から入力された相手先メタデータ形式の情報などに基づいて，実行されてもよい。例えば，相手先メタデータ表記形式特定部４３１が特定した相手先メタデータ形式がＭＯＳメタデータ形式である場合には，変換テーブル選択部４３４は，例えば，内部メタデータとＭＯＳメタデータとに対応する変換テーブルを選択する。
【０２６０】
また，メタデータ入出力処理部４３０が上記相手先メタデータ表記形式特定部４３１を具備しない場合には，この変換テーブル選択部４３４は，例えば，撮像装置４０の生成した内部メタデータと，任意の表記形式の外部メタデータとに対応した１又は２以上の変換テーブルを選択するようにしてもよい。この場合はさらに，変換テーブル選択部４３４は，できるだけ多くの種類の外部メタデータに対応できるように，例えば，変換テーブルＤＢ４２０に格納されている例えば全ての変換テーブルを選択するようにしてもよい。
【０２６１】
上記のようにして，変換テーブル選択部４３４によって選択された１又は２以上の変換テーブルは，例えば，ディスク装置４１８により，光ディスク３などの記録媒体に記録される，かかる変換テーブルの記録時には，本実施形態にかかるビデオデータ記録部として構成されているディスク装置４１８は，例えば，当該変換テーブルと，メタデータ生成部４２２などが生成した未変換のメタデータと，当該メタデータに対応するビデオデータとを関連付けて記録媒体に記録することができる。このようにメタデータとビデオデータとを関連付けて記録する手法としては，例えば，変換テーブルファイル，メタデータファイルおよびビデオデータファイルを，同一フォルダ或いはリンクされたフォルダ内に記録するなど，記録媒体内のディレクトリ構成を利用する手法，或いは，例えばメタデータ内に変換テーブルファイル名およびビデオデータファイル名を記入する手法，これら三者の関連付け情報を記録したデータファイルをともに記録する手法などがある。
【０２６２】
このようにして，未変換のメタデータおよび変換テーブルが記録された光ディスク３などの記録媒体は，編集用端末装置３０などの外部機器に提供される。これにより，当該編集用端末装置３０などは，例えば，ビデオデータとともに，このビデオデータに関連するメタデータと，このメタデータを変換するための変換テーブルとを，同一の記録媒体を介して取得することができる。
【０２６３】
以上，本実施形態にかかる撮像装置４０の各部の機能構成について説明した。しかし，撮像装置４０は，上記の構成例に限定されるものではない。
【０２６４】
例えば，撮像装置４０は，例えば，上記未変換のメタデータおよびこのメタデータに対応する変換テーブルなどを，ネットワーク５を介して送信することにより，編集用端末装置３０などの外部機器に提供するようにしてもよい。これにより，撮像装置４０は，当該外部機器に対して，メタデータおよび変換テーブルを迅速に提供することができる。
【０２６５】
また，本実施形態にかかるメタデータ入出力処理部４３０は，例えば，外部から入力された対応不能な表記形式の外部メタデータを内部メタデータに変換するべく，上記第１の実施形態にかかるメタデータ入出力処理部４３０と同様な機能を兼ね備えてもよい。即ち，メタデータ入出力処理部４３０は，さらに，上記メタデータ表記形式識別部４３２および上記メタデータ表記形式変換部４３６を備えるように構成してもよい。かかる構成により，撮像装置４０に対して対応不能な外部メタデータを内部メタデータ形式に変換して，メタデータアプリケーション処理部４８０が，変換されたメタデータを認識，処理することが可能となる。
【０２６６】
次に，図１７に基づいて，本実施形態にかかる撮像装置４０におけるメタデータに関する処理方法について説明する。なお，図１７は，本実施形態にかかる撮像装置４０の処理方法を示すフローチャートである。
【０２６７】
図１７に示すように，まず，ステップＳ３０２では，撮像装置４０の内部でメタデータが生成される（ステップＳ３０２：メタデータ生成工程）。本ステップは，上記図１５で示したステップＳ２０２と略同一であるので，詳細説明は省略する。
【０２６８】
次いで，ステップＳ３０４では，メタデータを提供する相手先の外部機器が認識可能なメタデータの表記形式が特定される（ステップＳ３０４）。相手先メタデータ表記形式特定部４３１は，例えば，担当者の入力に基づいて，或いは自動的に，上記相手先メタデータ形式を特定する。なお，本ステップは省略することが可であり，この場合には，以下のステップＳ３０６，Ｓ３１２，Ｓ３１４も省略される。
【０２６９】
さらに，ステップＳ３０６では，特定された相手先のメタデータ表記形式が，撮像装置４０の内部メタデータの表記形式と同一であるか否かが判定される（ステップＳ３０６）。相手先メタデータ表記形式特定部４３１は，例えば，既知の内部メタデータの表記形式と，上記ステップＳ３０４で特定した相手先メタデータ形式が，同一であるか否かを判断する。この結果，同一でないと判断された場合には，ステップＳ３０８に進み，一方，同一であると判断された場合には，変換テーブルを送出する必要がないので，ステップＳ３１４に進む。
【０２７０】
その後，ステップＳ３０８では，１又は２以上の変換テーブルが選択される（ステップＳ３０８：変換テーブル選択工程）。変換テーブル選択部４３４は，例えば，変換テーブルＤＢ４２０に記録されている例えば複数の変換テーブルの中から，上記ステップＳ３０４で特定された相手先メタデータ形式と，および内部メタデータの表記形式とに対応する例えば１つの変換テーブルを選択する。
【０２７１】
また，上記ステップＳ３０４を省略した場合や，相手先メタデータ形式を特定できなかった場合などには，例えば，変換テーブル選択部４３４は，変換テーブルＤＢ４２０に記録されている例えば複数の変換テーブルのうちの全部又は一部を選択してもよい。
【０２７２】
次いで，ステップＳ３１０では，上記選択された変換テーブル，上記生成されたメタデータおよびビデオデータが記録媒体に記録される（ステップＳ３１０）。ディスク装置４１８は，編集用端末装置３０などがビデオデータに関する処理を上記メタデータに基づいて制御できるように，上記ステップＳ３０８で選択された１又は２以上の変換テーブルと，上記ステップＳ３０２で生成された未変換のメタデータと，当該メタデータに対応するビデオデータとを相互に関連付けて，光ディスク３などに記録する。
【０２７３】
さらに，ステップＳ３１２では，記録媒体を介して変換テーブルおよびメタデータなどが提供される（ステップＳ３１２）。撮像装置４０は，上記ステップＳ３１０で変換テーブル，メタデータおよびビデオデータなどが記録された光ディスク３等の記録媒体を，編集用端末装置３０などの外部機器に提供する。これにより，編集用端末装置３０などは，例えば，未変換のメタデータおよびこのメタデータを変換するための変換テーブルを，ビデオデータとともに取得することができる。
【０２７４】
一方，ステップＳ３１４では，上記生成されたメタデータおよびビデオデータが記録媒体に記録される（ステップＳ３１４）。ディスク装置４１８は，上記ステップＳ３０２で生成された未変換のメタデータと，当該メタデータに対応するビデオデータとを相互に関連付けて，光ディスク３などに記録する。
【０２７５】
その後，ステップＳ３１６では，記録媒体を介してメタデータなどが提供される（ステップＳ３１６）。撮像装置４０は，上記ステップＳ３０８でメタデータおよびビデオデータなどが記録された光ディスク３等の記録媒体を，編集用端末装置３０などの外部機器に提供する。これにより，編集用端末装置３０などは，例えば，未変換でありながら対応可能なメタデータを，ビデオデータとともに取得することができる。
【０２７６】
次に，図１８に基づいて，本実施形態にかかる編集用端末装置３０の構成について説明する。なお，図１８は，本実施形態にかかる編集用端末装置３０の概略的な構成を示すブロック図である。
【０２７７】
図１８に示すように，編集用端末装置３０は，ＣＰＵ３０２と，メモリ部３０４と，入力部３０６と，表示部３０８と，音声出力部３１０と，通信部３１２と，外部インタフェース３１４と，ディスク装置３１６と，記録装置３１８と，変換テーブルＤＢ３２０と，メタデータ入出力処理部３３０と，メタデータアプリケーション処理部３８０と，を備える。
【０２７８】
なお，第３の実施形態にかかる編集用端末装置３０におけるディスク装置３１６およびメタデータ入出力処理部３３０以外の各部の機能構成は，第１の実施形態にかかる編集用端末装置３０の場合と略同一であるのでその説明は省略する。
【０２７９】
ディスク装置３１６は，上記第１の実施形態にかかるディスク装置３１６の機能に加え，例えば，上記撮像装置４０などから提供された記録媒体から，メタデータと，このメタデータの表記形式に対応する１又は２以上の変換テーブルを読み出すメタデータ読出部としても機能する。
【０２８０】
より詳細には，撮像装置４０などから編集用端末装置３０に対して光ディスク３等の記録媒体が提供されると，ディスク装置４１８は，例えば，かかる記録媒体から，未変換の（即ち，例えば撮像装置４０の対応可能な表記形式のままの）メタデータと，このメタデータに関連付けられている１または２以上の変換テーブルとを読み出す。かかる記録媒体に記録されているメタデータは，例えば，ＸＭＬベースではあるものの，上記撮像装置４０が認識可能な表記形式で記述されており，必ずしも編集用端末装置３０に対応した表記形式であるとは限らない。また，上記記録媒体に記録されている変換テーブルは，例えば，上記撮像装置４０による相手先メタデータ形式特定処理および変換テーブル選択処理の内容に応じて，編集用端末装置３０が対応可能なメタデータの表記形式に対応した例えば１の変換テーブルである場合もあれば，或いは，例えば多様な表記形式に対応した複数の変換テーブルである場合もある。
【０２８１】
ディスク装置３１６は，上記のようにして読み出したメタデータおよび変換テーブルをメタデータ入出力処理部３３０に出力する。
【０２８２】
また，撮像装置４０と編集用端末装置３０の対応可能なメタデータの表記形式が略同一であるときなどには，上記撮像装置４０から提供された記録媒体に，例えば，メタデータに関連付けられた変換テーブルが記録されていない場合もある。この場合には，ディスク装置３１６は，例えば，当該記録媒体からメタデータのみを読み出すこともできる。この場合には，当該メタデータの表記形式が，編集用端末装置３０が対応可能な表記形式であるので，後述するメタデータ表記形式の変換処理は不要となる。従って，読み出されたメタデータは，メタデータアプリケーション処理部４８０に直接出力されて，処理される。
【０２８３】
メタデータ入出力処理部３３０は，本実施形態にかかる特徴部であり，上記図７で説明したように，例えば，外部メタデータを内部メタデータに変換した上で，メタデータアプリケーション処理部３８０に対して出力する機能を有する。このメタデータ入出力処理部３３０は，例えば，変換テーブル選択部３３４と，メタデータ表記形式変換部３３６を備える。
【０２８４】
変換テーブル選択部３３４は，例えば，ディスク装置３１６によって読み出された１又は２以上の変換テーブルの中から，編集用端末装置３０のメタデータアプリケーション処理部３８０が対応可能な表記形式に対応した１の変換テーブルを選択する機能を有する。この変換テーブル選択部３３４による選択処理の内容は，例えば，上記撮像装置４０による相手先メタデータ形式特定処理および変換テーブル選択処理によって，好適な変換テーブルが既に選択済みであるか否かによって異なる。
【０２８５】
即ち，例えば，上記撮像装置４０が，予め編集用端末装置３０の対応可能なメタデータ表記形式を特定し，かかる表記形式に対応した例えば１の変換テーブルのみを選択して，記録媒体を介して提供した場合には，変換テーブル選択部３３４は，提供された例えば唯一の変換テーブルを選択する。なお，この場合には，変換テーブル選択部３３４は必ずしも具備されなくともよく，この変換テーブルをメタデータ表記形式変換部３３６に対して直接的に入力するよう構成してもよい。
【０２８６】
一方，上記撮像装置４０が，予め編集用端末装置３０の対応可能なメタデータ表記形式を特定せず，未変換のメタデータに対応する例えば複数の変換テーブルを選択して提供した場合には，変換テーブル選択部３３４は，この提供された複数の変換テーブルの中から，メタデータアプリケーション処理部３８０が対応可能な表記形式に対応した１の変換テーブルを選択する。
【０２８７】
メタデータ表記形式変換部３３６は，例えば，ＸＳＬＴエンジンなどの変換エンジンとして構成されており，上記変換テーブル選択部３３４によって選択された例えば１の変換テーブルに基づいて，上記記録媒体から読み出されたメタデータの表記形式を内部メタデータの表記形式に変換する機能を有する。これにより，メタデータアプリケーション処理部３８０は，かかる変換されたメタデータを認識，処理することが可能となる。
【０２８８】
次に，図１９に基づいて，本実施形態にかかる編集用端末装置３０におけるメタデータに関する処理方法について説明する。なお，図１９は，本実施形態にかかる編集用端末装置３０の処理方法を示すフローチャートである。
【０２８９】
図１９に示すように，まず，ステップＳ３３２では，編集用端末装置３０が記録媒体を取得する（ステップＳ３３２）。編集用端末装置３０は，上記撮像装置４０によってメタデータおよびビデオデータなどが記録された光ディスク３などの記録媒体を取得する。
【０２９０】
次いで，ステップＳ３３４では，上記記録媒体に変換テーブルが記録されているか否かが判断される（ステップＳ３３４）。メタデータ入出力処理部３３０は，例えば，ディスク装置３１８を利用して，上記記録媒体内に，ＸＬＴ文書などの変換テーブルの有無を判断する。この際，例えば，上記撮像装置４０が変換テーブルを記録媒体のルート位置などに記録するように規定されていれば，メタデータ入出力処理部３３０は，変換テーブルの有無を容易に判断することができる。
【０２９１】
この結果，変換テーブルが記録媒体に記録されていると判断された場合には，ステップＳ３４０に進む。一方，変換テーブルが記録媒体に記録されていないと判断された場合には，ステップＳ３３６に進む。
【０２９２】
さらに，ステップＳ３３６では，メタデータが記録媒体から読み出される（ステップＳ３３６）。ディスク装置３１８は，例えば，記録媒体からメタデータを読み出して，メタデータ入出力処理部３３０に出力する。
【０２９３】
次いで，ステップＳ３３８では，上記読み出されたメタデータが編集用端末装置３０で対応可能な形式か否かが判断される（ステップＳ３３８）。メタデータ入出力処理部３３０は，上記ステップＳ３３６で読み出されたメタデータの表記形式が，メタデータアプリケーション処理部３８０で対応可能であるか否かを判断する。例えば，上記撮像装置４０が上記相手先メタデータ形式を特定でき，かつ，その相手先メタデータ形式が撮像装置４０の内部メタデータ形式と略同一であったと判断した場合などには，撮像装置４０は，編集用端末装置３０に対してメタデータのみを提供し，変換テーブルを提供しない。この場合には，上記ステップＳ３３６で読み出されたメタデータは編集用端末装置３０の対応可能な表記形式である。かかる場合などには，上記読み出されたメタデータがメタデータアプリケーション処理部３８０の対応可能な表記形式であると判断され，変換処理を行う必要がないので，ステップＳ３４８に進む。一方，上記読み出されたメタデータがメタデータアプリケーション処理部３８０の対応不能な表記形式であると判断された場合には，変換テーブルも添付されていないため，メタデータアプリケーション処理部３８０は当該メタデータを認識，処理できないので，全てのステップを終了する。
【０２９４】
一方，ステップＳ３４０では，メタデータおよび変換テーブルが記録媒体から読み出される（ステップＳ３４０：メタデータ読出工程）。上記ステップＳ３３４で，変換テーブルが記録媒体に記録されていると判断された場合には，ディスク装置３１８は，例えば，当該記録媒体から，メタデータと，このメタデータに対応する１または２以上の変換テーブルを読み出して，メタデータ入出力処理部３３０に出力する。
【０２９５】
さらに，ステップＳ３４２では，上記読み出された変換テーブルが選択不要であるか否かが判断される（ステップＳ３４２）。メタデータ入出力処理部３３０は，上記ステップＳ３４０で読み出された変換テーブルが，例えば，複数であるか，あるいは１つであるかを判断する。この結果，上記読み出された変換テーブルが複数である場合には，メタデータアプリケーション処理部３８０が対応可能な表記形式に対応する変換テーブルを選択する必要があるので，ステップＳ３４４に進む，一方，上記読み出された変換テーブルが１つである場合は，例えば，上記撮像装置４０によって，編集用端末装置３０の内部メタデータ形式に対応した１の変換テーブルが予め選択されているケースなどである。よって，かかる場合には，変換テーブルの選択は不要であるので，ステップＳ３４６に進む。
【０２９６】
その後，ステップＳ３４４では，内部メタデータに対応する変換テーブルが選択される（ステップＳ３４４：変換テーブル選択工程）。変換テーブル選択部３３４は，上記ステップＳ３４０で読み出された１又は２以上の変換テーブルの中から，例えば，メタデータアプリケーション処理部３８０が対応可能な表記形式に対応した１の変換テーブルを選択する。
【０２９７】
次いで，ステップＳ３４６では，上記読み出し或いは選択された変換テーブルに基づいて，メタデータの表記形式が変換される（ステップＳ３４６：メタデータ表記形式変換工程）。メタデータ表記形式変換部３３６は，例えば，上記ステップＳ３４４で選択された変換テーブル，或いは上記ステップＳ３４０で読み出された唯一の変換テーブルに基づいて，上記ステップＳ３４０で読み出さされたメタデータの表記形式を，メタデータアプリケーション処理部３８０が対応可能な形式に変換する。これにより，編集用端末装置３０は，記録媒体を介して取得したメタデータを，自身が認識可能な表記形式に変換することができる。
【０２９８】
さらに，ステップＳ３４８では，各種のメタデータアプリケーション処理が実行される（ステップＳ３４８：処理制御工程）。メタデータアプリケーション処理部３８０は，例えば，上記表記形式が変換された認識可能となったメタデータに基づいて，上記説明したような編集用端末装置３０内における多様な処理を制御する。また，メタデータアプリケーション処理部３８０は，例えば，ステップＳ３３８で内部メタデータの表記形式と略同一であると判定された外部メタデータを，直接に認識して処理することもできる。
【０２９９】
このように編集用端末装置３０は，例えば，まず，変換テーブルの有無を確認し，それが存在する場合は，記録媒体から読み出したメタデータを当該変換テーブルの規定に従って対応可能な形式に変換することができる。これにより，編集用端末装置３０は，様々な外部メタデータが記録された記録媒体を分け隔てなく取り扱うことが可能となる。
【０３００】
以上のように，本実施形態では，撮像装置４０は，自身が生成・編集したメタデータに対応する変換テーブルを，当該メタデータとともに記録媒体に記録することができる。このため，かかる記録媒体を取得した編集用端末装置３０は，記録媒体から読み出した変換テーブルを用いて，記録媒体から読み出した当該メタデータを，自己が認識，処理可能な表記形式に容易に変換することができる。
【０３０１】
また，撮像装置４０が，例えば，多様な種類の変換テーブルを当該メタデータとともに記録媒体に記録しておくことにより，かかる記録媒体は，認識可能なメタデータ形式が異なる複数の編集用端末装置３０によって利用可能となる。即ち，かかる記録媒体を取得した任意の編集用端末装置３０は，記録されている複数の変換テーブルの中から，上記生成されたメタデータを自己のメタデータ形式に変換するための変換テーブルを選択して，変換処理を好適に実行することができる。このように，記録媒体内に複数種類の変換テーブルを予め記録しておくことにより，かかる１つの記録媒体が，例えば，認識可能なメタデータ形式が異なる複数の編集用端末装置３０などに対応したメタデータ伝達媒体として機能できる。
【０３０２】
また，記録媒体にはビデオデータ，メタデータおよび変換テーブルが関連付けられて記録されているので，編集用端末装置３０は，取得したメタデータと変換テーブルおよびビデオデータの対応関係を容易に把握できる。このため，編集用端末装置３０は，変換したメタデータに基づいて当該ビデオデータに関する処理を好適に実行できる。
【０３０３】
また，上記第１〜第３の実施形態におけるメタデータ生成部４２２，メタデータ入出力処理部３３０，４３０およびメタデータアプリケーション処理部３８０，４８０などは，上記のような処理機能を実現できるものであれば，例えば，専用装置（ハードウェア）として構成されてもよく，また，撮像装置４０や編集用端末装置３０などの各端末装置に，上記処理を実行させるアプリケーションプログラムをインストールして構成されてもよい。さらに，後者の場合，上記アプリケーションプログラムは，上記各端末装置に対して，ＣＤ−ＲＯＭ等の記録媒体によって提供されてもよく，また，通信部３１２，４１２などを介して外部からダウンロードすることで提供されてもよい。また，当該アプリケーションプログラムは，予め，上記各端末装置内のメモリ部３０４，４０４，記録装置３１８，或いは外部インタフェース３１４．４１４等に接続された周辺機器などに格納されていてもよい。
【０３０４】
以上のように，撮像装置４０および編集用端末装置３０などの各端末装置は，例えば，任意の表記形式に従ったＸＭＬベースのメタデータの入出力に対して，柔軟に対応することができる。このため，映像プログラム制作支援システム１内で，各々の端末装置の対応可能なメタデータの表記形式が異なる場合であっても，各々の端末装置が円滑にメタデータをやり取りできる。従って，複数の端末装置間でメタデータを共用して有効利用できるので，映像プログラム制作の効率化や映像作品の品質向上を図ることができる。
【０３０５】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【０３０６】
例えば，上記企画用端末装置１０，撮像装置４０，フィールドＰＣ５０および編集用端末装置３０などの各端末装置は，必ずしも１台だけから構成されなくともよく，複数台から構成される場合であっても実施可能である。例えば，複数台の撮像装置４０が撮影したビデオデータを，光ディスク３またはネットワーク５などを介して，編集用端末装置３０に提供することも可能である。
【０３０７】
また，映像プログラム制作支援システム１は，例えば，上記企画用端末装置１０，取材用端末装置２０および編集用端末装置３０の間に，センターサーバ（図示せず。）を設けることで，企画用端末装置１０，取材用端末装置２０および編集用端末装置３０をクライアントとした，クライアント／サーバ（Ｃｌｉｅｎｔ／Ｓｅｒｖｅｒ）のネットワークシステムとして構成することも可能である。
【０３０８】
例えば，上記第１の実施形態では，企画用端末装置１０，取材用端末装置２０および編集用端末装置３０の間でメタデータを，例えばネットワーク５などを介して直接送受信していたが，本発明はかかる例に限定されない。例えば，ネットワーク５に接続されたセンターサーバ（図示せず。）を設けて，メタデータやビデオデータなどを集中管理するデータベースを構築してもよい。これにより，各端末装置は，ネットワーク５を介してこのセンターサーバにアクセスし，メタデーまたはビデオデータのなどの取得や更新を行うことができる。
【０３０９】
また，上記第１の実施形態では，企画用端末装置１０，取材用端末装置２０および編集用端末装置３０などの間で，メタデータ等を例えばネットワーク５を介して送受信することにより，メタデータをやり取りしていたが，本発明はかかる例に限定されない。例えば，企画用端末装置１０，取材用端末装置２０および編集用端末装置３０などの間で，各種の記録媒体を介してメタデータ等をやり取りしてもよい。かかる構成により，上記第１の実施形態のようなネットワーク５を介した通信を行うための設備等を設けなくても済むので，映像プログラム制作支援システム１をより安価かつ容易に構築できる。
【０３１０】
また，上記第１〜３の実施形態では，取材用端末装置２０を撮像装置４０およびフィールドＰＣ５０という２つのハードウェアから構成したが，本発明はかかる例に限定されない。例えば，取材用端末装置２０は，上記撮像装置４０およびフィールドＰＣ５０の双方の機能を併せ持つハードウェアであれば，例えば１つのハードウェアで構成することも可能である。この１つのハードウェアからなる取材用端末装置２０は，例えば，撮像装置４０にキーボードなどの入力手段を接続して，取材部署担当者が上記撮影状況情報およびテイク撮影状況情報を入力可能に構成することで，実現可能である。
【０３１１】
また，上記第１〜３の実施形態では，映像プログラム制作支援システム１は，企画構成部署，取材部署および編集部署に対応した端末装置１０，２０，３０のみを具備した例について説明しているが，本発明はかかる例に限定されない。実際の映像プログラムの制作に携わる部署は，上記３つの部署以外にも，例えば，事務部署，機材部署，情報部署，台詞部署，ＣＧ／ＳＩ部署，出演者部署，資料部署，データ保存部署など多岐にわたる。従って，映像プログラム制作支援システム１は，これらの部署に対応した１または２以上の端末装置（ビデオデータ処理装置）をさらに備え，上記メタデータをより多くの端末装置間で共用できるように構成してもよい。
【０３１２】
また，上記第１〜３の実施形態では，メタデータを記述する言語として，ＸＭＬを採用したが，かかる例に限定されず，例えば，ＨＴＭＬ（Ｈｙｐｅｒ  Ｔｅｘｔ  Ｍａｒｋｕｐ  Ｌａｎｇｕａｇｅ），ＳＧＭＬ（Ｓｔａｎｄａｒｄ  Ｇｅｎｅｒａｌｉｚｅｄ  Ｍａｒｋｕｐ  Ｌａｎｇｕａｇｅ）などその他のマークアップ言語，或いはＸＭＬ以外のその他の各種の言語などであってもよい。また，例えば，ＸＭＬとＨＴＭＬとの間など，異なるマークアップ言語の間で，メタデータの表記形式を変換できるように構成してもよい。
【０３１３】
また，上記第１〜３の実施形態では，ビデオデータ記録装置の一実施形態として撮像装置４０の例を挙げるとともに，ビデオデータ記録装置の一実施形態として編集用端末装置３０の例を挙げて説明したが，本発明はかかる例に限定されない。例えば，ビデオデータ記録装置としては，ビデオデータを記録媒体に記録可能な装置であれば，撮像装置４０以外の各種装置で構成されてもよい。また，ビデオデータ再生装置としては，ビデオデータを再生可能な装置であれば，編集用端末装置３０以外の各種装置で構成されてもよい。
【０３１４】
また，上記第１〜３の実施形態では，ビデオデータ記録装置およびビデオデータ再生装置などのビデオデータ処理装置が，１つの映像プログラム制作支援システム１の構成要素として構成されていたが，本発明はかかる例に限定されない。例えば，ビデオデータ記録装置およびビデオデータ再生装置などのビデオデータ処理装置は，例えば，所定のシステム内で一組となって利用される場合のみならず，各々が単体で利用されてもよい。
【０３１５】
また，上記第２および３の実施形態では，撮像装置４０は，光ディスク３などの記録媒体を介して，メタデータ及び／又は変換テーブルをビデオデータとともに，編集用端末装置３０に提供したが，本発明はかかる例に限定されない。例えば，撮像装置４０は，編集用端末装置３０に対して，ビデオデータと，メタデータ及び／又は変換テーブルとを別々に提供してもよい。即ち，撮像装置４０は，ビデオデータが記録される光ディスク３などとは異なる，メモリーカード，メモリースティック，磁気ディスク等の各種の記録媒体を介して，メタデータ及び／又は変換テーブルを編集用端末装置３０に提供してもよい。また，撮像装置４０は，例えば，ネットワーク５を介した送信により，メタデータ及び／又は変換テーブルを編集用端末装置３０に提供してもよい。
【図面の簡単な説明】
【０３１６】
【図１】図１は，第１の実施形態にかかる映像プログラム制作支援システムの概略的な構成を示すブロック図である。
【図２】図２は，第１の実施形態にかかるプログラムメタデータの構成を例示する説明図である。
【図３】図３は，上記図２で説明したプログラムメタデータのＸＭＬによる記述例の一部を示す説明図である。
【図４】図４は，上記図２で説明したプログラムメタデータのＸＭＬによる記述例の一部を示す説明図である。
【図５】図５は，第１の実施形態にかかるテイクメタデータの構成を例示する説明図である。
【図６】図６は，上記図５で説明したテイクメタデータのＸＭＬによる記述例を示す説明図である。
【図７】図７は，第１の実施形態にかかるＸＳＬＴエンジンによるメタデータの変換を概念的に示す説明図である。
【図８】図８は，第１の実施形態にかかる撮像装置の概略的な構成を示すブロック図である。
【図９】図９は，外部メタデータに一例であるＭＯＳメタデータによる取材指示情報の記述例を示す説明図である。
【図１０】図１０は，ＭＯＳメタデータおよび内部メタデータに対応した変換テーブルの具体例を示す説明図である。
【図１１】図１１は，変換された内部メタデータによる取材指示情報の記述例を示す説明図である。
【図１２】図１２は，第１の実施形態にかかる撮像装置の処理方法を示すフローチャートである。
【図１３】図１３は，第１の実施形態にかかる編集用端末装置の概略的な構成を示すブロック図である。
【図１４】図１４は，第２の実施形態にかかる撮像装置の概略的な構成を示すブロック図である。
【図１５】図１５は，第２の実施形態にかかる撮像装置の処理方法を示すフローチャートである。
【図１６】図１６は，第３の実施形態にかかる撮像装置の概略的な構成を示すブロック図である。
【図１７】図１７は，第３の実施形態にかかる撮像装置の処理方法を示すフローチャートである。
【図１８】図１８は，第３の実施形態にかかる編集用端末装置の概略的な構成を示すブロック図である。
【図１９】図１９は，第３の実施形態にかかる編集用端末装置の処理方法を示すフローチャートである。
【符号の説明】
【０３１７】
１  ：  映像プログラム制作支援システム
３  ：  光ディスク
５  ：  ネットワーク
１０  ：  企画用端末装置
２０  ：  取材用端末装置
３０  ：  編集用端末装置
４０  ：  撮像装置
５０  ：  フィールドＰＣ／ＰＤＡ
３１６  ：  ディスク装置
３２０  ：  変換テーブルデータベース
３３０  ：  メタデータ入出力処理部
３３２  ：  メタデータ表記形式識別部
３３４  ：  変換テーブル選択部
３３６  ：  メタデータ表記形式変換部
３８０  ：  メタデータアプリケーション処理部
４１６  ：  カメラブロック
４１８  ：  ディスク装置
４２０  ：  変換テーブルデータベース
４２２  ：  メタデータ生成部
４３０  ：  メタデータ入出力処理部
４３１  ：  相手先メタデータ表記形式特定部
４３２  ：  メタデータ表記形式識別部
４３４  ：  変換テーブル選択部
４３６  ：  メタデータ表記形式変換部
４８０  ：  メタデータアプリケーション処理部